(57)【要約】【課題】通信相手となる装置との接続状態を基に、アイコンの配置の優先順位を決定する。【解決手段】コンタクトアイコン表示エリア８６４に図示されている番号のように、例えば、右上隅から順番に右上隅から近い位置の方が優先順位が高くなるように、登録ユーザに対応するアイコンを表示させる際のアイコンの配置に優先順位を付け、それぞれの登録ユーザが保有する装置の接続状態を基に、アイコンの配置の優先順位を決定することができるようにすることができる。本発明は、情報通信端末に適用できる。【選択図】図４４
2007179330.tif 000002
【特許請求の範囲】
【請求項１】
他の装置と情報を授受することが可能な情報処理装置において、
通信対象となる前記他の装置と通信を行う通信手段と、
前記通信手段による前記他の装置との通信の状態に関する情報を取得する通信状態情報取得手段と、
前記通信状態情報取得手段により取得された通信の状態に関する情報に基づいて、前記他の装置の保有者に対応するアイコンとして表示される前記アイコンを決定し、前記アイコンの配列を決定する決定手段と、
前記決定手段により決定された前記アイコンの配列に基づいて、前記アイコンを含む表示画像を生成する画像生成手段と、
前記画像生成手段により生成された前記表示画像を表示する表示手段と
を備える情報処理装置。
【請求項２】
前記通信手段による通信モードは複数存在し、
前記決定手段は、前記通信モードに基づいて表示される前記アイコンを変更する
請求項１に記載の情報処理装置。
【請求項３】
前記表示手段により表示された前記アイコンのうち、ユーザによる前記アイコンの選択決定を示す操作入力を取得する操作入力取得手段と、
前記操作入力取得手段により取得された、前記ユーザの操作入力を基に、選択決定された前記アイコンに対応する前記他の装置に対して、前記通信手段により情報を送出することが可能なアプリケーションを抽出する抽出手段と
を更に備え、
前記画像生成手段は、前記抽出手段により抽出された前記アプリケーションの一覧を示すアプリケーション一覧画面を更に制御し、
前記表示手段は、前記画像生成手段により生成された前記アプリケーション一覧画面を更に表示する
請求項１に記載の情報処理装置。
【請求項４】
前記通信手段による通信モードは複数存在し、
前記通信手段は、複数の前記通信モードを、所定の期間ずつ、繰り返して実行し、
前記通信状態情報取得手段は、それぞれの前記通信モードにおいて、前記通信手段による前記他の装置との通信の状態に関する情報を取得する
請求項１に記載の情報処理装置。
【請求項５】
所定の通信モードにおける登録ユーザの情報を記憶する記憶手段を更に備え、
前記通信状態情報取得手段は、前記記憶手段により記憶されている所定の前記通信モードにおける前記登録ユーザの情報を取得する登録ユーザ情報取得手段を含み、
前記決定手段は、前記通信状態情報取得手段により取得された前記登録ユーザの情報を基に、前記アイコンの配列を決定する
請求項１に記載の情報処理装置。
【請求項６】
前記通信状態情報取得手段は、アクセスポイントを介さずに装置同士が直接無線通信を行う通信モードにおいて、通信範囲内に存在する他の装置から送出された情報を取得する送出情報取得手段を含み、
前記決定手段は、前記送出情報取得手段により取得された通信範囲内に存在する前記他の装置から送出された情報を基に、前記アイコンの配列を決定する
請求項１に記載の情報処理装置。
【請求項７】
前記通信状態情報取得手段は、アクセスポイントを介して通信を行う通信モードにおいて、所定の前記アクセスポイントを介して通信可能な登録ユーザが保有している他の装置は、現在、オンライン状態となっているか否かを検出するオンライン状態検出手段を含み、
前記決定手段は、前記オンライン状態検出手段による検出結果を基に、前記アイコンの配列を決定する
請求項１に記載の情報処理装置。
【請求項８】
他の装置と情報を授受することが可能な情報処理装置の情報処理方法において、
前記他の装置との通信の状態に関する情報を取得し、
取得された通信の状態に関する情報に基づいて、前記他の装置の保有者に対応するアイコンとして表示される前記アイコンを決定し、前記アイコンの配列を決定し、
決定された前記アイコンの配列に基づいて、前記アイコンを含む表示画像を生成し、
生成された前記表示画像を表示する
ステップを含む情報処理方法。
【請求項９】
通信対象となる他の装置をユーザが指定するための補助となる表示画面の表示を制御する処理をコンピュータに実行させるためのプログラムであって、
前記他の装置との通信の状態に関する情報を取得し、
取得された通信の状態に関する情報に基づいて、前記他の装置の保有者に対応するアイコンとして表示される前記アイコンを決定し、前記アイコンの配列を決定し、
決定された前記アイコンの配列に基づいて、前記アイコンを含む表示画像を生成し、
生成された前記表示画像の表示を制御する
ステップを含む処理をコンピュータに実行させるプログラム。
【請求項１０】
請求項９に記載のプログラムが記録されている記録媒体。
【発明の詳細な説明】
【技術分野】
【０００１】
本発明は、情報処理装置および情報処理方法、プログラム、並びに、記録媒体に関し、特に、複数の装置間で情報を通信することが可能な場合に用いて好適な、情報処理装置および情報処理方法、プログラム、並びに、記録媒体に関する。
【背景技術】
【０００２】
従来、ユーザは、例えば、電話や電子メールなどを選択的に用いて、所望の相手に連絡を取ることができるようになされていた。例えば、所望の相手にダイヤラーソフトウェアやＩＰ電話を用いて電話をかけようとしたが、話中で通話ができないような場合、ユーザは、ダイヤラーソフトウェアやＩＰ電話を終了し、代わりに電子メールアプリケーションを起動して所望の相手に連絡を取ることができる。このとき、ユーザは、手動で電子メールアプリケーションを起動する必要があった。
【０００３】
これに対して、例えば、ＩＰ電話ソフトやダイヤラーを用いて、所望の相手に対して電話番号を入力して、所望のユーザに対して連絡をとろうとしたが、話中で連絡を取ることができなかった場合、または、所望の相手に対して電子メールを送信したが、未到達メールが帰ってきてしまった場合などには、電話番号や未到達メールの本来の宛先アドレスをキーとして、対応する相手の連絡先が登録された他のアプリケーションを検索して、自動的に起動させる技術がある（例えば、特許文献１）。
【０００４】
【特許文献１】特開２００３−２１９０４６号公報
【発明の開示】
【発明が解決しようとする課題】
【０００５】
通信装置を用いない場合を含む一般的なコミュニケーションにおいては、ある相手に連絡を取りたいために、どのような方法で連絡を取るかを考えたり、または、そばにいる人など、容易にコンタクトを取れる人に対して、コンタクトを取ろうとするものである。すなわち、人同士のコミュニケーション本来の自然な形態においては、ツールの選択よりも、相手の選択のほうが先行する。
【０００６】
しかしながら、上述した特許文献１の技術は、まず、いずれかのアプリケーションを選択して、そのアプリケーションを用いて所望の相手との通信処理を行い、通信ができなかった場合に、従来、ユーザが手動で行っていた他のアプリケーションの起動を自動的に行うようになされているものであり、ツールの選択が優先されている。また、上述した特許文献１の技術では、容易にコンタクトを取れる人を選択して、コンタクトを取ろうとすることはできない。
【０００７】
本発明はこのような状況に鑑みてなされたものであり、ユーザがより自然に通信相手を決定することができるようにするものである。
【課題を解決するための手段】
【０００８】
本発明の一側面の情報処理装置は、他の装置と情報を授受することが可能な情報処理装置であって、通信対象となる前記他の装置と通信を行う通信手段と、前記通信手段による前記他の装置との通信の状態に関する情報を取得する通信状態情報取得手段と、前記通信状態情報取得手段により取得された通信の状態に関する情報に基づいて、前記他の装置の保有者に対応するアイコンとして表示される前記アイコンを決定し、前記アイコンの配列を決定する決定手段と、前記決定手段により決定された前記アイコンの配列に基づいて、前記アイコンを含む表示画像を生成する画像生成手段と、前記画像生成手段により生成された前記表示画像を表示する表示手段とを備える。
【０００９】
前記通信手段による通信モードは複数存在するものとすることができ、前記決定手段には、前記通信モードに基づいて表示される前記アイコンを変更させるようにすることができる。
【００１０】
前記表示手段により表示された前記アイコンのうち、ユーザによる前記アイコンの選択決定を示す操作入力を取得する操作入力取得手段と、前記操作入力取得手段により取得された、前記ユーザの操作入力を基に、選択決定された前記アイコンに対応する前記他の装置に対して、前記通信手段により情報を送出することが可能なアプリケーションを抽出する抽出手段とを更に備えさせるようにすることができ、前記画像生成手段には、前記抽出手段により抽出された前記アプリケーションの一覧を示すアプリケーション一覧画面を更に制御させるようにすることができ、前記表示手段には、前記画像生成手段により生成された前記アプリケーション一覧画面を更に表示させるようにすることができる。
【００１１】
前記通信手段による通信モードは複数存在するものとすることができ、前記通信手段には、複数の前記通信モードを、所定の期間ずつ、繰り返して実行させるようにすることができ、前記通信状態情報取得手段には、それぞれの前記通信モードにおいて、前記通信手段による前記他の装置との通信の状態に関する情報を取得させるようにすることができる。
【００１２】
所定の通信モードにおける登録ユーザの情報を記憶する記憶手段を更に備えさせるようにすることができ、前記通信状態情報取得手段には、前記記憶手段により記憶されている所定の前記通信モードにおける前記登録ユーザの情報を取得する登録ユーザ情報取得手段を含ませるようにすることができ、前記決定手段には、前記通信状態情報取得手段により取得された前記登録ユーザの情報を基に、前記アイコンの配列を決定させるようにすることができる。
【００１３】
前記通信状態情報取得手段には、アクセスポイントを介さずに装置同士が直接無線通信を行う通信モードにおいて、通信範囲内に存在する他の装置から送出された情報を取得する送出情報取得手段を含ませるようにすることができ、前記決定手段には、前記送出情報取得手段により取得された通信範囲内に存在する前記他の装置から送出された情報を基に、前記アイコンの配列を決定させるようにすることができる。
【００１４】
前記通信状態情報取得手段には、アクセスポイントを介して通信を行う通信モードにおいて、所定の前記アクセスポイントを介して通信可能な登録ユーザが保有している他の装置は、現在、オンライン状態となっているか否かを検出するオンライン状態検出手段を含ませるようにすることができ、前記決定手段には、前記オンライン状態検出手段による検出結果を基に、前記アイコンの配列を決定させるようにすることができる。
【００１５】
本発明の一側面の情報処理方法は、他の装置と情報を授受することが可能な情報処理装置の情報処理方法であって、前記他の装置との通信の状態に関する情報を取得し、取得された通信の状態に関する情報に基づいて、前記他の装置の保有者に対応するアイコンとして表示される前記アイコンを決定し、前記アイコンの配列を決定し、決定された前記アイコンの配列に基づいて、前記アイコンを含む表示画像を生成し、生成された前記表示画像を表示するステップを含む。
【００１６】
本発明の一側面のプログラムは、通信対象となる他の装置をユーザが指定するための補助となる表示画面の表示を制御する処理をコンピュータに実行させるためのプログラムであって、前記他の装置との通信の状態に関する情報を取得し、取得された通信の状態に関する情報に基づいて、前記他の装置の保有者に対応するアイコンとして表示される前記アイコンを決定し、前記アイコンの配列を決定し、決定された前記アイコンの配列に基づいて、前記アイコンを含む表示画像を生成し、生成された前記表示画像の表示を制御するステップを含む処理をコンピュータに実行させる。
【００１７】
本発明の一側面においては、他の装置との通信の状態に関する情報が取得され、取得された通信の状態に関する情報に基づいて、他の装置の保有者に対応するアイコンとして表示されるアイコンが決定され、アイコンの配列が決定され、決定されたアイコンの配列に基づいて、アイコンを含む表示画像が生成され、生成された表示画像が表示される。
【００１８】
ネットワークとは、少なくとも２つの装置が接続され、ある装置から、他の装置に対して、情報の伝達をできるようにした仕組みをいう。ネットワークを介して通信する装置は、独立した装置どうしであっても良いし、１つの装置を構成している内部ブロックどうしであっても良い。
【００１９】
また、通信とは、無線通信および有線通信は勿論、無線通信と有線通信とが混在した通信、即ち、ある区間では無線通信が行われ、他の区間では有線通信が行われるようなものであっても良い。さらに、ある装置から他の装置への通信が有線通信で行われ、他の装置からある装置への通信が無線通信で行われるようなものであっても良い。
【発明の効果】
【００２０】
以上のように、本発明の一側面によれば、通信対象となる機器に対応するアイコンを表示させることができ、特に、通信対象となる機器との通信の状態に基づいて、アイコンの配列を決定するので、ユーザは、通信しやすい通信相手を容易に選択することができる。
【発明を実施するための最良の形態】
【００２１】
以下に本発明の実施の形態を説明するが、本発明の構成要件と、明細書または図面に記載の実施の形態との対応関係を例示すると、次のようになる。この記載は、本発明をサポートする実施の形態が、明細書または図面に記載されていることを確認するためのものである。従って、明細書または図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２２】
本発明の一側面の情報処理装置（例えば、図１の情報通信端末１）は、他の装置と情報を授受することが可能な情報処理装置であって、通信対象となる前記他の装置と通信を行う通信手段（例えば、図１１の無線通信モジュール１４８）と、前記通信手段による前記他の装置との通信の状態に関する情報を取得する通信状態情報取得手段（例えば、図４１の登録ユーザ情報取得部８７４、ブロードキャスト情報取得部８７５、または、Online/Offline判別部８７６）と、前記通信状態情報取得手段により取得された通信の状態に関する情報に基づいて、前記他の装置の保有者に対応するアイコンとして表示される前記アイコンを決定し、前記アイコンの配列を決定する決定手段（例えば、図４１のアイコン配列決定部８７７）と、前記決定手段により決定された前記アイコンの配列に基づいて、前記アイコンを含む表示画像を生成する画像生成手段（例えば、図４１の表示画像生成部８８０）と、前記画像生成手段により生成された前記表示画像を表示する表示手段（例えば、図２の表示部２１）とを備える。
【００２３】
前記通信手段による通信モードは複数（例えば、アドホックモードとインフラストラクチャモード）存在し、前記決定手段は、前記通信モードに基づいて表示される前記アイコンを変更することができる。
【００２４】
前記表示手段により表示された前記アイコンのうち、ユーザによる前記アイコンの選択決定を示す操作入力を取得する操作入力取得手段（例えば、図４１の操作入力取得部８７１）と、前記操作入力取得手段により取得された、前記ユーザの操作入力を基に、選択決定された前記アイコンに対応する前記他の装置に対して、前記通信手段により情報を送出することが可能なアプリケーションを抽出する抽出手段（たとえば、図４１の利用可能アプリケーション抽出部８７８）とを更に備えることができ、前記画像生成手段は、前記抽出手段により抽出された前記アプリケーションの一覧を示すアプリケーション一覧画面を更に制御し、前記表示手段は、前記画像生成手段により生成された前記アプリケーション一覧画面を更に表示することができる。
【００２５】
前記通信手段による通信モードは複数（例えば、アドホックモードとインフラストラクチャモード）存在し、前記通信手段は、複数の前記通信モードを、所定の期間ずつ、繰り返して実行することができ、前記通信状態情報取得手段は、それぞれの前記通信モードにおいて、前記通信手段による前記他の装置との通信の状態に関する情報を取得することができる。
【００２６】
所定の通信モードにおける登録ユーザの情報を記憶する記憶手段（例えば、図１１の大容量フラッシュメモリ１５４）を更に備えることができ、前記通信状態情報取得手段は、前記記憶手段により記憶されている所定の前記通信モードにおける前記登録ユーザの情報を取得する登録ユーザ情報取得手段（例えば、図４１の登録ユーザ情報取得部８７４）を含むことができ、前記決定手段は、前記通信状態情報取得手段により取得された前記登録ユーザの情報を基に、前記アイコンの配列を決定することができる。
【００２７】
前記通信状態情報取得手段は、アクセスポイントを介さずに装置同士が直接無線通信を行う通信モード（例えば、アドホックモード）において、通信範囲内に存在する他の装置から送出された情報を取得する送出情報取得手段（例えば、図４１のブロードキャスト情報取得部８７５）を含むことができ、前記決定手段は、前記送出情報取得手段により取得された通信範囲内に存在する前記他の装置から送出された情報を基に、前記アイコンの配列を決定することができる。
【００２８】
前記通信状態情報取得手段は、アクセスポイントを介して通信を行う通信モード（例えば、インフラストラクチャモード）において、所定の前記アクセスポイントを介して通信可能な登録ユーザが保有している他の装置は、現在、オンライン状態となっているか否かを検出するオンライン状態検出手段（例えば、図４１のOnline/Offline判別部８７６）を含むことができ、前記決定手段は、前記オンライン状態検出手段による検出結果を基に、前記アイコンの配列を決定することができる。
【００２９】
本発明の一側面の情報処理方法は、他の装置と情報を授受することが可能な情報処理装置（例えば、図１の情報通信端末１）の情報処理方法であって、前記他の装置との通信の状態に関する情報を取得（例えば、図５２のステップＳ２、ステップＳ４、ステップＳ８、ステップＳ９、図５３のステップＳ１３、図５４のステップＳ２７、ステップＳ３０などの処理）し、取得された通信の状態に関する情報に基づいて、前記他の装置の保有者に対応するアイコンとして表示される前記アイコンを決定し、前記アイコンの配列を決定し、決定された前記アイコンの配列に基づいて、前記アイコンを含む表示画像を生成し、生成された前記表示画像を表示する（例えば、図５２のステップＳ７、ステップＳ１１、ステップＳ１２、図５３のステップＳ１５、ステップＳ１６、図５４のステップＳ３１、ステップＳ３２などの処理）ステップを含む。
【００３０】
本発明の一側面のプログラムは、通信対象となる他の装置をユーザが指定するための補助となる表示画面の表示を制御する処理をコンピュータに実行させるためのプログラムであって、前記他の装置との通信の状態に関する情報を取得（例えば、図５２のステップＳ２、ステップＳ４、ステップＳ８、ステップＳ９、図５３のステップＳ１３、図５４のステップＳ２７、ステップＳ３０などの処理）し、取得された通信の状態に関する情報に基づいて、前記他の装置の保有者に対応するアイコンとして表示される前記アイコンを決定し、前記アイコンの配列を決定し、決定された前記アイコンの配列に基づいて、前記アイコンを含む表示画像を生成し、生成された前記表示画像の表示を制御する（例えば、図５２のステップＳ７、ステップＳ１１、ステップＳ１２、図５３のステップＳ１５、ステップＳ１６、図５４のステップＳ３１、ステップＳ３２などの処理）ステップを含む処理をコンピュータに実行させる。
【００３１】
以下、図を参照して、本発明の実施の形態について説明する。
【００３２】
図１を参照して、本発明を適用した情報通信端末１−１乃至情報通信端末１−３を含む情報通信システムについて説明する。なお、図１において、情報通信端末１−１乃至情報通信端末１−３は、同一の機能を有する装置である。
【００３３】
情報通信端末１-１乃至情報通信端末１-３は、例えば、各種プログラムを実行して、無線および有線を介した情報通信機能、各種情報を記録する機能、音声や映像を再生する機能、記録された各種情報、再生された映像、ユーザの操作入力の補助となる情報（いわゆるＧＵＩ（Graphic User Interface））などを表示する機能、各種入力デバイスを備えてユーザの操作入力を受ける機能などを有している。以下の説明においては、情報通信端末１-１乃至情報通信端末１-３を個々に区別する必要がない場合、単に、情報通信端末１と称する。
【００３４】
具体的には、情報通信端末１は、例えば、802.11bの規格に対応したＷＬＡＮ（Wireless Local Area Network；無線LAN）機能を有して他の装置と接続し、情報を授受することができる。情報通信端末１は、WLANにおいて、アクセスポイントを介して通信を行うインフラストラクチャモードと、アクセスポイントを介さずに機器同士が直接通信を行うアドホックモードのいずれかを選択的に用いることができる。また、情報通信端末１は、例えば、USB(Universal Serial Bus)2.0の規格に対応して有線で他の機器と接続し、情報を授受することができる。なお、情報通信端末１のUSB接続は、MSC（MassStorageClass）とMTP（Media Transfer Protocol）に対応し、選択的に用いることができる。
【００３５】
すなわち、情報通信端末１は、所定のサービスに加入している機器、または、所定のアプリケーションプログラムがインストールされ、所定の設定が施されている機器であれば、情報通信端末１同士でなくとも、有線、または、無線を介して、また、所定のアクセスポイントを介して、または、アクセスポイントを介さずに、情報を授受することが可能である。
【００３６】
情報通信端末１は、例えば、一般的な揮発性メモリ以外に、FlashMemory（例えば、１GB程度の記憶容量を有する）を備えている。また、情報通信端末には、必要に応じて、例えばハードディスクなどの、さらに大容量の記憶部を備えるようにしてもよい。また、情報通信端末１は、表示デバイスとしてＬＣＤ（Liquid Crystal display）を備え、入力デバイスとしてキーボードを備えているが、必要に応じて、マウスやジョイスティックなどの他の入力デバイスを接続するようにしてもよいし、ＬＣＤとともにタッチパネルを備えるようにしてもよい。
【００３７】
また、情報通信端末１は、例えば、ATRAC（Advanced TRansform Acoustic Coding）3、MP3（MPEG Audio Layer-3）、WMA（Windows（登録商標） Media Audio）などのオーディオコーディック方式に対応して、供給された音声データを記録または再生することができる。そして、情報通信端末１は、いわゆる、Photo Viewer機能を備えており、画像データを記憶するとともに、その画像データを再生表示することができる。さらに、情報通信端末１は、例えば、OpenMG、WMT10（Janus）などの各種のDRM（Digital Rights Management；デジタル著作権管理）に対応し、著作者の許諾を得ない違法なデータの配布・交換などを防止することができる。
【００３８】
また、情報通信端末１は、例えば、ＩＰ電話、インスタントメッセンジャー、電子メール、ウェブブラウザ、テキストエディタなどの、各種のアプリケーションプログラムをインストールして実行することができる。
【００３９】
また、情報通信端末１は、ユーザが片手で把持可能な大きさで構成され、ユーザにより携帯が可能なようになされると好適である。
【００４０】
情報通信端末１は、無線通信により、直接、インターネットなどのネットワーク１１と接続可能であり、ネットワーク１１を介して、各種サーバ１２、パーソナルコンピュータ１３、または、他の情報通信端末１（図中、情報通信端末１-１と情報通信端末１-２で示される）と情報を授受することができる。
【００４１】
さらに、情報通信端末１は、他の情報通信端末１（図中、情報通信端末１-１と情報通信端末１-２で示される）と、無線通信で、直接、情報を授受することも可能である。
【００４２】
また、情報通信端末１は、パーソナルコンピュータ１３とも接続可能であり（図中の情報通信端末１-３）、パーソナルコンピュータ１３と情報を授受することができるとともに、パーソナルコンピュータ１３が接続されているネットワーク１１（例えば、インターネット）を介して、各種サーバや他の情報通信端末と情報を授受することができる。
【００４３】
また、情報通信システムのネットワーク１１には、さらに多くの情報通信端末１、サーバ１２、または、パーソナルコンピュータ１３を接続することができるのは言うまでもない。
【００４４】
次に、図２乃至図８を参照して、情報通信端末１の外形について説明する。図２は、情報通信端末１の正面外形図である。
【００４５】
情報通信端末１は、その正面に、表示部２１、ＷＬＡＮモード切替ボタン２２、ＨＯＭＥボタン２３、ＢＡＣＫボタン２４、オプションボタン２５、４方向キー２６、決定ボタン２７、スピーカ２８、および、マイク２９を備え、表示部２１に向かって左側側面に、ＷＬＡＮ ＯＮ/ＯＦＦスイッチ３０、ＷＬＡＮ状態通知発光部３１、電源状態通知発光部３２、および、電源スイッチ３３を備え、図中、表示部２１に向かって右側側面に通信状態通知発光部３４を備え、表示部２１に向かって下側側面に、ミュージックキー３５を備えている。
【００４６】
表示部２１は、例えば、ＬＣＤなどの平面ディスプレイにより構成され、各種情報を表示可能なようになされている。表示部２１に表示される情報のうち、情報通信端末１の状態を示す情報の表示については、図８および図９を用いて説明する。また、情報通信端末１の各種処理時において表示部２１に表示される情報についても、適宜、後述する。
【００４７】
ＷＬＡＮモード切替ボタン２２は、無線ＬＡＮのONとOFFを切り替える操作入力を行うためのボタンである。
【００４８】
ＨＯＭＥボタン２３は、表示部２１に現在表示されている情報の種類にかかわらず、表示部２１に図１４を用いて後述するＨＯＭＥメニューを表示させるため操作入力を行うためのボタンである。
【００４９】
ＢＡＣＫボタン２４は、表示画面を１つ前の画面に戻すための操作入力を行うためのボタンである。
【００５０】
オプションボタン２５は、オプションの各種設定のための表示画面を表示させるための操作入力を行うためのボタンである。
【００５１】
４方向キー２６は、表示部２１に表示された情報において、例えば、カーソルを移動させたり、メニュー、または、ボタンやアイコンなどの選択を変更させるなどの操作入力を行うためのキーである。
【００５２】
決定ボタン２７は、選択状態のメニュー、または、ボタンやアイコンなどの選択を決定するための操作入力を行うためのボタンである。
【００５３】
スピーカ２８は、例えば、ＩＰ電話が用いられた場合などにおいて、通話の音声を出力したり、情報通信端末１に記録された音声データのうち、所定のアプリケーションにより再生される音声を出力するスピーカである。
【００５４】
マイク２９は、例えば、ＩＰ電話が用いられた場合などにおいて、通話の音声を入力したり、所定のアプリケーションにより取得される音声を集音する。
【００５５】
ＷＬＡＮ ＯＮ/ＯＦＦスイッチ３０は、情報通信端末１の無線通信機能の有効と無効を切り替える場合にユーザにより操作されるスイッチである。
【００５６】
ＷＬＡＮ状態通知発光部３１は、例えば、１つまたは複数のＬＥＤ（light emitting diode）などの発光素子および導光管で構成される、情報通信端末１の無線通信機能の有効と無効をユーザに通知するための発光部であり、例えば、無線通信機能が有効である場合に点灯、無効である場合に消灯される。点滅点灯時、通信状態通知発光部３４は、導光管を介してＬＥＤを発光させる。
【００５７】
電源状態通知発光部３２は、例えば、１つまたは複数のＬＥＤ（light emitting diode）などの発光素子で構成される、情報通信端末１の電源が入っているか否かや、充電中であるか、充電が終了されたかなどをユーザに通知するための発光部であり、例えば、電源ON時に点灯、電源OFF時に消灯され、充電時には、電源ON時とは異なる色で点灯されるようになされている。
【００５８】
電源スイッチ３３は、情報通信端末１の電源を入り切りするためのスイッチである。
【００５９】
通信状態通知発光部３４は、例えば、１つまたは複数のＬＥＤ（light emitting diode）などの発光素子で構成される、情報通信端末１の通信状態をユーザに通知するための発光部であり、例えば、WLANインフラストラクチャモード時とWLANアドホックモード時とで、異なる色で点灯したり、IP電話の着信時に、さらに異なる色で点滅点灯するなど、無線通信の状態に応じた色で、点灯、点滅、消灯を行うことができる。
【００６０】
ここで、WLANインフラストラクチャモードとは、無線LANアクセスポイントを介して通信を行う方式のことであり、WLANアドホックモードとは、無線LANアクセスポイントを介せずに、直接装置同士でデータを授受する方式のことである。
【００６１】
ミュージックキー３５は、情報通信端末１において音声データを再生する場合の、再生開始、再生終了、早送り、巻き戻し、一旦停止、および、正逆方向ＡＭＳ（Auto Music Scan;頭出し）などの操作入力を行うためのキーである。
【００６２】
次に、図３は、情報通信端末１の、裏側（表示部２１の設けられていない側）の外形図である。
【００６３】
情報通信端末１の裏側には、バッテリーカバー４１が設けられ、通信状態通知発光部３４が設けられている側に、リンガースピーカ４２、HOLDスイッチ４３、および、ボリュームボタン４４が設けられている。
【００６４】
バッテリーカバー４１は、情報通信端末１の各部に電源を供給するバッテリを装着する装着部分とバッテリのカバーである。
【００６５】
リンガースピーカ４２は、主に、情報通信端末１に蓄積されている音声データのうちの楽曲データや、他の情報通信端末１などからストリーミングされた楽曲データなどを再生出力したり、ＩＰ電話が用いられた場合の呼び出し音などを再生出力するスピーカである。
【００６６】
HOLDスイッチ４３は、例えば、ポケットやバッグの中にしまわれた情報通信端末１において、いずれかのボタンやスイッチが、ユーザの意に反して操作されてしまうようなことが無いように、すべてのボタンやスイッチ等の入力を無効にする場合に操作されるスイッチである。
【００６７】
ボリュームボタン４４は、リンガースピーカ４２から出力される音声のボリュームを調節する場合にユーザから操作されるものである。
【００６８】
次に、図４は、情報通信端末１の、上側側面（WLAN ON/OFFスイッチ３０が設けられている側）の外形図である。
【００６９】
情報通信端末１の上側側面には、USBコネクタ５１およびコネクタジャック５２が設けられている。
【００７０】
USBコネクタ５１には、ＵＳＢケーブルが接続され、他の装置と情報を授受することができる。USBコネクタ５１としては、少なくともダウンストリーム側のコネクタ（パーソナルコンピュータ１３と接続するための、いわゆるシリーズＢやシリーズ・ミニＢ）が設けられている必要があり、さらに、周辺機器を接続するためのアップストリーム用のコネクタ（いわゆるシリーズＡ）が設けられているものとしてもよい。また、情報通信端末１は、ＵＳＢ接続により、電源の供給を受けることも可能である。
【００７１】
コネクタジャック５２は、例えば、１０pinの平型メスコネクタなどで構成され、ヘッドホンやマイクなどの音声入出力デバイスを接続することができる。
【００７２】
ＤＣジャック５３は、ＤＣ電源の供給を受けるものである。一般的には、ＤＣジャック５３には、ＡＣ／ＤＣアダプタが装着され、家庭用電源（１００Ｖ交流）がＡＣ／ＤＣアダプタにより所定電圧の直流に変換されて供給されるようになされている。
【００７３】
次に、図５は、情報通信端末１の表示部２１が設けられている側から向かって右側面（通信状態通知発光部３４が設けられている側）の外形図である。
【００７４】
通信状態通知発光部３４、HOLDスイッチ４３、および、ＤＣジャック５３は、情報通信端末１の右側面において、図５に示されるように配置されている。
【００７５】
次に、図６は、情報通信端末１の表示部２１が設けられている側から向かって左側面（WLAN ON/OFFスイッチ３０および電源スイッチ３３が設けられている側）の外形図である。
【００７６】
WLAN ON/OFFスイッチ３０、WLAN状態通知発光部３１、電源状態通知発光部３２、および、電源スイッチ３３は、情報通信端末１の左側面において、図６に示されるように配置されている。
【００７７】
そして、図７は、情報通信端末１の、下側側面（電源スイッチ３３やミュージックキー３５が設けられている側）の外形図である。
【００７８】
電源状態通知発光部３２、電源スイッチ３３、通信状態通知発光部３４、ミュージックキー３５、HOLDスイッチ４３、および、ボリュームボタン３３は、情報通信端末１の下側側面において、図７に示されるように配置されている。
【００７９】
そして、情報通信端末１は、表示部２１、ＷＬＡＮモード切替ボタン２２、ＨＯＭＥボタン２３、ＢＡＣＫボタン２４、オプションボタン２５、４方向キー２６、決定ボタン２７、スピーカ２８、および、マイク２９が設けられている正面の筐体６１の部分を上側（表示部２１の表示面に向かって上側）にスライドさせることができるように構成されており、筐体６１の部分がスライドされることにより、キーボード７１が現れるようになされている。図８は、筐体６１がスライドされた場合の外観図である。
【００８０】
次に、電源およびＷＬＡＮに関する操作入力と、図２乃至図７を用いて説明したそれぞれの発光部の状態について説明する。
【００８１】
まず、情報通信端末１の電源がOFFである状態においては、電源状態通知発光部３２を含むいずれの発光部も点灯しない。そして、電源OFFの状態において、電源スイッチ３３が操作され、電源ONの状態となった場合、電源状態通知発光部３２は、電源ONであることを示す所定の色で点灯し、ユーザからの、通常操作をうけることができる状態となる。
【００８２】
情報通信端末１の電源がONである状態、すなわち、電源状態通知発光部３２が、電源が入っていることを示す色で点灯している状態において、WLANがOFFの状態、すなわち、WLAN状態通知発光部３１が消灯している状態から、WLANをONする場合、ユーザは、WLAN ON/OFFスイッチ３０を操作する。例えば、WLAN ON/OFFスイッチ３０がスライド式のスイッチであり、所定方向にスライドさせることにより、ON/OFFの切り替えが行われる場合、ユーザは、WLAN ON/OFFスイッチ３０をスライドさせる。その操作によって、情報通信端末１は、無線通信可能状態となり、WLAN状態通知発光部３１が点灯する。
【００８３】
WLAN ON/OFFスイッチ３０が操作されて、無線通信が開始された場合、情報通信端末１は、WLANインフラストラクチャモードとWLANアドホックモードとのいずれかの通信モードになる。いずれの通信モードが選択されるかは、設定によって決められていてもよいし、情報通信端末１が最後に無線通信を行ったときの通信モードとなるようにしてもよい。
【００８４】
通信状態通知発光部３４は、情報通信端末１の現在の通信モードが、WLANインフラストラクチャモードとWLANアドホックモードとのいずれであるかに基づいて、所定の色で点灯する。また、通信状態通知発光部３４は、接続状態に関係なくWLAN状態通知発光部３１が点灯した後に点灯するようにしてもよいし、接続が確定した際に点灯するようにしてもよい。また、情報通信端末１が受信する電波の強度に伴って、通信状態通知発光部３４の光度が変化するようにしても良い。
【００８５】
情報通信端末１の電源がONである状態、すなわち、電源状態通知発光部３２が、電源が入っていることを示す色で点灯している状態で、かつ、通信モードがWLANインフラストラクチャモード状態、すなわち、WLAN状態通知発光部３１が点灯しているとともに、通信状態通知発光部３４がWLANインフラストラクチャモードであることを示す所定の色で点灯されている状態において、通信モードを、WLANインフラストラクチャモードからWLANアドホックモードに切り替える場合、ユーザは、WLANモード切替ボタン２２を操作する。例えば、WLANモード切替ボタン２２が押下されることにより、情報通信端末１の通信モードが、WLANインフラストラクチャモードとWLANアドホックモードとで切り替わるようになされている場合、ユーザは、WLANモード切替ボタン２２を押下する。その操作によって、通信モードはWLANアドホックモードに切り替えられ、通信状態通知発光部３４の点灯色は、WLANインフラストラクチャモードであることを示す所定の色からWLANアドホックモードであることを示す所定の色に変更される。
【００８６】
また、情報通信端末１の通信モードがWLANアドホックモード状態、すなわち、WLAN状態通知発光部３１が点灯しているとともに、通信状態通知発光部３４がWLANアドホックモードであることを示す所定の色で点灯されている状態において、通信モードがWLANアドホックモードからWLANインフラストラクチャモードに切り替えられる場合にも、ユーザは、WLANモード切替ボタン２２を操作する。その操作によって、情報通信端末１の通信モードはWLANインフラストラクチャモードに切り替えられ、通信状態通知発光部３４の点灯色は、WLANアドホックモードであることを示す所定の色からWLANインフラストラクチャモードであることを示す所定の色に変更される。
【００８７】
そして、情報通信端末１の電源がONである状態、すなわち、電源状態通知発光部３２が、電源が入っていることを示す色で点灯している状態からWLANをOFFする場合、ユーザは、WLAN ON/OFFスイッチ３０操作する。例えば、WLAN ON/OFFスイッチ３０がスライド式のスイッチであり、所定方向にスライドさせることにより、ON/OFFの切り替えが行われる場合、ユーザは、WLAN ON/OFFスイッチ３０をスライドさせる。その操作によって、情報通信端末１のWLANによる通信は終了され、WLAN状態通知発光部３１が消灯する。
【００８８】
そして、通信状態通知発光部３４が、接続状態に関係なくWLAN状態通知発光部３１が点灯した後に点灯するようになされている場合、通信状態通知発光部３４は、WLAN状態通知発光部３１が消灯するとともに、消灯する。また、通信状態通知発光部３４が、接続が確定した際に点灯するようになされている場合、通信状態通知発光部３４は、WLANがONであっても無線接続が切れた場合に消灯するようになされ、接続状態でWLANがOFFされたときには、WLAN状態通知発光部３１が消灯するとともに、消灯する。
【００８９】
また、電源OFF状態には、２つの状態があり、その１つ目は、ユーザにより電源OFF操作が行われた後操作入力が行われない状態が３日以内である電源OFF状態１（User OFF状態）である。情報通信端末１は、電源OFF状態１において電源ON操作を受けた場合、直ちに起動することができるようになされている（直ちに起動することができるように、後述するプロセッサなどには電源を供給しておく）。
【００９０】
２つ目の状態は、ユーザにより電源OFF操作が行われた後操作入力が行われない状態が３日以上続いた状態であるか、または、バッテリを抜いている状態である、電源OFF状態２（Deep OFF状態）である。情報通信端末１は、電源OFF状態２において電源ON操作を受けた場合、起動するまでに、例えば、３０秒などの所定の時間が必要となる（後述するプロセッサなどに電源を供給しない）。
【００９１】
また、情報通信端末１は、ＵＳＢコネクタ５１を介してUSB接続が行われることにより、または、ＤＣジャック５３からＤＣ電源が供給される（一般的には、家庭用AC電源などから、ＡＣ/ＤＣコンバータを介して、ＤＣ電源の供給を受ける）ことにより、充電することができる。充電中において、電源状態通知発光部３２は、充電中であることを示す所定の色で点灯するようになされている。
【００９２】
次に、表示部２１において基本的に常時表示されている常時表示パネルについて説明する。
【００９３】
常時表示パネル１０１は、例えば、図９に示されるように、表示部２１の下部１辺に沿った所定の領域に設けられており、基本的には、常に表示され、例えば、図１０に示されるような、情報通信端末１の状態を示す各種の情報を表示するようになされている。
【００９４】
常時表示パネル１０１には、例えば、電池残量表示エリア１１１、WLAN電波強度表示エリア１１２、WLAN状態表示エリア１１３、通信利用アプリケーション状態表示エリア１１４、キーボード入力モード表示エリア１１５、および、時計表示エリア１１６が設けられている。
【００９５】
電池残量表示エリア１１１には、電池の残量を示す情報が表示される。具体的には、電池残量表示エリア１１１には、例えば、0%、25%、50%、75%、100%の粒度で電池の残量が表示され、充電中は充電中を示すアニメーションが表示される。
【００９６】
WLAN電波強度表示エリア１１２には、WLANの強度を示す情報が表示される。具体的には、WLAN電波強度表示エリア１１２には、例えば、0、１、２、３の4段階でWLANの強度が表示される。
【００９７】
WLAN状態表示エリア１１３には、WLANのモードと接続状態を示す情報が表示される。具体的には、WLAN状態表示エリア１１３には、例えば、WLANモードが、OFF、インフラストラクチャモード、アドホックモードのいずれであるかを示す情報や、接続状態が、接続中またはOFFLINEのいずれであるかを示す情報などが表示される。
【００９８】
通信利用アプリケーション状態表示エリア１１４には、WLANのインフラストラクチャモードおよびアドホックモードのいずれかを用いて通信が実行されるアプリケーションの実行状態に関する情報が表示される。具体的には、例えば、インフラストラクチャモードにおいてIP電話アプリケーションが実行されている場合、通信利用アプリケーション状態表示エリア１１４には、IP電話アプリケーションの実行状態が表示され、インフラストラクチャモードにおいてインスタントメッセンジャーアプリケーションが実行されている場合、通信利用アプリケーション状態表示エリア１１４には、インスタントメッセンジャーアプリケーションの実行状態が表示され、アドホックモードにおいて、アドホック接続を利用するアプリケーションが実行されている場合、通信利用アプリケーション状態表示エリア１１４には、例えば、一対一通信中か否かを示す情報など、アドホックモードの接続情報が表示される。
【００９９】
キーボード入力モード表示エリア１１５には、キーボード上の特殊キー(例えば、ALT、NUM、SHIFT、Fnなど）の入力モードが示される。また、キーのHOLD時には、キーボード入力モード表示エリア１１５に、HOLDマークが表示される。
【０１００】
そして、時計表示エリア１１６には、現在時刻情報が表示される。
【０１０１】
なお、常時表示パネル１０１には、上述した以外の情報通信端末１の状態を示す各種の情報を表示するようにしてもよいことは言うまでもない。
【０１０２】
次に、図１１は、情報通信端末１の内部構成例を示すブロック図である。
【０１０３】
情報通信端末１は、主にアプリケーションプログラムの実行などを司るアプリケーションプロセッサ１３１と、音声データの管理、オーディオコーディック、および、著作権管理などの機能を司るオーディオプロセッサ１３２とを備えている。アプリケーションプロセッサ１３１とオーディオプロセッサ１３２とは、例えば、１つ、または複数のシリアルインタフェース、または、パラレルインタフェースにより接続され、制御信号やデータの授受が行われるようになされている。
【０１０４】
アプリケーションプロセッサ１３１は、クロック発生部１４１により発生されるクロックに基づいて、各種処理を実行するものである。アプリケーションプロセッサ１３１により実行される機能の詳細については、図１２を参照して後述する。
【０１０５】
アプリケーションプロセッサ１３１には、表示モジュール１４２、バックライトドライバ１４３、発光モジュール１４４、オーディオ変換モジュール１４５、フラッシュメモリ１４６、メモリ１４７、無線通信モジュール１４８、キーボードモジュール１４９、および、入力モジュール１５０が接続されている。入力モジュール１５０は、オーディオプロセッサ１３２にも接続されている。
【０１０６】
表示モジュール１４２は、表示部２１を含んで構成され、表示部２１がＬＣＤで構成されている場合は、ＬＣＤドライバ、ＬＣＤのバックライト、必要に応じて、導光管など、表示部２１による情報の表示に必要となるもので構成されており、アプリケーションプロセッサ１３１の制御に基づいて、各種情報を表示する。
【０１０７】
バックライトドライバ１４３は、表示部２１のバックライトのドライバである。
【０１０８】
発光モジュール１４４は、WLAN状態通知発光部３１、電源状態通知発光部３２、および、通信状態通知発光部３４と、これらの発光部に含まれる発光素子のドライバにより構成されており、アプリケーションプロセッサ１３１の制御に基づいて、WLAN状態通知発光部３１、電源状態通知発光部３２、および、通信状態通知発光部３４のそれぞれを、所定の色で点灯、点滅、または、消灯させる。
【０１０９】
オーディオ変換モジュール１４５は、例えば、PLL回路、A/Dコンバータ、D/Aコンバータ、DSPコアなどを内蔵しており、DSPコアにおいては、ハイパス・フィルタやノッチ・フィルタなどのフィルタリング処理やイコライザなどの処理を行うことができ、アプリケーションプロセッサ１３１の制御に基づいて、マイク２９、または、コネクタジャック５２に接続されたマイクにより集音された音声をA/D変換して、フィルタリングなどの所定の処理を施した後、アプリケーションプロセッサ１３１に供給したり、アプリケーションプロセッサ１３１から供給されたオーディオデータをD/A変換し、スピーカ２８に音声データを出力して再生させるか、または、オーディオ信号処理モジュール１５２を介して、コネクタジャック５２に接続されたヘッドホンなどに音声データを出力して再生させる。
【０１１０】
フラッシュメモリ１４６は、例えば、６４MB程度の記憶容量を有しており、アプリケーションプロセッサ１３１において実行されるプログラムや、プログラムの実行に必要な情報や各種変数が設定されたレジスタなど、電源供給停止後も消去されない情報を記憶する。
【０１１１】
メモリ１４７は、例えば、SDRAM(Synchronous Dynamic Random Access Memory)などで構成され、例えば、６４MB程度の記憶容量を有しており、アプリケーションプロセッサ１３１において実行される処理に必要な情報を記憶する。
【０１１２】
無線通信モジュール１４８は、例えば、802.11bの規格に対応したＷＬＡＮの機能を実現するユニットであり、アプリケーションプロセッサ１３１の制御に基づいて、無線通信を実行し、他の装置と直接、または、アクセスポイントおよびネットワークを介して、情報を授受する。
【０１１３】
キーボードモジュール１４９は、キーボード７１を含んで構成され、ユーザの操作入力を受け、操作内容を示す信号を、アプリケーションプロセッサ１３１に供給する。
【０１１４】
入力モジュール１５０は、ＷＬＡＮモード切替ボタン２２、ＨＯＭＥボタン２３、ＢＡＣＫボタン２４、オプションボタン２５、４方向キー２６、決定ボタン２７、ＷＬＡＮ ＯＮ/ＯＦＦスイッチ３０、電源スイッチ３３、ミュージックキー３５、HOLDスイッチ４３、および、ボリュームボタン４４に対応し、ユーザの操作入力を受け、操作内容を示す信号を、アプリケーションプロセッサ１３１またはオーディオプロセッサ１３２に供給する。
【０１１５】
オーディオプロセッサ１３２は、クロック発生部１５１−１またはクロック発生部１５１-２により発生されるクロックに基づいて、各種処理を実行するものである。オーディオプロセッサ１３２は、主に、オーディオデータを扱うプロセッサであるので、オーディオデータのコーディック処理などに用いられる基本クロックと、他の信号処理に用いられる基本クロックとの２つのクロック入力を受けるようにすると好適である。オーディオプロセッサ１３２により実行される機能の詳細については、図１３を参照して後述する。
【０１１６】
オーディオプロセッサ１３２には、上述した入力モジュール１５０に加えて、オーディオ信号処理モジュール１５２、USBコネクタ５１、リアルタイムクロック（RTC）１５３、大容量フラッシュメモリ１５４、メモリバス１５５が接続されており、メモリバス１５５には、フラッシュメモリ１５６およびメモリ１５７が接続されている。また、オーディオプロセッサ１３２は、コネクタジャック５２の挿抜検出信号も供給される。
【０１１７】
オーディオ信号処理モジュール１５２は、例えば、D/Aコンバータ、デジタルフィルタ、音声出力（ヘッドホンまたはスピーカ）アンプなどを内蔵しており、オーディオプロセッサ１３２、または、オーディオ変換モジュール１４５から供給された音声データをD/A変換し、必要に応じてフィルタリングを施して増幅し、リンガースピーカ４２またはコネクタジャック５２に供給して、再生出力する。また、オーディオ信号処理モジュール１５２は、オーディオプロセッサ１３２から、オーディオ出力のみならず、いわゆるビープ音やIP電話などの呼び出し音の出力の指令を受け、リンガースピーカ４２またはコネクタジャック５２からビープ音または呼び出し音を出力する。
【０１１８】
リアルタイムクロック（RTC）１５３は、現在時刻をカウントするクロックであり、現在時刻を、オーディオ信号処理モジュール１５２に供給する。
【０１１９】
大容量フラッシュメモリ１５４は、例えば、１ＧＢ乃至数ＧＢなど、大きな記憶容量を有するフラッシュメモリであり、オーディオプロセッサ１３２から供給された情報を記憶する。なお、大容量フラッシュメモリ１５４には、オーディオプロセッサ１３２を介して供給された、アプリケーションプロセッサ１３１の処理により生成または取得された情報も記憶される。
【０１２０】
大容量フラッシュメモリ１５４には、例えば、オーディオプロセッサ１３２の処理により再生可能な楽曲データなどのコンテンツデータ、各種アプリケーションプログラムによって生成されたデータ、例えば、インスタントメッセンジャー、IP電話、チャット、電子メールなどのツールを用いて他のユーザと情報を授受する場合に用いられる、他のユーザの登録情報などが記憶されている。更に、大容量フラッシュメモリ１５４には、他のユーザが有する装置に対して送付される、自分自身（装置およびユーザ）に関する登録情報も記憶され、ユーザにより、適宜、設定変更可能なようになされている。
【０１２１】
フラッシュメモリ１５６は、例えば、６４MB程度の記憶容量を有しており、オーディオプロセッサ１３２において実行されるプログラムや、プログラムの実行に必要な情報や各種変数が設定されたレジスタなど、電源供給停止後も消去されない情報を記憶する。
【０１２２】
メモリ１５７は、例えば、SDRAMなどで構成され、６４MB程度の記憶容量を有しており、オーディオプロセッサ１３２において実行される処理に必要な情報を記憶する。
【０１２３】
また、USBコネクタ５１には、例えば、USBケーブルを介して、例えば、図１を用いて説明したように、パーソナルコンピュータ１３などの他の装置が接続される。また、USBコネクタ５１には、必要に応じて、ドライブ１７１が接続され、磁気ディスク、光ディスク、光磁気ディスク、または、半導体メモリなどよりなるリムーバブルメディア１７２が適宜装着され、それらから読み出されたコンピュータプログラムが、必要に応じてフラッシュメモリ１４６またはフラッシュメモリ１５６にインストールされて、実行可能なようになされている。
【０１２４】
USBコネクタ５１を介して、例えば、パーソナルコンピュータ１３などから供給された信号は、オーディオプロセッサ１３２に供給され、必要に応じて、アプリケーションプロセッサ１３１に供給される。また、オーディオプロセッサ１３２は、USBコネクタ５１を介して、例えば、パーソナルコンピュータ１３などに所定の信号を出力する。
【０１２５】
また、USB接続により供給されるDC電源またはDCジャック５３を介して供給されるDC電源、もしくは、情報通信端末１に装着されたバッテリ１６０から供給されるDC電源は、電源制御部１６１により、情報通信端末１の各部に供給される。
【０１２６】
次に、図１２は、アプリケーションプロセッサ１３１において実行されるソフトウエアの構成を示すソフトウェアスタックである。
【０１２７】
図１２に示されるように、アプリケーションプロセッサ１３１において実行されるソフトウエアの構成は、下位側から、ハードウェア層、デバイスドライバ層、ＯＳ層、ミドルウェア層、および、アプリケーション層が規定されている。
【０１２８】
デバイスドライバ層は、アプリケーションプロセッサ１３１と、アプリケーションプロセッサ１３１に接続されているハードウェアを動作させるための専用ソフトウェアであり、具体的には、無線通信モジュール１４８を動作させるためのデバイスドライバ（ＷＬＡＮ）、表示部２１に画像を表示させるための表示モジュール１４２に含まれるＬＣＤを動作させるためのＬＣＤドライバ（ＬＣＤ）、キーボードモジュール１４９を動作させるためのキーボードドライバ（ＫＥＹ）、アプリケーションプロセッサ１３１の汎用ポートを動作させるためのデバイスドライバ（ＧＰＩＯ）、発光モジュール１４４の、WLAN状態通知発光部３１、電源状態通知発光部３２、および、通信状態通知発光部３４のそれぞれに含まれる発光素子を動作させるためのドライバ（ＬＥＤ）が含まれている。
【０１２９】
また、デバイスドライバ層には、さらに、その他のデバイスドライバ（Ｏｔｈｅｒ）として、例えば、バックライトドライバ１４３を動作させるためのドライバ、各種のメモリドライバ、オーディオ変換モジュール１４５を動作させるためのデバイスドライバ、情報通信端末１がマウスなどの入力デバイスを有している場合には、そのマウスを動作させるためのマウスドライバ、情報通信端末１が情報を記憶するためにハードディスクを内部に有している場合には、ハードディスクを駆動するためのハードディスクドライバ、情報通信端末１が外部のプリンタと接続されており、プリンタに情報を出力して印刷することができるようになされている場合には、そのプリンタを駆動するためのプリンタドライバなど、必要なデバイスドライバが、適宜、含まれる。
【０１３０】
次に、ＯＳ層には、アプリケーションプロセッサ１３１の基本的な動作を制御するオペレーティングシステム（ＯＳ）がインストールされている。ＯＳは、デバイスドライバによって動作される各種資源を管理するものであり、例えば、後述するミドルウェア層、または、アプリケーション層において実行されるいずれかのアプリケーションプログラムが発生した命令をデバイスドライバに伝えたり、フラッシュメモリ１４６やメモリ１４７、または、オーディオプロセッサ１３２とのデータの入出力、もしくは、キー入力や画面出力といった入出力機能の管理など、多くのアプリケーションソフトから共通して利用される基本的な機能を提供し、システム全体を管理する。ＯＳには、例えば、Windows(登録商標)95（商標）、Windows(登録商標)98（商標）、Windows(登録商標)NT（商標）、LINUX，OS/2（商標）などがある。また、ＯＳは、後述するアプリケーション層において実行されるいずれかのアプリケーションプログラムの実行コンテキスト（あるアプリケーションプログラムが利用しているレジスタセットやメインメモリイメージ、ファイルハンドルなど）などのソフトウェア資源の一部の管理も行うようになされている。
【０１３１】
ミドルウェア層は、ＯＳ上で動作し、アプリケーションソフトに対してＯＳよりも高度で具体的な機能を提供するソフトウェアであるミドルウェアで構成されている。
【０１３２】
ミドルウェアは、ＯＳとアプリケーションソフトウェアの中間的な性格を有するものである。多くのアプリケーションソフトウェアで共通して利用される機能を個別に開発するのは非効率であるため、多くのアプリケーションソフトウェアで共通して利用される機能（多くの場合は、基本的な機能）が、ミドルウェアとして提供される。
【０１３３】
ここでは、ミドルウェアとして、ＩＰ電話などのコミュニケーションアプリケーションの基本的な機能を提供するためのコミュニケーションエンジン、インターネットやイントラネットなどのTCP/IPネットワークを使って音声データを送受信する技術の基本的な機能を提供するためのVoIP（Voice over IP）エンジン、インスタントメッセンジャーの基本的な機能を提供するためのインスタントメッセンジャーエンジン、デジタルデータの著作権を保護するために、データに暗号化などを施す機能を実現するための、DRM（Digital Rights Management）プロトコルに加えて、各種アプリケーションプログラムの実行に伴って表示部２１に表示されるＧＵＩの部品などの集まりである、グラフィックライブラリなどが用意されている。
【０１３４】
グラフィックライブラリは、アプリケーション層において実行される各種のアプリケーションプログラムの画像処理において使用される汎用性のある関数やデータの集まりである。具体的には、画像処理において使用される汎用性のあるいくつかの関数を書庫のようにまとめ、ソフトウェアの実行に必要な機能を独立したファイルとして共通化したものである。グラフィックライブラリは、一般的には、アプリケーションプログラムとは別に実行時にロードされるものとして、アプリケーションプログラムのサブルーチンと区別される。
【０１３５】
そして、最上位層のアプリケーション層においては、各種のアプリケーションプログラムが実行される。情報通信端末１においては、例えば、コミュニケーションアプリケーション、ウェブブラウザ、ファイル交換アプリケーション、パーソナルコンピュータ接続アプリケーション、オーディオプレイヤ、楽曲検索アプリケーション、ミュージックストリーミング、インスタントメッセンジャー、録音ツール、フォトビューア（Photo Viewer）、テキストエディタ（Text Editor）などの個別のアプリケーション、ＷＬＡＮ、メニュー表示ツール、セッティングツール、ステータスバー表示ツール、ＦＥＰ(Front End Processor)などのユーティリティーに加えて、これらのアプリケーションソフトウェアを管理するアプリケーションマネージャと、開発環境が用意されている。
【０１３６】
コミュニケーションアプリケーションは、コミュニケーションエンジンやＶｏＩＰエンジンを利用して、いわゆるＩＰ電話機能やボイスチャットなど、他の装置（を利用している他のユーザ）とのコミュニケーションを提供するためのものである。
【０１３７】
ウェブブラウザは、ネットワークを介して、Webページを閲覧するためのアプリケーションであり、具体的には、ネットワークを介して、HTMLファイルや画像ファイル、音楽ファイルなどをダウンロードし、レイアウトを解析して表示・再生する機能を実行する機能や、表示されたフォームを使用してユーザがデータをWebサーバに送信したり、Java（登録商標）ScriptやFlash、およびJava（登録商標）などで記述されたアプリケーションソフトを動作させる機能を実現する。
【０１３８】
ファイル交換アプリケーションは、ネットワークを通じて、または、直接接続された他の装置とデータファイルを送受信するファイルトランスファー機能を提供するためのものである。パーソナルコンピュータ接続アプリケーションは、パーソナルコンピュータ１３と接続して、情報を授受する機能を提供するためのものである。
【０１３９】
オーディオプレイヤは、楽曲データを再生する機能を提供するものである。楽曲検索アプリケーションは、内部に記憶されている楽曲データをデータベース化し、ユーザが所望する楽曲データを検索する機能を提供するためのものである。また、ミュージックストリーミングは、他の装置と楽曲データを授受してストリーミング再生を行う機能を提供するものである。
【０１４０】
インスタントメッセンジャーアプリケーションは、インターネットやＬＡＮなどのネットワーク上で同じソフトを利用している仲間がオンラインかどうかを調べ、オンラインであればチャットやファイル転送などを行うためのものである。
【０１４１】
録音ツールは、いわゆるボイスメモなどのように、マイク２９によって集音された音声データを記録し、再生する機能を提供するためのものである。フォトビューアは、内部に記録されている画像データ（写真データ）を管理し、例えば、サムネイル画像の一覧表示やスライドショー表示などの各種の表示方法での再生表示を制御するものである。テキストエディタは、キーボード７１などによるユーザの操作入力に基づいて、テキストデータの作成機能を提供するものである。
【０１４２】
また、個別アプリケーションとしては、これ以外にも、例えば、表計算ソフト、データベース作成ソフト、電子メールアプリケーション、各種ゲームなどを、適宜インストールすることが可能である。
【０１４３】
また、ＷＬＡＮは、例えば、802.11bの規格に対応したＷＬＡＮの機能を実現するためのものであり、メニュー表示ツールは、表示部２１に表示されるメニュー画面や待ち受け画面などの表示を制御するためのものである。セッティングツールは、ユーザの操作入力に基づいて、情報通信端末１の各種機能を設定するためのものであり、ステータスバー表示ツールは、図９および図１０を用いて説明した常時表示パネルに各種情報を表示させるためのものである。また、ＦＥＰは、日本語を入力するために用いられる、かな漢字変換ソフトウェアである。
【０１４４】
次に、図１３は、オーディオプロセッサ１３２において実行されるソフトウエアの構成を示すソフトウェアスタックである。
【０１４５】
まず、デバイスドライバ層は、オーディオプロセッサ１３２と、オーディオプロセッサ１３２に接続されているハードウェアを動作させるための専用ソフトウェアで構成されており、具体的には、USB接続およびUSBストリーミング機能を実現するためのドライバソフトであるＵＳＢドライバ、オーディオプロセッサ１３２に接続されている大容量フラッシュメモリ１５４を動作させるためのフラッシュメモリドライバ、オーディオ信号処理モジュール１５２を動作させるためのオーディオドライバ、および、入力モジュール１５０のうち、特に、オーディオプロセッサ１３２が実行する処理に関する操作入力を行うミュージックキー５２などを動作させるためのキードライバで構成されている。
【０１４６】
また、デバイスドライバ層には、さらに、その他のデバイスドライバとして、例えば、大容量フラッシュメモリ１５４以外のメモリを動作させるためのメモリドライバ、アプリケーションプロセッサ１３１の汎用ポートを動作させるためのデバイスドライバ（ＧＰＩＯ）など、必要なデバイスドライバが、適宜、含まれる。
【０１４７】
ＯＳは、オーディオプロセッサ１３２の基本的な動作を制御しているものである。ＯＳには、例えば、uITRONなどの、組込みシステム向けのリアルタイムＯＳが用いられると好適である。
【０１４８】
そして、ＯＳ上で、各種アプリケーションが動作する。
【０１４９】
情報通信端末１は、USB接続に際して、MSC（Mass Storage Class）とMTP（Media Transfer Protocol）との２つのUSB Modeの切り替えを行うことができる。
【０１５０】
ＭＳＣ（Mass Storage Class）は、接続されたUSB機器（ここでは、パーソナルコンピュータ１３に対する情報通信端末１）を記憶装置として認識し制御する機能を提供するためのものである。すなわち、情報通信端末１は、USBマスストレージクラス対応のインターフェイスを採用しているので、パーソナルコンピュータ１３のOSからはドライブとして認識される。これにより、パーソナルコンピュータ１３から情報通信端末１の内部に記録されているデータ（例えば、画像データや楽曲データなど）を、専用アプリケーションのみならず、例えば、エクスプローラなどのアプリケーションから読み出すことができる。
【０１５１】
ＭＴＰ（Media Transfer Protocol）は、情報通信端末１と、パーソナルコンピュータ１３とを接続し、楽曲データ、動画像データ、または、静止画データを双方向に転送するプロトコルである。MTPはUSBマスストレージクラスを含む、あらゆるストレージデバイスとの通信レイヤの上で動作し、著作権保護フラグ付きのコンテンツを安全に転送できる。
【０１５２】
ファイルシステムは、オーディオプロセッサ１３２に接続されている大容量フラッシュメモリ１５４などに記録されているファイルを管理する。ファイルシステムによって管理されているファイルのうち、楽曲データファイルは、楽曲ＤＢ（Data Base）によってデータベース化され、DRM（Digital Rights Management） Lib.（Library）によって著作権保護されている。
【０１５３】
DRM Lib.は、デジタルデータの著作権を保護するために、音楽・動画・画像などのデジタル・コンテンツに対し、暗号化などを施して不正コピーや流出を防止する機能を実現するための、各種のアプリケーションプログラムにおいて使用される汎用性のある関数やデータの集まりである。
【０１５４】
また、オーディオプロセッサ１３２に接続されている大容量フラッシュメモリ１５４などに記録されている楽曲データなどは、例えば、ＭＰ３（MPEG Audio Layer-3），ATRAC(Adaptive TRansform Acoustic Coding)３、ＷＭＡ（Windows（登録商標） Media Audio）、ＡＳＦ（Advanced Streaming Format）などの圧縮形式で圧縮されるので、それぞれの方式に基づいたオーディオコーディックによって、楽曲データなどが圧縮伸張されるようになされている。
【０１５５】
そして、オーディオプレイヤは、アプリケーションプロセッサインターフェースを介して供給される、アプリケーションプロセッサ１３１上で動作する各種ソフトウェアの制御信号に基づいて、DRM Lib.によって著作権保護され、楽曲ＤＢによって管理されている楽曲データを、オーディオコーディックによって所定の方式で圧縮伸張し、再生出力する処理を制御する。
【０１５６】
システム（Ｓｙｓｔｅｍ）コントローラは、オーディオプロセッサ１３２により実現される、上述した各種機能を制御するものである。
【０１５７】
アプリケーションプロセッサインターフェースは、アプリケーションプロセッサ１３１とオーディオプロセッサ１３２とにおける各種情報および制御信号の授受を制御する機能を提供するものである。
【０１５８】
次に、表示部２１に表示される表示画面を参照して、情報通信端末１において実行される各種アプリケーションプログラムにおける具体的な実行例について説明する。
【０１５９】
情報通信端末１において実行される各種アプリケーションプログラムには、例えば、音声データを再生するオーディオプレイヤをはじめとして、録音ツール（いわゆるボイスメモ）、フォトビューア、または、テキストエディタなどの、他の装置との通信処理を利用しないものと、ネットワークを通じて、他の装置とデータファイルを送受信するファイル交換アプリケーション、ネットワークを通じて、他の装置に映像や音声などのマルチメディアデータを送信したり、これらのマルチメディアデータを受信しながら同時に再生を行うミュージックストリーミング、IP電話などの機能を提供するコミュニケーションアプリケーション、チャットなどの機能を提供するインスタントメッセンジャー、ウェブページを閲覧するためのウェブブラウザなど、他の装置との通信処理を利用するものとがある。
【０１６０】
また、複数の機能を含むアプリケーションプログラムも存在する。例えば、音声データ（例えば、特に楽曲データ）や、静止画像または動画像データなどを、内部に記録したり、記録されたデータを整理してデータベースを構築したり、データを他の装置と授受したり、内部に記録されたデータやストリーミングされたデータを再生する処理など、他の装置との通信処理を必要としない処理と必要とする処理の両方を含むアプリケーションプログラムも存在する。
【０１６１】
図１４は、情報通信端末１の表示部２１において、例えば、電源投入後すぐに、または、ＨＯＭＥボタン２３が押下された場合に表示されるHome画面４５１の表示例を示す図である。Home画面４５１には、情報通信端末１において実行可能なアプリケーションプログラム（または複数のアプリケーションプログラムにより構成される項目）の一覧がメニュー表示されている。図１４のHome画面４５１においては、待ち受け画面（Standby Screen）４６１、コミュニケーションアプリケーション（Communication）４６２、音楽ツール（Music）４６３、ウェブブラウザ（WEB Browser）４６４、フォトビューア（Photo Viewer）４６５、テキストエディタ（Text Editor）４６６、録音ツール（Voice Memo）４６７、および、各種設定（Tools）４６８が選択可能な状態として表示されている。情報通信端末１において実行可能なアプリケーションプログラムがHome画面４５１の１画面内に表示しきれない場合、ユーザが、４方向キー２６のUPキーまたはDOWNキーを操作することにより、メニュー一覧がスクロールされ、すべてのアプリケーションが表示されるようになされている。ユーザは、Home画面４５１を表示部２１に表示させて、メニュー表示されたいずれかのアプリケーションプログラムを選択して起動させることができる。
【０１６２】
なお、ユーザによるメニューの選択決定の方法としては、例えば、ユーザが４方向キー２６のUPキーまたはDOWNキーを操作することにより、選択されている（カーソルが当たっている）メニューの位置が変更されて（カーソル位置が最も上の位置にある状態で、UPキーが押下された場合、または、カーソル位置が最も下の位置にある状態で、DOWNキーが押下された場合にのみ、メニュー一覧の表示がスクロールされる）、ユーザが所望のアプリケーションメニューにカーソル位置を合わせて決定ボタン２７を押下することにより、所望のアプリケーションを選択決定する（例えば、起動を命令する）ことができるものであってもよいし、また、ユーザが４方向キー２６のUPキーまたはDOWNキーを操作することにより、メニュー一覧全体が移動し、所定の位置（例えば、上から３番目）に表示されているメニューが常に選択状態となるものとし、ユーザが、所望のアプリケーションメニューを所定の位置（例えば、上から３番目）に移動して決定ボタン２７を押下することにより、所望のアプリケーションを選択決定する（例えば、起動を命令する）ことができるものであってもよい。
【０１６３】
まず、図１４を用いて説明したHome画面４５１のアプリケーションプログラム（または複数のアプリケーションプログラムにより構成される項目）一覧のメニュー表示から録音ツール（Voice Memo）４６７が選択決定されて、録音および再生ツール（いわゆるボイスメモ）が実行される場合の処理の例について、図１５乃至図１８を参照して説明する。
【０１６４】
図１５に、録音および再生ツールが起動されたときに最初に表示される、録音待機状態における画面４８１の表示例を示す。
【０１６５】
録音および再生ツール表示画面４８１は、録音時間を表示する録音時間表示エリア４９１と、ユーザへのメッセージを表示するメッセージ表示エリア４９２とを含む。録音時間表示エリア４９１には、録音または再生時間のみならず、例えば、録音または再生されている音声データのボリュームを表す情報や、再生処理中において録音された音声データ中の現在の再生位置（再生停止位置）などを表示するようにしてもよい。
【０１６６】
図１５に示されるように、録音待機状態においては、録音時間表示エリア４９１に表示されている録音時間は０を示しており、メッセージ表示エリア４９２には、「録音待機状態です。録音をスタートする場合は、決定ボタンを押してください（Rec Ready. Push Enter to Start.）」というメッセージが表示されている。
【０１６７】
ユーザが決定ボタン２７を押下した場合、すなわち、入力モジュール１５０からユーザの操作入力を示す信号を受けた場合、アプリケーションプロセッサ１３１は、マイク２９、または、コネクタジャック５２に接続されたマイクによって集音され、オーディオ変換モジュール１４５においてA/D変換された音声データの供給を受け、オーディオプロセッサ１３２に供給して、エンコードさせた後、大容量フラッシュメモリ１５４に供給させ、記憶させる。
【０１６８】
図１６に、録音中の画面５０１の表示例を示す。
【０１６９】
図１６に示されるように、録音中状態においては、録音時間表示エリア４９１に録音時間が表示され、メッセージ表示エリア４９２には、「録音中です。録音を停止する場合は、決定ボタンを押してください（New Recording. Push Enter to Stop.）」というメッセージが表示されている。
【０１７０】
ユーザが決定ボタン２７を押下した場合、すなわち、入力モジュール１５０からユーザの操作入力を示す信号を受けた場合、アプリケーションプロセッサ１３１は、マイク２９、または、コネクタジャック５２に接続されたマイクによって集音される音声の取得を終了する。
【０１７１】
図１７に、録音が停止された状態、すなわち、録音された音声データの再生待機（一時停止）中の画面５１１の表示例を示す。
【０１７２】
図１７に示されるように、再生待機状態においては、録音時間表示エリア４９１に録音時間が表示されるとともに、録音された音声データ中の現在の再生停止位置を示す情報が表示され、メッセージ表示エリア４９２には、「一時停止中です。再生を開始する場合は、決定ボタンを押してください（Pause. Push Enter to Pray.）」というメッセージが表示されている。
【０１７３】
ユーザが決定ボタン２７を押下した場合、すなわち、入力モジュール１５０からユーザの操作入力を示す信号を受けた場合、アプリケーションプロセッサ１３１は、オーディオプロセッサ１３２に、大容量フラッシュメモリ１５４に録音された音声データを読み出させてデコードさせた後、オーディオ変換モジュール１４５へ供給させる。オーディオ変換モジュール１４５は、供給された音声データをD/A変換し、スピーカ２８にデコードされた音声データを出力して再生させるか、または、オーディオ信号処理モジュール１５２を介して、コネクタジャック５２に接続されたヘッドホンなどにデコードされた音声データを出力して再生させる。
【０１７４】
図１８に、録音された音声データの再生中の画面５２１の表示例を示す。
【０１７５】
図１８に示されるように、再生中の状態においては、録音時間表示エリア４９１に録画時間が表示されるとともに、録音された音声データ中の現在の再生位置を示す情報が表示され、メッセージ表示エリア４９２には、「再生中です。再生を一時停止する場合は、決定ボタンを押してください（New Praying. Push Enter to Pause.）」というメッセージが表示されている。図１８に示される状態でユーザが決定ボタン２７を押下した場合、再生が一時停止され、図１７を用いて説明した再生待機状態となる。
【０１７６】
次に、図１４を用いて説明したHome画面４５１のアプリケーションプログラム（または複数のアプリケーションプログラムにより構成される項目）一覧のメニュー表示から、フォトビューア４６５が選択決定されて、フォトビューアが実行される場合の処理の例について説明する。
【０１７７】
図１９は、フォトビューアが実行されているときの表示画面５５１の一例を示す図である。フォトビューアは、ユーザの操作入力に基づいて、大容量フラッシュメモリ１５４に記憶されている静止画像データを読み出して表示する処理を行うアプリケーションプログラムであり、例えば、保存されている画像をサムネイル画像に変換して一覧表示したり、ユーザによる分類の単位でサムネイル画像を表示したり、スライドショー形式で表示するものである。
【０１７８】
次に、図２０乃至図２２を参照して、図１４を用いて説明したHome画面４５１のアプリケーションプログラム（または複数のアプリケーションプログラムにより構成される項目）一覧のメニュー表示からテキストエディタ４６６が選択決定されて、テキストエディタが実行される場合の処理の例について説明する。
【０１７９】
図２０は、テキストの新規作成画面５７１の一例を示す図である。テキストの新規作成画面上部には、テキストファイルのタイトルが表示され、テキストファイルのタイトルがまだ入力されていない場合、「Untitled」が表示される。また、テキスト入力エリアの現在の編集位置を示すカーソルが表示される。
【０１８０】
そして、テキスト入力中に、ユーザの操作入力に基づいて、図２１に示されるようなコンテクストメニュー（Context Menu）５８１を表示させることができる。コンテクストメニュー５８１には、例えば、テキストエディタを終了して、コミュニケーションアプリケーションを起動させるための、「End Comm. App. Call」、テキストエディタを終了して、アドホック接続モードを開始させるための「End AD HOC Connect」、作成されたテキストファイルを保存する「Save」、テキストファイルに名前を付けて保存するための「Save As」、文字列の範囲を指定して、指定した部分を切り取る「Cut」、文字列の範囲を指定して、指定した部分を複写する「Copy」、切り取ったもしくはコピーした文字列を、指定された位置に貼り付ける「Paste」などがある。
【０１８１】
また、テキストエディタは、文字予測変換機能を有している。文字予測変換機能とは、文字列を入力したい場所にカーソルを移動して、文字を入力し始めると、入力し始めた文字に続いて入力されると予測される文字列の複数の候補が表示されている、図２２の文字列予測変換バー５９１が画面下方に表示される。
【０１８２】
文字列予測変換バー５９１に表示される文字列の複数の候補に、入力しようとしている文字列があった場合、ユーザがその文字列を選択する操作入力を行うことにより、少ないテキストの入力で、ユーザが所望する文章を入力することが可能となる。文字列予測変換バー５９１は、ユーザの操作入力により、その端部の「×」と表示された部分を選択決定された場合、表示が消去される。
【０１８３】
また、情報通信端末１には、筐体６１に設けられた４方向キー２６以外に、図８に示されるキーボード７１にも、いわゆる十字キーを設けるようにすることができる。このようにした場合、４方向キー２６とキーボード７１の十字キーとを使い分けるようにすると好適である。
【０１８４】
例えば、４方向キー２６を用いて、上下左右の移動を指令した場合、および、キーボード７１の十字キーを用いて左右方向の移動を指令した場合は、エディタ内のカーソル移動が指令されているものとし、キーボード７１の十字キーを用いて上下方向の移動を指令した場合には、文字列予測変換バー５９１に表示される文字列の複数の候補の選択変更が指令されているようにすることができる。
【０１８５】
以上説明した、ボイスメモ、フォトビューア、および、テキストエディタの３つのアプリケーションソフトウェアは、他の装置との通信処理を利用しないものであったが、例えば、音楽コンテンツに関する機能については、他の装置との通信処理を利用しないものと、他の装置との通信処理を利用するものとの両方が存在するので、例えば、音楽コンテンツを扱うものをまとめたメニュー画面を用意することにより、ユーザが、音楽コンテンツを扱う複数のアプリケーションプログラムを、それぞれ意識して区別せずに利用することができるようにすると好適である。
【０１８６】
他の装置との通信方法には、ＵＳＢを用いた有線の接続と、ＷＬＡＮを用いた無線の接続とがある。また、ＷＬＡＮを用いた無線の接続には、上述したように、アドホックモードとインフラストラクチャモードとがある。
【０１８７】
図２３乃至図２６を参照して、アドホックモードにおける通信について説明する。
【０１８８】
例えば、図２３に示されるように、アドホック通信が可能な範囲に、ユーザＡ乃至ユーザＥが保有する情報通信端末１−１乃至情報通信端末１−５が存在し、ユーザＤが保有する情報通信端末１−４とユーザＥが保有する情報通信端末１−５とがアドホックモードで通信を行っているものとする。
【０１８９】
情報通信端末１においては、アドホック通信が可能な範囲に存在するアドホックモードの情報通信端末１同士が自由にファイル転送や楽曲データのストリーミングを行うことができるようになされておらず、お互いに、相手側の装置を登録している場合にのみ、ファイル転送や楽曲データのストリーミングを行うことができるようになされている。
【０１９０】
図２３におけるユーザＡ乃至ユーザＥが保有する情報通信端末１−１乃至情報通信端末１−５のそれぞれは、アドホックモードにおいて、自分自身（情報通信端末１）の固有の（すなわち、基本的に変更されない）情報、および、自分自身（情報通信端末１）の現在の状況に関する（すなわち、そのときによって異なる）情報を、ブロードキャストで（すなわち、特定の送信先を決めるのではなく、通信範囲内のすべての装置に宛てて）送信する。アドホックモードの情報通信端末１がブロードキャストで送信する情報の一例を図２４に示す。
【０１９１】
アドホックモードの情報通信端末１は、自局のIPアドレスとport番号、機器固有のＩＤ、プロファイル設定されたUser ID、Busy or Ready などの接続可否情報、曲名、アーティスト名など、現在再生中の楽曲(Now Playing曲)情報、再生中の曲のSequence Number + Object Handleなど、著作権保護された楽曲データである場合のストリーム再生に必要な情報、その他の再生動作状態などの情報、ユーザの入力したテキストメモなどの情報をブロードキャストする。
【０１９２】
このうち、自局のIPアドレスとport番号、機器固有のＩＤ、プロファイル設定されたUser IDは、基本的に変更されない情報であり、現在再生中の楽曲(Now Playing曲)情報、再生中の曲が著作権保護された楽曲データである場合のストリーム再生に必要な情報、その他の再生動作状態などの情報は、そのときによって異なる情報であり、ユーザの入力したテキストメモなどの情報は、基本的に変更されないが、ユーザが登録内容を変更した場合には変更可能な情報である。
【０１９３】
また、アドホックモードの情報通信端末１は、例えば、相互に情報通信を行うためのアドホックモードの通信相手として登録されていないユーザに公開してもよい情報であれば、図２４を用いて説明した以外にも、ブロードキャストで送信するようにしてもよい。例えば、アドホックモードの通信相手の情報通信端末１における待ち受け画面（詳細は後述する）に表示される、自分自身を示すアイコン（サムネイル）となるものであって、まだ相互に登録していないユーザに対して表示させるためのアイコンに対応する画像データを、上述した情報とともに、アドホックモードの他の情報通信端末１に対して送信するようにしてもよい。
【０１９４】
そして、図２３におけるユーザＡ乃至ユーザＥが保有する情報通信端末１−１乃至情報通信端末１−５のそれぞれは、他の装置から、図２４を用いて説明したような情報を取得し、それぞれの他の情報通信端末１がアドホックモードの通信相手として登録されているユーザが保有する装置であるか否か、アドホックモードの通信相手として登録されているユーザが保有する他の情報通信端末１との通信状況、および、アドホック通信が可能な範囲に存在する登録されていない他の情報通信端末１のユーザに関する情報を認識することができる。
【０１９５】
そして、情報通信端末１は、表示部２１に、アドホックモードにおいて、アドホックモードの通信相手として登録されている他の情報通信端末１のユーザ、および、アドホック通信が可能な範囲に存在する登録されていない他の情報通信端末１のユーザに関する情報を一覧表示するアドホックユーザ一覧表示画面を表示する。
【０１９６】
アドホックユーザ一覧表示画面には、アドホックモードの通信相手として登録されているユーザが保有する他の情報通信端末１との通信状況が、通信可能状態である「Online状態」であるか、ここにいないので通信不可状態である「Offline状態」であるか、他の装置との通信中であるために通信不可状態である「Busy状態」のうちのいずれであるかが表示されるとともに、アドホック通信が可能な範囲に存在する登録されていない他の情報通信端末１の状態として「Unknown状態」であることが表示される。
【０１９７】
すなわち、例えば、ユーザＡが通信相手としてユーザＢ、ユーザＺ、ユーザＤ、および、ユーザＥを登録している場合、ユーザＡのアドホックユーザ一覧表示画面には、図２５に示されるように、ユーザＢがOnline状態であること、ユーザＺがOffline状態であること、ユーザＤが他の装置と通信中でありbusy状態であること、および、ユーザＥが他の装置と通信中でありbusy状態であること、並びに、登録されていないユーザＣがアドホック通信可能な範囲に存在することを示す情報が表示される。そして、ユーザＢが通信相手としてユーザＡ、ユーザＤ、および、ユーザＥを登録している場合、ユーザＢのアドホックユーザ一覧表示画面には、図２５に示されるように、ユーザＡがOnline状態であること、ユーザＤが他の装置と通信中でありbusy状態であること、および、ユーザＥが他の装置と通信中でありbusy状態であること、並びに、登録されていないユーザＣがアドホック通信可能な範囲に存在することを示す情報が表示される。また、同様に、ユーザＣが通信相手としてユーザＤ、および、ユーザＥを登録している場合、ユーザＣのアドホックユーザ一覧表示画面には、図２５に示されるように、ユーザＤが他の装置と通信中でありbusy状態であること、および、ユーザＥが他の装置と通信中でありbusy状態であること、並びに、登録されていないユーザＡおよびユーザＢがアドホック通信可能な範囲に存在することを示す情報が表示される。
【０１９８】
また、アドホックユーザ一覧表示画面には、ブロードキャストにより取得された各種情報のうちの少なくともユーザIDから特定可能なユーザ名と、通信情報を示す情報（例えば、Online、Offline、Busy、Unknownなど）が表示されるとともに、必要に応じて、他の情報を表示させることができる。ここでは、アドホックユーザ一覧表示画面には、ユーザ名と、通信情報を示す情報とともに、Now Playing曲情報が表示されるようになされている。さらに、アドホックユーザ一覧表示画面には、必要に応じて、ユーザの入力したテキストメモなどの情報が表示されるようにしてもよい。
【０１９９】
そして、ブロードキャストにより取得された各種情報のうち、アドホックユーザ一覧表示画面に表示されない情報は、例えば、ユーザ情報プロパティとして確認することが可能なようにしてもよい。
【０２００】
また、アドホックユーザ一覧表示画面において、ユーザＡにおけるユーザＣ，ユーザＢにおけるユーザＣ，または、ユーザＣにおけるユーザＡおよびユーザＢなど、アドホックモードにおいて未登録のユーザが選択決定された場合、このユーザと相互に登録処理を行うことを確認するメッセージが表示されたダイアログが表示され、ユーザがこれを認めた場合、登録モードへ移行する。
【０２０１】
未登録のユーザが保有する情報通信端末１同士で、通信相手として相互に登録が行われる場合に授受されるユーザ情報の一例を、図２６に示す。
【０２０２】
登録時に授受される情報には、例えば、機器固有のＩＤ、プロファイル設定されたUser ID、ユーザが登録用に入力した、例えば、自分自身のホームページのＵＲＬや自己紹介文などのテキストデータ、後述する待ち受け画面（Standby Screen）において表示される顔アイコン（実際のユーザの顔写真データでなくてもよいことはいうまでも無い）に利用される画像データ、そのユーザとの通信処理中に表示部２１のバックグラウンド（いわゆる壁紙)の表示色としてユーザが設定したユーザカラー情報、コミュニケーションアプリケーション(例えば、チャットやＩＰ電話などのツール)において利用されるＩＤ、および、インスタントメッセンジャーのＩＤなどが含まれていると好適である。
【０２０３】
未登録のユーザが保有する情報通信端末１どうしであっても、通信可能な範囲内に存在する他の情報通信端末に宛ててメッセージを送付することは可能なようになされている。情報通信端末１の無線通信モジュール１４８は、例えば、相手側の情報通信端末１に対して、相互のユーザ登録を促すメッセージなどを送付し、双方了解の後、図２６に示されるような情報を送受信し、受信した情報を、アプリケーションプロセッサ１３１に供給する。アプリケーションプロセッサ１３１は、供給された情報を、アプリケーションプロセッサ１３１に接続されているフラッシュメモリ１４６、または、オーディオプロセッサ１３２に接続されているフラッシュメモリ１５６または大容量フラッシュメモリ１５４に供給して、アドホックモードにおいて、ファイル交換やストリーミングなどを実行することが可能な通信相手として登録されるユーザが保持している情報通信端末１に関する情報として登録する。
【０２０４】
アドホックモード時にファイル交換やストリーミングなどを実行することが可能な通信相手として登録された情報通信端末１同士は、図２３に示される情報通信端末１−４と情報通信端末１−５のように、必ず１対１で通信を行い、ファイル交換やストリーミング再生を実行することができるようになされている。
【０２０５】
なお、ここで、ファイル交換は、基本的に、情報通信端末１の内部に記録されているすべてのデータファイルにおいて実行可能であるが、ファイル交換されるデータファイルに対して著作権保護がなされている場合、通信相手(ファイルの供給先となる)情報通信端末１が、そのデータファイルのデスクランブルキーを保有している場合などを除いて、ファイル交換で取得されたデータファイルをオープン(再生)することはできない。
【０２０６】
また、アドホックモード時のストリーミング再生においては、著作権保護されていないコンテンツをストリーミング再生する場合、ストリーミング再生を行う(ファイルの供給先)となる情報通信端末１が、そのストリームファイルの再生を許可されている場合、ストリーミング再生を行う(ファイルの供給先)となる情報通信端末１が、そのストリームファイルのデスクランブルキーを保有している場合などを除いて、ファイル交換で取得されたデータファイルをオープン(再生)することはできない。
【０２０７】
次に、図２７乃至図３２を参照して、図１４を用いて説明したHome画面４５１のアプリケーションプログラム（または複数のアプリケーションプログラムにより構成される項目）一覧のメニュー表示から、音楽ツール（Music）４６３が選択決定されて、音声データ（主に、楽曲データ）を扱う処理が実行される場合について説明する。
【０２０８】
図２７は、図１４を用いて説明したHome画面４５１の一覧のメニュー表示から、音楽ツール（Music）４６３が選択決定された場合に表示部２１に表示されるメニュー画面６２１である。Home画面４５１において音楽ツール（Music）４６３が選択決定された場合、図２７に示されるように、Music Search６３１、Streaming６３２、Now Playing６３３、All Tracks６３４、ATRAC AD６３５、Music Folder６３６、My Playlist６３７、Inbox６３８の各メニューが表示され、ユーザは、４方向キー２６および決定ボタン２７を用いて、所望のメニューを選択決定することができる。
【０２０９】
メニュー画面においてMusic Search６３１が選択決定された場合、図１２を用いて説明したアプリケーション層の楽曲検索アプリケーションが起動され、図２８に示されるように、検索画面６５１が表示され、ユーザが、テキスト入力部６６１に所望の検索キーを入力することにより、楽曲データの選曲を行うことができるようになされている。
【０２１０】
ユーザが、テキスト入力部６６１に所望の検索キーを入力して、決定ボタン２７を押下した場合、アプリケーションプロセッサ１３１で起動している楽曲検索アプリケーションは、オーディオプロセッサ１３２に対して、キーボードモジュール１４９から供給された検索キーを供給する。
【０２１１】
オーディオプロセッサ１３２は、図１３を用いて説明した楽曲DBの機能を用いて、タイトル、アルバム名、アーティスト名の中に、供給された検索キーが含まれているものを検索し、検索結果（例えば、楽曲名）をアプリケーションプロセッサ１３１に供給する。
【０２１２】
アプリケーションプロセッサ１３１で起動している楽曲検索アプリケーションは、図２８に示されるように、検索結果（例えば、楽曲名）を、検索画面６５１の検索結果表示エリア６６２に表示させる。
【０２１３】
ユーザが、４方向キー２６を用いて、検索画面６５１の検索結果表示エリア６６２のうちのいずれかの検索結果（例えば、楽曲名）にカーソル６６３を移動して、決定ボタン２７を用いて、カーソル６６３により選択されている検索結果（例えば、楽曲名）を選択決定した場合、アプリケーションプロセッサ１３１において、図１２を用いて説明したオーディオプレイヤが起動され、必要に応じて、オーディオプロセッサ１３２を制御し、ユーザにより選択決定された楽曲データを再生出力させる。すなわち、オーディオプロセッサ１３２は、図１３を用いて説明したオーディオプレイヤの機能を用いて、選択決定された楽曲データの再生処理を開始する。
【０２１４】
具体的には、オーディオプロセッサ１３２は、楽曲ＤＢによって管理されている楽曲データを、大容量フラッシュメモリ１５４から読み出して、選択決定された楽曲データが著作権保護されている場合、DRM Lib.により保持されている関数やデータを用いてスクランブルの解除処理を行うとともに、オーディオ信号処理モジュール１５２に供給し、オーディオコーディックの機能を用いて、オーディオ信号処理モジュール１５２を制御して、デコード処理およびD/A変換処理を施し、リンガースピーカ４２から再生出力させるか、または、コネクタジャック５２に装着されたヘッドホンなどから再生出力させる。
【０２１５】
図２９に、楽曲データ再生中の情報通信端末１の表示部２１に表示される楽曲データ再生表示画面６７１を示す。楽曲データ再生表示画面６７１には、例えば、楽曲データのタイトル名、アーティスト名、アルバム名、または、アルバム等のジャケットのサムネイル画像などの、コンテンツに関する情報が表示される。
【０２１６】
そして、WLANアドホックモードＯＮの状態で、図２７のメニュー画面６２１において、Streaming６３２が選択決定された場合、図３０に示されるように、アドホックユーザ一覧画面６８１が表示される。また、WLANアドホックモードＯＦＦの状態で、メニュー画面６２１において、Streaming６３２が選択決定された場合、ユーザに対して、WLANアドホックモードＯＮとするように操作を促すメッセージを含むダイアログなどを表示させるようにしてもよい。メニュー画面６２１において、Streaming６３２が選択決定されたあと、WLANアドホックモードＯＮとなった場合にも、同様にして、図３０に示されるように、アドホックユーザ一覧表示画面６８１が表示される。
【０２１７】
アドホックユーザ一覧表示画面６８１には、基本的に、図２５を用いて説明した場合と同様に、アドホックモードの通信相手として登録されている他の情報通信端末１のユーザ、および、アドホック通信が可能な範囲に存在する登録されていない他の情報通信端末１のユーザに関する情報が一覧表示される。
【０２１８】
例えば、図３０のアドホックユーザ一覧表示画面において、Online状態の「User B」が選択決定された場合、Online状態の「User B」が使用している情報通信端末１と、ストリーミングの接続が確定され、相互に、ブロードキャストで公開することが許可されている公開プレイリスト（内部に保有している楽曲のうちの少なくとも一部のリストであり、詳細は後述する）が授受される。そして、ユーザＢが使用している情報通信端末１から受信されたユーザＢ公開プレイリストと、ブロードキャストされている情報のうちのNow Playing情報とを基に、図３１に示されるような、ユーザＢが現在再生中の曲と、公開Playlistとの一覧である公開Playlist一覧表示画面７０１が表示される。このとき、ユーザＢが使用している情報通信端末１において現在再生されている楽曲（すなわち、Now Playing）を含むプレイリストが公開されている場合、公開Playlist一覧表示画面７０１は、そのプレイリストが選択された状態で表示される。
【０２１９】
そして、図３１のユーザＢの公開Playlist一覧表示画面７０１のうち、ユーザが所望するプレイリストが選択決定された場合、図３２に示されるように、選択決定されたプレイリストに含まれている楽曲データ、換言すれば、音楽トラックの一覧を表示するトラック表示画面７１１が表示される。ユーザは、トラック表示画面７１１に表示されている音楽トラックのうちの所望のものを選択決定することにより、ユーザＢから選択決定した楽曲データのストリーミングを受け、再生することができる。
【０２２０】
具体的には、情報通信端末１−１のアプリケーションプロセッサ１３１において実行されているミュージックストリームアプリケーションは、入力モジュール１５０からユーザの操作入力を示す信号を受け、ユーザにより選択決定されたプレイリストおよび楽曲データを指定するための情報を、無線通信モジュール１４８を制御して、ユーザＢが保有する情報通信端末１−２に供給する。
【０２２１】
この際、ユーザＢが保有する情報通信端末１−２の表示部２１には、ユーザＡからの接続許可要請を表示してもよいし、表示しなくても良い。
【０２２２】
情報通信端末１−２のアプリケーションプロセッサ１３１において実行されているミュージックストリームアプリケーションは、無線通信モジュール１４８を介して、情報通信端末１−１から供給されたユーザにより選択決定されたプレイリストおよび楽曲データを指定するための情報をオーディオプロセッサ１３２に供給する。オーディオプロセッサ１３２は、楽曲ＤＢによって管理されている楽曲データ（ストリームデータ）を、大容量フラッシュメモリ１５４から読み出して、アプリケーションプロセッサ１３１に供給し、無線通信モジュール１４８を制御して、情報通信端末１−１に送信する。
【０２２３】
そして、情報通信端末１−１のアプリケーションプロセッサ１３１において実行されているミュージックストリームアプリケーションは、無線通信モジュール１４８を介して、情報通信端末１−２から供給された楽曲データ（ストリームデータ）が著作権保護されている場合、DRM Lib.により保持されている関数やデータを用いてスクランブルの解除処理を行うとともに、オーディオ信号処理モジュール１５２に供給し、オーディオコーディックの機能を用いて、オーディオ信号処理モジュール１５２を制御して、デコード処理およびDA変換処理を施し、リンガースピーカ４２から再生出力させるか、または、コネクタジャック５２に装着されたヘッドホンなどから再生出力させる。
【０２２４】
このとき、ストリーム再生中の情報通信端末１−１の表示部２１には、図２９を用いて説明した楽曲データ再生表示画面６７１が表示される。楽曲データ再生表示画面６７１には、例えば、楽曲データのタイトル名、アーティスト名、アルバム名、または、アルバム等のジャケットのサムネイル画像などの、コンテンツに関する情報以外にも、さらに、ストリーミングデータの供給元（ここでは、ユーザＢ）に関する情報などを表示するようにしてもよい。
【０２２５】
また、図２７を用いて説明したメニュー画面６２１において、Now Playing６３３が選択された場合には、アプリケーションプロセッサ１３１において、図１２を用いて説明したオーディオプレイヤが起動され、必要に応じて、オーディオプロセッサ１３２を制御して、ユーザが所望する楽曲データを再生出力する。すなわち、オーディオプロセッサ１３２は、図１３を用いて説明したオーディオプレイヤの機能を用いて、選択決定された楽曲データの再生処理を開始する。
【０２２６】
オーディオプロセッサ１３２は、図１３を用いて説明した楽曲DBの機能を用いて、大容量フラッシュメモリ１５４に記録されている楽曲データの一覧、または、ファイル構造（実際のファイル構造であっても、仮想的なファイル構造であってもよい）を示す情報を生成し、アプリケーションプロセッサ１３１に供給する。アプリケーションプロセッサ１３１は、グラフィックスライブラリを利用して、大容量フラッシュメモリ１５４に記録されている楽曲データの一覧、または、ファイル構造を示す情報を、表示部２１に表示する。ユーザは、表示部２１に表示されたデータを参照し、所望の楽曲データを選択決定する操作入力を行う。
【０２２７】
オーディオプロセッサ１３２は、楽曲ＤＢによって管理されている楽曲データのうちの選択決定された楽曲データを、大容量フラッシュメモリ１５４から読み出して、選択決定された楽曲データが著作権保護されている場合、DRM Lib.により保持されている関数やデータを用いてスクランブルの解除処理を行うとともに、オーディオ信号処理モジュール１５２に供給し、オーディオコーディックの機能を用いて、オーディオ信号処理モジュール１５２を制御して、デコード処理およびDA変換処理を施し、リンガースピーカ４２から再生出力させるか、または、コネクタジャック５２に装着されたヘッドホンなどから再生出力させる。
【０２２８】
また、楽曲データ再生時には、図２９を用いて説明した場合と同様の楽曲データ再生表示画面６７１が表示される。
【０２２９】
また、図２７を用いて説明したメニュー画面６２１において、All Tracks６３４が選択された場合、大容量フラッシュメモリ１５４に記録されているすべてのトラックの一覧が、表示部２１に表示される。
【０２３０】
なお、大容量フラッシュメモリ１５４に記録されている楽曲データなどのコンテンツは、直接、楽曲データを配信するサービス提供者から取得するようにしても、所定の記録媒体を介して取得するようにしても、他の情報通信端末１またはパーソナルコンピュータ１３から取得するようにしてもよい。換言すれば、大容量フラッシュメモリ１５４に記録されている楽曲データなどのコンテンツは、WLANのアドホックモードまたはインフラストラクチャモードにより無線通信を用いて取得されてもよいし、USB接続による有線の通信（MSCとMTPとのいずれであってもよい）により取得されてもよい。
【０２３１】
情報通信端末１においては、大容量フラッシュメモリ１５４に記録されている楽曲データなどのコンテンツを、データの取得方法によって、コーディックの種類によって、または、著作権保護方式によって分類して記録することが可能なようになされている。例えば、楽曲データを配信するサービス提供者（団体、または、企業であってもかまわない）によって、楽曲データなどのコンテンツのコーディック形式が異なる場合や著作権保護方式が異なる場合においては、楽曲データなどのコンテンツの分類は、楽曲データの配信元に基づいた分類と同義となる。
【０２３２】
ここでは、その分類方法の一例として、楽曲データなどのコンテンツは、少なくとも、「ATRAC AD」、「Music Folder」、「Inbox」の３種類に分類されて記録されるものとして説明する。そのようになされた場合、図２７を用いて説明したメニュー画面６２１において、All Tracks６３４が選択されることにより、「ATRAC AD」、「Music Folder」、「Inbox」の３種類のフォルダ内のすべてのトラックの一覧が、表示部２１に表示される。
【０２３３】
ここでは、「ATRAC AD」および「Music Folder」に保存される楽曲データは、無線通信によって（インフラストラクチャモードまたはアドホックモード）によって取得された楽曲データであって、「ATRAC AD」に保存される楽曲データとは、ATRAC形式でデコードされた楽曲データであり、「Music Folder」に保存される楽曲データとは、ATRAC形式以外の形式でデコードされた楽曲データであるものとする。また、「Inbox」に保存される楽曲データは、USB接続による有線の通信によって取得された楽曲データであるものとする。
【０２３４】
従来、楽曲データを取得（多くの場合、ダウンロード）して再生させるための著作権管理方法やコーディック方式は、楽曲データを配信するサービス提供者によって異なる場合が多く、楽曲データを配信するサービス提供者から、楽曲データを取得して再生させるためのアプリケーションプログラムが提供されている場合も多い。そのような場合、楽曲データの授受の方法として許可されている通信方法もそれぞれ異なる。情報通信端末１は、WLANのアドホックモードおよびインフラストラクチャモードに対応し、さらに、USB接続のMSCとMTPとのいずれの方法にも対応しているので、対応するアプリケーションプログラム（または、ソフトウェアコーディックやDRMプロトコル）をインストールすることにより、多くのサービス事業者により配布される楽曲データ（コンテンツ）を取得し、記憶し、再生することが可能なようになされている。
【０２３５】
そして、図２７を用いて説明したメニュー画面６２１において、ATRAC AD６３５が選択された場合、上述した「ATRAC AD」フォルダ内に記録されたトラックの一覧が、表示部２１に表示され、図２７を用いて説明したメニュー画面６２１において、Music Folder６３６が選択された場合、上述した「Music Folder」フォルダ内に記録されたトラックの一覧が、表示部２１に表示され、図２７を用いて説明したメニュー画面６２１において、Inbox６３８が選択された場合、USB接続によるFile Transferで受信し、上述した「Inbox」フォルダに記録されたトラックの一覧が、表示部２１に表示される。
【０２３６】
上述した「Inbox」フォルダには、パーソナルコンピュータ１３とUSB接続を行うことにより取得されたデータファイルが記憶される。上述したように、「Inbox」に保存される楽曲データは、USB接続による有線の通信によって取得された楽曲データであり、USB接続モードは、MSCとMTPとのいずれであってもよい。
【０２３７】
上述したように、従来、楽曲データを取得（多くの場合、ダウンロード）して再生させるための著作権管理方法やコーディック方式は、楽曲データを配信するサービス提供者によって異なる場合が多く、楽曲データを配信するサービス提供者から、楽曲データを取得して再生させるためのアプリケーションプログラムが提供されている場合も多い。すなわち、パーソナルコンピュータ１３には、複数のサービス提供者から提供されているアプリケーションプログラムがインストールされ、パーソナルコンピュータ１３において保存されている楽曲データなどのコンテンツは、それぞれ、所定のアプリケーションプログラムにおいてのみ、取り扱うことができるようになされている場合がある。すなわち、パーソナルコンピュータ１３から、USB接続されている情報通信端末１への楽曲データなどのコンテンツのコピー操作は、所定のアプリケーションプログラムにおいてのみ実行可能なようになされている場合がある。そのような場合であっても、情報通信端末１が、USB接続モードとして、MSCとMTPとの両方に対応しているので、さまざまなサービス提供者から提供される楽曲データなどのコンテンツを、パーソナルコンピュータ１３から取得して、記憶、再生することが可能となる。
【０２３８】
USBの接続モードを、MSCとMTPとで切り替えるには、例えば、図１４を用いて説明したHome画面４５１において各種設定（Tools）４６８を選択することによって起動される、図１３を用いて説明したアプリケーションプロセッサ１３１のセッティングツールに、ユーザの操作入力に基づいて、オーディオプロセッサ１３２を制御し、USBの接続モードをMSCとMTPとで切り替えさせる機能を含ませるようにし、オーディオプロセッサ１３２が有するMSCとMTPと（図１３）のうち、ファイル交換アプリケーションなどが利用する機能を切り替えさせるようにすればよい。
【０２３９】
そして、図２７を用いて説明したメニュー画面６２１において、My Playlist６３７が選択された場合、ユーザの操作入力に基づいて作成される、楽曲データなどのコンテンツのリストが表示される。具体的には、My Playlistは、「ATRAC AD」、「Music Folder」、「Inbox」の３種類に分類されて記録されている楽曲データなどのコンテンツを、ユーザが定めた分類で分類して生成された仮想ファイルシステムに対応するリストである。ユーザは、例えば、「お気に入り」の楽曲等のコンテンツを、１つのリストにまとめたり、「室内楽」「管弦楽曲」「器楽曲」「声楽曲」などのように、ジャンル別に分類したり、「ミュージシャンA」「ミュージシャンB」「オーケストラA」「オーケストラB」「指揮者A」「指揮者B」などのように、アーティストや演奏者などによって分類したり、「作曲家A」「作曲家B」などのように、作曲者で分類して、多くのコンテンツを管理することができる。
【０２４０】
また、My Playlistは、複数の階層を有する階層構造となるようにしてもよいことはいうまでも無い。例えば、大分類として、「作曲家A」「作曲家B」などのように、作曲者で分類し、中分類として、「室内楽」「管弦楽曲」「器楽曲」「声楽曲」などのように、ジャンル別に分類し、小分類として、楽曲名で分類し、小分類の中に、複数の異なる演奏者またはオーケストラなどにより演奏された同一の楽曲がまとめられているようにすることができる。このように分類することにより、ユーザは、「作曲家A」の「管弦楽曲」のうち、「交響曲第Ｘ番」の「オーケストラB」が演奏しているものを聴きたい場合など、所望の楽曲データを容易に探すことができる。
【０２４１】
また、My Playlistは、複数用意するようにしてもよい。このとき、同一の楽曲が複数のMy Playlistに登録されていてもよいことはいうまでも無く、My Playlistは仮想的なファイルシステムなので、同一の楽曲が複数のMy Playlistに登録されている場合においても、大容量フラッシュメモリ１５４には、１つのデータファイルのみが記録されていればよい。
【０２４２】
さらに、My Playlistは、アドホックモードのブロードキャスト時に公開してもよいか否かを、My Playlistごとに設定することができる。さらに、My Playlistのうちの一部のみを、My Playlistは、アドホックモードのブロードキャスト時に公開するように設定することが可能なようにしてもよい。
【０２４３】
また、My Playlistは、ユーザの操作入力に基づいて、自由に新規作成、削除、更新が可能である。例えば、My Playlistに関連する情報が表示された状態において、ユーザがオプションボタン２５を押下した場合、My Playlistの新規作成、削除、更新の処理を選択させるためのダイアログボックスを表示させるようにすると好適である。
【０２４４】
次に、WLANインフラストラクチャモードの通信処理を利用して処理を行うアプリケーションについて説明する。WLANインフラストラクチャモードの通信処理を利用して処理を行うアプリケーションには、IP電話などの機能を含むコミュニケーションアプリケーション、インスタントメッセンジャー、ウェブブラウザなどがあり、さらに、例えば、電子メールアプリケーションなどのアプリケーションプログラムがインストールされていてもよい。
【０２４５】
図１４を用いて説明したHome画面４５１において、アプリケーションプログラム（または複数のアプリケーションプログラムにより構成される項目）一覧のメニュー表示から、コミュニケーションアプリケーション（Communication）４６２が選択決定されて、コミュニケーションアプリケーションが実行される場合の処理の例について説明する。
【０２４６】
例えば、IP電話や、チャットなど、インターネットなどの広域ネットワークを利用したコミュニケーションツールは、複数のサービス事業者（サービス提供者）によって、そのサービスが提供されている。情報通信端末１は、コミュニケーションアプリケーションとして、それら複数のサービス事業者（サービス提供者）によって提供されるコミュニケーションツールを利用することができるようになされている。
【０２４７】
図１４を用いて説明したHome画面４５１において、コミュニケーションアプリケーション（Communication）４６２が選択決定された場合に表示されるコミュニケーションアプリケーショントップ画面７５１を図３３に示す。コミュニケーションアプリケーショントップ画面７５１には、複数のサービス事業者（サービス提供者）によって提供されるコミュニケーションツールのツール名などが一覧表示される。
【０２４８】
また、ユーザは、利用するコミュニケーションツールごとに、いわゆる、オートログイン機能をONまたはOFFにあらかじめ設定しておくことができる。この設定も、例えば、図１４を用いて説明したHome画面４５１において各種設定（Tools）４６８を選択することによって起動される、図１３を用いて説明したアプリケーションプロセッサ１３１のセッティングツールに、ユーザの操作入力に基づいて、オートログイン機能をONまたはOFFに切り替えさせる機能を含ませるようにし、コミュニケーションアプリケーションが実行する処理を切り替えさせるようにすればよい。
【０２４９】
また、さらに、WLANがONで、さらにインフラストラクチャモードとなった時に、自動的に、コミュニケーションアプリケーションが起動されるように、初期設定を行うことができるようにすると好適である。
【０２５０】
図３３に示すコミュニケーションアプリケーショントップ画面において、オートログイン機能がOFFにあらかじめ設定されているコミュニケーションツールのツール名が選択決定された場合、図３４に示すログイン画面７７１が表示される。ログイン画面７７１には、ユーザIDやパスワードなど、ログインに必要な情報が入力可能なようになされている。
【０２５１】
なお、この状態において、WLANインフラストラクチャモードＯＮの状態になっていなかった場合、ユーザに対して、WLANインフラストラクチャモードＯＮとするように操作を促すメッセージなどを表示させ、WLANインフラストラクチャモードＯＮの状態になった後、以下の処理に進むようにしてもよい。
【０２５２】
図３３に示すコミュニケーションアプリケーショントップ画面において、オートログイン機能がONにあらかじめ設定されているコミュニケーションツールのツール名が選択決定された場合、または、図３４に示すログイン画面７７１においてログインが実行された場合、図３５に示す、コンタクトリスト表示画面７８１が表示される。
【０２５３】
コンタクトリスト表示画面７８１には、常時表示パネル１０１以外に、コンテンツタブ表示エリア７９１と、リスト等表示エリア７９２とを含んで構成される。
【０２５４】
コンテンツタブ表示エリア７９１には、リスト等表示エリア７９２に表示される情報をユーザが選択したり、各種操作を指令することができるように、複数のタブが表示される。ユーザは、４方向キー２６の左右キーを用いて、複数のタブのうちの所望のものを選択し、決定ボタン２７により決定することができるようになされている。
【０２５５】
ここでは、複数のタブは、仮想的に配列されており、ユーザが４方向キー２６の左右キーを用いて配列全体を移動させ、中央の選択タブ表示エリア７９３に表示されているタブが、選択状態のタブとされる。選択タブ表示エリア７９３の左右には、ユーザが４方向キー２６の左右キーを用いて配列全体を移動させた場合に選択状態となるタブが表示される。なお、仮想的な配列の端部は、連続するように設定されていても、連続しないように設定されていてもよく、連続しないようになされている場合、仮想的な配列の最端部においては、ユーザが４方向キー２６の左右キーを用いて配列全体を移動させた場合に選択状態となるタブは、左右のいずれか一方向のみとなる。
【０２５６】
コンテンツタブ表示エリア７９１に表示されるタブには、例えば、通信可能な登録ユーザのリストを表示させるためのContact Listタブ、通信可能な登録ユーザのリストまたは電話番号のリストを表示させ、選択決定された相手にIP電話を発信する処理の操作入力を行わせるためのDialタブ、Call中画面の設定処理を行うためのCallタブ、チャットのためのテキスト入力を行うためのテキスト入力エリアと、チャット相手が入力したテキストの表示エリアを表示させるためのChatタブ、発着信履歴を表示させるためのCall Listタブ、各種設定を行うための設定画面を表示させるためのSettingタブ、自分自身のステータスなどを表示させるためのStartタブなどがある。
【０２５７】
例えば、Contact Listタブが選択されている状態のリスト表示等エリア７９２には、通信可能な登録ユーザの一覧が表示される。ユーザは、４方向キー２６を用いて所望の登録ユーザを選択することができる。リスト表示等エリア７９２においては、例えば、選択された登録ユーザの情報を、選択されていない登録ユーザと比較して、多く表示するようにしてもよい。例えば、ユーザが、選択されている登録ユーザの情報を参照して、決定ボタン２７により決定した場合、例えば、IP電話、チャット、電子メールなど、対応するコミュニケーションツールにおいて利用可能なツールの一覧が表示され、ユーザにより選択可能なようになされると好適である。
【０２５８】
次に、図１４を用いて説明したHome画面４５１において、アプリケーションプログラム（または複数のアプリケーションプログラムにより構成される項目）一覧のメニュー表示から、ウェブブラウザ（WEB Browser）４６４が選択決定されて、ウェブブラウザが実行される場合の処理の例について説明する。
【０２５９】
図１４を用いて説明したHome画面４５１においてウェブブラウザ（WEB Browser）４６４が選択決定された場合、図３６に示すウェブブラウザメニュー画面８０１が表示される。ウェブブラウザメニュー画面８０１には、表示させるウェブページの指定方法を選択するためのメニューが表示されている。
【０２６０】
表示させるウェブページの指定方法には、例えば、最後に接続したウェブページを表示させる（Last URL）、最初に表示させるウェブページとして、あらかじめ登録しておいたページを表示させる（Start Page）、お気に入りのウェブページとして登録していたものの一覧を表示し、その中からユーザの所望のページを選択決定して表示させる（Bookmark）、ページのデータ自体をあらかじめ保存しておき、保存されているページを表示させる（Saved Page）、ユーザが所望するウェブページのURLを入力させる（Input URL）などがある。
【０２６１】
ウェブブラウザメニュー画面８０１において、いずれかのウェブページの指定方法が選択決定され、接続するウェブページが確定した場合、そのページへの接続（そのページをインターネットなどのネットワーク上に公開しているサーバ１２などへのアクセス）が行われ、その間、図３７に示される接続画面８１１が表示される。
【０２６２】
なお、ここで、WLANインフラストラクチャモードＯＮの状態になっていなかった場合、図３８に示されるように、ユーザに対して、WLANインフラストラクチャモードＯＮとするように操作を促すメッセージを含むメッセージ表示画面８２１などを表示させ、WLANインフラストラクチャモードＯＮの状態になった後、以下の処理に進むようにしてもよい。
【０２６３】
そして、WLANインフラストラクチャモードＯＮの状態において、指定されたURLのウェブページに接続された場合、図３９に示されるように、ウェブページ表示画面８３１に、ウェブページが表示される。
【０２６４】
また、図３７の接続画面８１１、図３８のメッセージ表示画面８２１、図３９のウェブページ表示画面８３１の常時表示パネル１０１には、接続処理中の、または、接続されているウェブページ名やURLなどの情報を表示するようにしてもよい。
【０２６５】
次に、図１４を用いて説明したHome画面４５１のアプリケーションプログラム（または複数のアプリケーションプログラムにより構成される項目）一覧のメニュー表示から、待ち受け画面（Standby Screen）４６１が選択決定された場合の処理の例について説明する。
【０２６６】
図１４を用いて説明したHome画面４５１において、待ち受け画面（Standby Screen）４６１が選択決定された場合、図４０に示す待ち受け画面８５１が表示される。
【０２６７】
待ち受け画面８５１は、日時表示エリア８６１、再生中楽曲データ情報表示エリア８６２、画像表示エリア８６３、および、コンタクトアイコン表示エリア８６４を含んで構成されている。
【０２６８】
日時表示エリア８６１には、現在の年月日、および、時刻などが表示される。
【０２６９】
再生中楽曲データ情報表示エリア８６２には、現在、再生出力中の楽曲データがある場合、その楽曲データに関する情報が表示されるようになされている。
【０２７０】
画像表示エリア８６３には、画像データを表示することが可能なようになされており、ユーザが設定した画像（いわゆる、壁紙）や、現在、再生出力中の楽曲データがある場合、その楽曲データに関連付けられて記憶されている、例えば、アルバムのジャケットの画像などが表示されるようになされている。
【０２７１】
コンタクトアイコン表示エリア８６４には、現在の通信モードにおける通信対象の通信の状態（通信の可否や、通信相手として登録されているか否かなど）が表示されるようになされている。
【０２７２】
待ち受け画面８５１においては、各通信モードにおける通信対象の通信可否の状態が表示されるようになされている。すなわち、情報通信端末１は、有線または無線で他の装置と通信することができるようになされているが、無線を用いて他の情報通信端末１と通信することができるようになされている場合、複数の他の情報通信端末１と通信することが可能である。そこで、情報通信端末１は、WLANがON状態である場合、アドホックモードかインフラストラクチャモードかによって、通信対象の通信可否の状態を待ち受け画面８５１に表示するようになされている。
【０２７３】
ＷＬＡＮアドホックモードにおいて、コンタクトアイコン表示エリア８６４には、例えば、現在通信可能な範囲に存在する登録済みのユーザ（Online）を示すアイコンを表示するようにしてもよい。また、ＷＬＡＮアドホックモードにおいて、コンタクトアイコン表示エリア８６４には、現在通信可能な範囲に存在する登録済みのユーザ（Online）およびまだ登録されていないユーザ（Unknown）を示すアイコンを、それぞれ区別して表示するようにしてもよい。さらに、ＷＬＡＮアドホックモードにおいて、コンタクトアイコン表示エリア８６４には、図２５を用いて説明した場合と基本的に同様に、登録済みのユーザのアイコンを、Online状態であるか、Offline状態であるかを区別して表示するとともに、現在通信可能な範囲に存在するまだ登録されていないユーザ（Unknown）を示すアイコンを、それぞれ区別して表示するようにしてもよい。
【０２７４】
そして、ＷＬＡＮインフラストラクチャモードにおいて、コンタクトアイコン表示エリア８６４には、例えば、ＷＬＡＮインフラストラクチャモードを利用して通信処理を行う複数のアプリケーションプログラムで通信可能なユーザを示すアイコンが表示されるものとすることができる。すなわち、例えば、コンタクトアイコン表示エリア８６４には、現在インスタントメッセンジャーで通信可能なユーザを示すアイコン、コミュニケーションアプリケーションで通信可能なユーザを示すアイコン、電子メールの送付先が登録されているユーザを示すアイコンが表示される。
【０２７５】
このような場合、例えば、待ち受け画面が表示されている状態において、通信モードがＷＬＡＮインフラストラクチャモードとＷＬＡＮアドホックモードとで切り替えられた場合、待ち受け画面８５１のコンタクトアイコン表示エリア８６４に表示されるアイコンは、通信モードの変更に応じて、自動的に変更される。
【０２７６】
すなわち、アプリケーションプロセッサ１３１は、アプリケーションプロセッサ１３１に接続されているフラッシュメモリ１４６、または、オーディオプロセッサ１３２に接続されているフラッシュメモリ１５６または大容量フラッシュメモリ１５４に、アドホックモードにおいてファイル交換やストリーミングなどを実行することが可能な通信相手として登録されているユーザが保持している情報通信端末１の情報や、インフラストラクチャモードにおけるコミュニケーションアプリケーションやインスタントメッセンジャーにおいて通信相手として登録されているユーザが保持している情報通信端末１の情報、または、情報通信端末１の無線通信モジュール１４８により受信された、図２４を用いて説明したアドホックモードにおいてブロードキャストされる情報を基に、通信モードに対応した待ち受け画面８５１のコンタクトアイコン表示エリア８６４の表示画像データを生成し、表示モジュール１４２を制御して表示させるようになされている。
【０２７７】
なお、コンタクトアイコン表示エリア８６４に表示される登録されているユーザを示すアイコンは、図２６を用いて説明した、通信相手として相互に登録が行われる場合に授受されるユーザ情報に含まれる画像データを基に作成される。また、現在通信可能な範囲に存在するまだ登録されていないユーザ（Unknown）を示すアイコンは、図２４を用いて説明した情報とともにアイコンに対応する画像データが受信された場合には、その画像データを用いるものとしてもよいし、図２４を用いて説明した情報のうちの一部を示す文字情報を含むアイコンであってもよいし、例えば、「Unknown」と記載されたアイコンであるものとしてもよい。
【０２７８】
また、コンタクトアイコン表示エリア８６４に表示される登録されているユーザを示すアイコンは、所定の規則に従って配列されるものとすると好適である。アイコンの配列の規則についての詳細は、後述する。
【０２７９】
このようにすることにより、他のユーザと通信を用いてコンタクトを取るにあたって、情報通信端末１のユーザは、より自然な方法で、どのユーザとコンタクトを取るかを決定することができる。
【０２８０】
すなわち、一般的に、通信装置を用いないコミュニケーションにおいては、例えば、そばにいる人など、容易にコンタクトを取れる人に対して、コンタクトをとろうとする場合がある。すなわち、待ち受け画面において、通信可能な相手（相手がOnlineであるか、Offlineであるか、または、これまで通信をしたことが無い相手であるが通信可能な状態である相手（Unknown）であるか）が示されることにより、情報通信端末１のユーザは、より自然な方法で、どのユーザとコンタクトを取るかを決定することができる。
【０２８１】
また、アドホックモードにおいて、コンタクトアイコン表示エリア８６４に表示されるいずれかのアイコンが選択された場合、現在通信可能な範囲に存在する他の情報通信端末１からブロードキャストされる図２４を用いて説明した情報や、図２６を用いて説明した、通信相手として相互に登録が行われる場合に授受されるユーザ情報を基に、画像表示エリア８６３に、選択されたユーザが公開している画像データを表示させ、再生中楽曲データ情報表示エリア８６２に、選択されたユーザが現在再生中の楽曲に関する情報や、選択されたユーザがブロードキャストしているテキストメモなどを表示させるようにしてもよい。
【０２８２】
また、アドホックモードにおいて、情報通信端末１は、該当する他の情報通信端末１からブロードキャストされている情報のうちのNow Playing情報を基に、楽曲データを再生中であるか否かを判断することができるようになされている。そこで、アドホックモードにおいて、アプリケーションプロセッサ１３１が、待ち受け画面８５１が表示されている状態においてミュージックストリーミングの機能の一部をバックグラウンドで起動しておき、コンタクトアイコン表示エリア８６４に表示されるいずれかのアイコンのうち、現在通信可能な範囲に存在する登録ユーザが保有している他の情報通信端末１に対応するアイコンが選択され、選択されたアイコンに対応するユーザが楽曲データを再生中である場合、選択されたアイコンに対応する他の情報通信端末１に対して、再生中の楽曲データのストリーミング再生を要求し、再生中の楽曲データを受信して、再生することができるようにしてもよい。なお、このとき、アイコンの選択の変更のため、カーソル位置を移動している間に経由するすべてのアイコンに対応する他の情報通信端末１に対して、再生中の楽曲データのストリーミング再生を要求してしまうようなことがないように、例えば、いずれかのアイコンが選択された状態が所定時間（例えば、３秒程度）以上継続した場合にのみ、選択されたアイコンに対応する他の情報通信端末１に対して、再生中の楽曲データのストリーミング再生を要求するものとしてもよい。
【０２８３】
そして、インフラストラクチャモードにおいて、コンタクトアイコン表示エリア８６４に表示されるいずれかのアイコンが選択された場合、図２６を用いて説明した、通信相手として相互に登録が行われる場合に授受されるユーザ情報を基に、画像表示エリア８６３に、選択されたユーザが公開している画像データを表示させ、再生中楽曲データ情報表示エリア８６２に、選択されたユーザが登録しているテキストメモなどを表示させるようにしてもよい。
【０２８４】
さらに、アドホックモードであるか、インフラストラクチャモードであるかにかかわらず、コンタクトアイコン表示エリア８６４に表示されるいずれかのアイコンが選択された場合、選択されたアイコンを、拡大して（例えば、拡大率１５０％程度に拡大して）表示させるようにしてもよい。
【０２８５】
また、コンタクトアイコン表示エリア８６４に表示されるアイコンを選択決定することにより、例えば、図２６を用いて説明した通信相手として相互に登録が行われる場合に授受されるユーザ情報、または、図２４を用いて説明したブロードキャストされる情報を基に生成されるユーザ情報が表示されるようにしてもよい。
【０２８６】
または、コンタクトアイコン表示エリア８６４に表示されるアイコンを選択決定することにより、選択決定されたアイコンに対応するユーザが保有する他の情報通信端末１、または、パーソナルコンピュータ１３などの機器と情報を授受するために利用可能なアプリケーションの一覧が表示されるようにしてもよい。
【０２８７】
このようにすることにより、他のユーザと通信を用いてコンタクトを取るにあたって、情報通信端末１のユーザは、より自然な方法で、他のユーザとコンタクトを取るために用いるアプリケーションを決定することができる。
【０２８８】
すなわち、通信装置を用いない場合を含むコミュニケーションにおいては、一般的には、ある相手に連絡を取りたいために、どのような方法で連絡を取るかを考える。すなわち、待ち受け画面において選択決定された相手と情報を授受するために利用可能なアプリケーションの一覧が示されることにより、情報通信端末１のユーザは、より自然な方法で、どの方法で所望のユーザとコンタクトを取るかを決定することができる。
【０２８９】
以上説明した待ち受け画面８５１と、待ち受け画面８５１に続いて表示される、選択されたアイコンに対応するユーザとコンタクトを取るために（情報を授受するために）利用可能なアプリケーションの一覧の表示の制御を行うのは、アプリケーションプロセッサ１３１であり、基本的には、多くの処理を、図１２に示されるメニュー表示ツールが実行する。
【０２９０】
図４１は、以上説明した待ち受け画面８５１と、待ち受け画面８５１に続いて表示される、選択決定されたアイコンに対応するユーザが保有する装置に対して情報を授受する場合において、利用可能なアプリケーションの一覧の表示の制御を行うときに、アプリケーションプロセッサ１３１のメニュー表示ツールが用いる機能を示す機能ブロック図である。なお、アプリケーションプロセッサ１３１のメニュー表示ツールは、図４１に示されない機能も有し、他の表示画面の表示を制御する場合、図４１に示されない機能を用いるが、ここでは、その説明は省略する。
【０２９１】
操作入力取得部８７１は、入力モジュール１５０から供給される（OSを介して、デバイスドライバから取得される）ユーザの操作入力に対応する信号を取得する。
【０２９２】
通信状態検出部８７２は、WLANの動作を制御するアプリケーションプログラムにより制御されている情報通信端末１の無線通信の状態、すなわち、WLANがONであるか、OFFであるか、また、WLANがONである場合は、アドホックモードであるか、インフラストラクチャモードであるかを検出する。
【０２９３】
表示設定記憶制御部８７３は、操作入力取得部８７１が取得したユーザの操作入力に対応する信号に基づいて、待ち受け画面８５１における表示設定を取得するとともに、表示設定情報のフラッシュメモリ１４６への記憶と、フラッシュメモリ１４６に記憶された表示設定情報の読み出しを(OSを介して、デバイスドライバを制御することにより)制御する。
【０２９４】
登録ユーザ情報取得部８７４は、オーディオプロセッサ１３２を介して、大容量フラッシュメモリ１５４に記憶されている、例えば、アドホックモードにおいて、ミュージックストリーミングやファイルトランスファーを行うことができるように登録されている登録ユーザ、または、インフラストラクチャモードにおいて、ＷＬＡＮインフラストラクチャモードを利用して通信処理を行う複数のアプリケーションプログラムで通信可能な登録ユーザに関する情報の取得を(OSを介して、デバイスドライバを制御することにより)制御する。
【０２９５】
ブロードキャスト情報取得部８７５は、無線通信モジュール１４８により受信された図２４を用いて説明したアドホックモードにおいてブロードキャストされる情報の取得を(OSを介して、デバイスドライバを制御することにより)制御する。
【０２９６】
Online/Offline判別部８７６は、インフラストラクチャモードにおいて、コミュニケーションアプリケーション、または、インスタントメッセンジャーなど、インフラストラクチャモードを利用して通信するアプリケーションプログラムの少なくとも一部の機能を利用して、例えば、それぞれのサービスを提供しているサーバ１２にアクセスし、通信可能なユーザとして登録されているユーザがオンラインであるかオフラインであるかを判別する。更に、Online/Offline判別部８７６は、通信可能なユーザとして登録されているユーザがオンラインであるかオフラインであるかを判別するためなどに、必要に応じて、通信モードを、アドホックモードとインフラストラクチャモードとで切り替えることができるように、無線通信モジュール１４８の動作を制御するデバイスドライバを制御する。
【０２９７】
アイコン配列決定部８７７は、通信状態検出部８７２により検出された、情報通信端末１の無線通信の状態、表示設定記憶制御部８７３によりフラッシュメモリ１４６からの読み出しが制御される表示設定情報、登録ユーザ情報取得部８７４により取得される登録ユーザに関する情報、ブロードキャスト情報取得部８７５により取得されるアドホックモードにおいてブロードキャストされた情報、および、Online/Offline判別部８７６によるインフラストラクチャモードを利用して通信するアプリケーションプログラムにおいて通信可能なユーザとして登録されているユーザがオンラインであるかオフラインであるかの判別結果を基に、コンタクトアイコン表示エリア８６４に表示されるアイコンの配列を決定する。
【０２９８】
コンタクトアイコン表示エリア８６４に表示されるアイコンの配列の具体的な例については、図４４乃至図５１を用いて後述する。
【０２９９】
利用可能アプリケーション抽出部８７８は、操作入力取得部８７１が取得したユーザの操作入力に対応する信号、登録ユーザ情報取得部８７４により取得される登録ユーザに関する情報、ブロードキャスト情報取得部８７５により取得されるアドホックモードにおいてブロードキャストされた情報、および、Online/Offline判別部８７６によるインフラストラクチャモードを利用して通信するアプリケーションプログラムにおいて通信可能なユーザとして登録されているユーザがオンラインであるかオフラインであるかの判別結果を基に、選択されたアイコンに対応するユーザが保有する装置に対して情報を授受する場合に利用可能なアプリケーションを抽出する。
【０３００】
選択されたアイコンに対応するユーザが保有する装置に対して情報を授受する場合に利用可能なアプリケーションの一覧を含む表示画面の具体的な例については、図４２および図４３を用いて後述する。
【０３０１】
各種表示情報取得部８７９は、フラッシュメモリ１４６、メモリ１４７、または、オーディオプロセッサ１３２などの各部から、表示される画面の画像データを生成するために必要な情報の取得を(OSを介して、デバイスドライバを制御することにより)制御する。
【０３０２】
表示画像生成部８８０は、アイコン配列決定部８７７により決定されたコンタクトアイコン表示エリア８６４に表示されるアイコンの配列、利用可能アプリケーション抽出部８７８により抽出された、選択されたアイコンに対応するユーザが保有する装置に対して情報を授受する場合に利用可能なアプリケーション、各種表示情報取得部８７９により取得された表示される画面の画像データを生成するために必要な情報を基に、必要に応じて、グラフィックスライブラリを利用して、表示部２１に表示される表示画像データを生成し、表示モジュール１４２を制御（OSを介して、デバイスドライバを制御）して、表示部２１に表示させる。
【０３０３】
次に、利用可能アプリケーション抽出部８７８により抽出される、選択されたアイコンに対応するユーザが保有する装置に対して情報を授受する場合に利用可能なアプリケーションの一覧を含む表示画面の表示方法の例について、図４２および図４３を用いて説明する。
【０３０４】
具体的には、例えば、通信状態検出部８７２によりＷＬＡＮインフラストラクチャモードであることが検出されている状態において、操作入力取得部８７１により、図４０用いて説明したコンタクトアイコン表示エリア８６４に表示されているアイコンからいずれかのアイコンが選択されたことを示す操作入力が取得された場合、登録ユーザ情報取得部８７４は、オーディオプロセッサ１３２を介して、大容量フラッシュメモリ１５４に記憶されている、他のユーザの登録情報から、選択されたアイコンに該当するユーザの登録情報を抽出し、利用可能アプリケーション抽出部８７８に供給する。
【０３０５】
利用可能アプリケーション抽出部８７８は、通信状態検出部８７２によりＷＬＡＮインフラストラクチャモードであることが検出されているので、選択されたアイコンに該当するユーザの登録情報に基づいて、該当するユーザとインフラストラクチャモードにおける通信で利用可能なアプリケーションを抽出して、表示画像生成部８８０に供給する。表示画像生成部８８０は、供給された情報を基に、該当するユーザが保有する他の情報通信端末１や、パーソナルコンピュータ１３などの装置と情報を授受するために利用可能なアプリケーションの一覧を示す表示画面データを生成し、表示モジュール１４２を制御して、表示部２１に表示させる。
【０３０６】
具体的には、例えば、選択されたアイコンに該当するユーザＡが、インフラストラクチャモードにおける通信を利用するアプリケーションとして、インスタントメッセンジャーにおいても、チャットやIP電話などのコミュニケーションアプリケーションにおいても、通信可能なユーザとして登録され、さらに、電子メールアドレスが登録されていた場合、図４２に示されるような利用可能アプリケーション一覧画面８９１が表示される。また、例えば、選択されたアイコンに該当するユーザＢが、インスタントメッセンジャーにおいても、チャットやIP電話などのコミュニケーションアプリケーションにおいても、通信可能なユーザとして登録されておらず、電子メールアドレスのみが登録されていた場合、利用可能アプリケーション一覧画面８９１には、利用可能なアプリケーションとして、電子メールのみが表示され、選択可能なようになされる。
【０３０７】
そして、利用可能アプリケーション一覧画面８９１に示されている利用可能なアプリケーションから、ユーザが所望するアプリケーションが選択決定された場合、アプリケーションプロセッサ１３１は、入力モジュール１５０から供給されたユーザの操作入力を示す信号を基に、ユーザにより指定されたアプリケーションを起動し、必要に応じて、それぞれのサービスを提供しているサーバ１２へのアクセスを開始する。
【０３０８】
さらに、インフラストラクチャモード時には、Online/Offline判別部８７６により、インフラストラクチャモードにおける通信を利用するアプリケーションのうちの少なくとも一部の機能を動作させ、例えば、それぞれのサービスを提供しているサーバ１２にアクセスし、通信可能なユーザとして登録されているユーザがオンラインであるかオフラインであるかを常時監視しておくことにより、選択されたアイコンに該当するユーザと情報を授受するために利用可能なアプリケーションを更に精度よく抽出することができる。
【０３０９】
具体的には、例えば、選択されたアイコンに該当するユーザＡが、インフラストラクチャモードにおける通信を利用するアプリケーションとして、インスタントメッセンジャーにおいても、チャットやIP電話などのコミュニケーションアプリケーションにおいても、通信可能なユーザとして登録され、いずれもオンライン状態であり、さらに、電子メールアドレスが登録されていた場合、図４２に示されるような利用可能アプリケーション一覧画面８９１が表示される。また、例えば、選択されたアイコンに該当するユーザＢが、インスタントメッセンジャーにおいても、チャットやIP電話などのコミュニケーションアプリケーションにおいても、通信可能なユーザとして登録されていないか、または、登録されているのにオフライン状態であり、電子メールアドレスのみが登録されていた場合、利用可能アプリケーション一覧画面８９１には、利用可能なアプリケーションとして、電子メールのみが表示され、選択可能なようになされる。
【０３１０】
また、例えば、選択されたアイコンに該当するユーザＣが、インフラストラクチャモードにおける通信を利用するアプリケーションとして、インスタントメッセンジャーにおいても、チャットやIP電話などのコミュニケーションアプリケーションにおいても、通信可能なユーザとして登録されているが、インスタントメッセンジャーがオフライン状態であり、チャットやIP電話などのコミュニケーションアプリケーションがオンライン状態である場合、利用可能アプリケーション一覧画面８９１には、利用可能なアプリケーションとして、コミュニケーションアプリケーション（チャットやIP電話など）が表示され、選択可能なようになされるので、情報通信端末１を有するユーザは、ユーザＣと通信したい場合には、ユーザＣがオンライン状態としているコミュニケーションアプリケーションのＩＰ電話を選択してＩＰ電話を発信することができる。このようにすることにより、ユーザは、所望の相手とコンタクトをとるにあたって、複数の通信方法の中で、最も適した通信方法を容易に選択することが可能となる。
【０３１１】
また、例えば、通信状態検出部８７２によりＷＬＡＮアドホックモードであることが検出されている状態において、操作入力取得部８７１により、図４０用いて説明したコンタクトアイコン表示エリア８６４に表示されているアイコンからいずれかのアイコンが選択されたことを示す操作入力が取得された場合、登録ユーザ情報取得部８７４は、オーディオプロセッサ１３２を介して、大容量フラッシュメモリ１５４に記憶されている、他のユーザの登録情報から、選択されたアイコンに該当するユーザの登録情報を抽出し、利用可能アプリケーション抽出部８７８に供給する。
【０３１２】
利用可能アプリケーション抽出部８７８は、通信状態検出部８７２によりＷＬＡＮアドホックモードであることが検出されているので、選択されたアイコンに該当するユーザの登録情報に基づいて、該当するユーザとアドホックモードにおける通信で利用可能なアプリケーションを抽出して、表示画像生成部８８０に供給する。表示画像生成部８８０は、供給された情報を基に、該当するユーザが保有する他の情報通信端末１と情報を授受するために利用可能なアプリケーションの一覧を示す表示画面データを生成し、表示モジュール１４２を制御して、表示部２１に表示させる。
【０３１３】
具体的には、例えば、選択されたアイコンに該当するユーザＡが、すでにアドホックモードにおいて、ミュージックストリーミングやファイルトランスファーが可能な登録ユーザである場合、図４３に示されるような利用可能アプリケーション一覧画面８９２が表示される。また、例えば、選択されたアイコンに該当するユーザＢが登録ユーザではなかった場合、利用可能アプリケーション一覧画面８９２には、利用可能なアプリケーションとして、Send Messageのみが表示され、選択可能なようになされる。
【０３１４】
また、コンタクトアイコン表示エリア８６４に表示される登録されているユーザを示すアイコンは、所定の規則に従って配列されるものとすると好適である。
【０３１５】
また、上述したように、インフラモード、アドホックモードともに、登録ユーザに対応するアイコンを表示させる際のアイコンの配置は、それぞれの登録ユーザが保有する装置（インスタントメッセンジャーや、IP電話、チャットサービス、電子メールなどを利用する機能を有していれば、例えば、他の情報通信端末１、パーソナルコンピュータ、PDA、または、携帯型電話機など、いずれの装置であってもよい）の接続状態に基づいて定められるようになされている。次に、図４４乃至図５１を参照して、コンタクトアイコン表示エリア８６４に表示されるアイコンの配列の具体的な例について説明する。
【０３１６】
まず、図４４乃至図４６を用いて、アイコンの配列の優先順位とその決定方法の例について説明する。
【０３１７】
図４４を参照して、アイコンの配列に優先順位を付ける場合について説明する。
【０３１８】
図４４のコンタクトアイコン表示エリア８６４に図示されている番号のように、例えば、右上隅から順番に右上隅から近い位置の方が優先順位が高くなるように、登録ユーザに対応するアイコンを表示させる際のアイコンの配置に優先順位を付け、それぞれの登録ユーザが保有する装置の接続状態を基に、アイコンの配置の優先順位を決定することができる。
【０３１９】
例えば、アドホックモードにおいては、登録されているユーザが通信範囲内に存在している状態（on-line）である場合を、もっとも優先順位が高いものとし、登録されているユーザが通信範囲内に存在していない状態（off-line）である場合を、次に優先順位が高いものとし、登録されていないユーザが通信範囲内に存在している状態（未登録on-line）である状態を、もっとも優先順位が低いものとすることができる。また、インフラストラクチャモードにおいては、複数のアプリケーションを通信に用いることができるので、アプリケーションごとの登録ユーザに基づいて、または、それぞれのアプリケーションにおける登録ユーザがオンラインであるか否かを判定し、それらの結果を基に、優先順位を決定することができる。なお、この優先順位に関しては、情報通信端末１のユーザが、自由に設定することができるようにしてもよい。
【０３２０】
また、定められた優先順位に従ってユーザに対応するアイコンを表示させる際の、配置の順番に関しても、図４４を用いて説明したように、右上隅からの距離の短いものから順番となるものでなくてもよく、例えば、上段の方が優先順位が高くなるものとしたり、中央部分のほうが優先順位が高くなるものとしてもよい。更に、優先順位は、図４４を用いて説明したように、１つずつのアイコンの配置可能位置ごとに設定されていても、複数のアイコンを配置可能な領域ごとに設定されていてもよい。すなわち、レベルの高い領域からレベルの低い領域に、例えば、第１のレベルの領域、第２のレベルの領域・・・第ｘのレベルの領域と、領域を区別するようにし、それぞれのアイコンに対応する登録ユーザが保有する装置の接続状態を基に、それぞれの領域に、アイコンを配置するものとしてもよい。また、各領域への配置の順番に関しても情報通信端末１のユーザが、自由に設定することができるようにしてもよい。
【０３２１】
図４５を参照して、複数のアイコンを配置可能な領域が設定された場合のアイコンの配置例について説明する。
【０３２２】
図４５においては、コンタクトアイコン表示エリア８６４を、第一領域、第二領域、および、第三領域の３つの領域に分割し、中央部分のほうが優先順位が高くなるものとして、それぞれの領域が決定されている。そして、アドホックモード、インフラストラクチャモードともに、それぞれの登録ユーザが保有する装置の接続状態を基に、アイコンの配置の優先順位が決定され、登録ユーザに対応するアイコンが配列されて表示される。第一領域、第二領域、および、第三領域の３つの領域は、例えば、背景色やそれぞれのアイコンのエッジ部分の色などを用いて、区別可能なようにすると好適である。
【０３２３】
例えば、アドホックモードにおいては、登録されているユーザが通信範囲内に存在している状態（on-line）に対応するアイコンを、最も優先順位が高い第一領域に配置し、登録されているユーザが通信範囲内に存在していない状態（off-line）に対応するアイコンを、次に優先順位が高い第二領域に配置し、登録されていないユーザが通信範囲内に存在している状態（未登録on-line）に対応するアイコンを、もっとも優先順位が低い第三領域に配置するものとすることができる。このようにすることにより、情報通信端末１のユーザは、アイコンの配置を参照するだけで、それぞれのユーザとの通信状態を判断することが可能となる。
【０３２４】
また、定められた優先順位に従ってユーザに対応するアイコンを表示させる際には、例えば、優先順位に基づいて、表示されるアイコンの大きさを設定するようにしてもよい。
【０３２５】
図４６を参照して、優先順位に基づいて、表示されるアイコンの大きさが設定される場合について説明する。
【０３２６】
図４６においては、コンタクトアイコン表示エリア８６４を、第一領域、第二領域、および、第三領域の３つの領域に分割し、中央部分のほうが優先順位が高くなるものとして、それぞれの領域が決定されているとともに、第一領域が最も大きく、第二領域がついで大きく、第三領域が最も小さくなるように、アイコンの大きさが設定されて表示されている。このようにすることにより、情報通信端末１のユーザは、更に直感的に、それぞれのユーザとの通信状態を判断することが可能となる。
【０３２７】
次に、図４７乃至図５１を参照して、通信モードに対応させて、アイコンの配列を決定する場合の具体的な例について説明する。
【０３２８】
まず、図４７を参照して、アドホックモードにおけるアイコンの配置の第１の例について説明する。
【０３２９】
図４７においては、コンタクトアイコン表示エリア８６４を、右上隅から順番に右上隅から近い位置の方が優先順位が高くなるように、第一領域、第二領域、および、第三領域の３つの領域に分割し、右上隅から近い位置である第一領域が最も優先順位が高く、次いで、第二領域が２番目に優先順位が高く、第三領域がもっとも優先順位が低くなるものとして、それぞれの領域が決定されている。そして、アドホックモードにおいて、登録されているユーザが通信範囲内に存在している状態（on-line）に対応するアイコンを、最も優先順位が高い第一領域に配置し、登録されているユーザが通信範囲内に存在していない状態（off-line）に対応するアイコンを、次に優先順位が高い第二領域に配置し、登録されていないユーザが通信範囲内に存在している状態（未登録on-line）に対応するアイコンを、もっとも優先順位が低い第三領域に配置するものとすることができる。
【０３３０】
このようにすることにより、情報通信端末１のユーザは、アイコンの配置を参照するだけで、それぞれの登録ユーザとの通信状態を判断することが可能となる。
【０３３１】
次に、図４８を参照して、アドホックモードにおけるアイコンの配置の第２の例について説明する。
【０３３２】
図４８に示されるように、コンタクトアイコン表示エリア８６４に、さらに、更に第四領域を設定し、右上隅から順番に右上隅から近い位置の方が優先順位が高くなるように、優先順位を設定して、アドホックモードにおいて、登録されているユーザが通信範囲内に存在している状態（on-line）に対応するアイコンを、最も優先順位が高い第一領域に配置し、登録されているユーザが通信範囲内に存在していない状態（off-line）に対応するアイコンを、次に優先順位が高い第二領域に配置し、登録されていないユーザが通信範囲内に存在している状態（未登録on-line）に対応するアイコンを、次の優先順位となる第三領域に配置するとともに、アドホックモードにおける登録ユーザではないが、インフラストラクチャモードを利用して通信を行うアプリケーションのいずれかにおいて登録されている登録ユーザを、最も優先順位の低い第４の領域に表示させるようにしてもよい。
【０３３３】
このようにすることにより、情報通信端末１のユーザは、例えば、ある友人が保有する装置宛にファイルを転送したいが、アドホックモードにおいて登録されているか、インフラストラクチャモードにおいて登録されているかを失念してしまったような場合に、該当する友人は、インフラストラクチャモードにおいて登録されている登録ユーザであることを認識することができ、該当する友人が保有する装置宛にファイルを転送するために、通信モードを切り替えることが可能となる。
【０３３４】
また、図示は省略するが、インフラストラクチャモードにおいても、インフラストラクチャモードにおいて登録されている登録ユーザに対応するアイコンをコンタクトアイコン表示エリア８６４の優先順位が高い領域に表示させるとともに、アドホックモードにおいて登録されている登録ユーザに対応するアイコンを、インフラストラクチャモードにおいて登録されている登録ユーザよりも優先順位が低い領域に表示するようにすることにより、図４８を用いて説明した場合と同様の効果を得ることができるのはいうまでも無い。
【０３３５】
また、ここでは、アイコンが配置される領域において、優先順位が高い領域は、右上隅からの距離の短いものから順番となるものとして説明したが、例えば、図４５または図４６を用いて説明したように、異なる配置で優先順位が高い領域を定めたり、優先順位が高い領域のアイコンの表示を大きくするようにしてもよい。
【０３３６】
次に、図４９を参照して、インフラストラクチャモードにおけるアイコンの配置の第１の例について説明する。
【０３３７】
情報通信端末１は、インフラストラクチャモードを用いて通信を行う複数のアプリケーションを実行可能なようになされている。したがって、例えば、上述したように、それぞれのアプリケーションにおいて登録されている登録ユーザに対応するアイコンをコンタクトアイコン表示エリア８６４に区別して表示するようにすればよい。
【０３３８】
また、インフラストラクチャモードを用いて通信を行う複数のアプリケーションのそれぞれの機能の一部を起動し、それぞれのユーザがオンラインであるか否かを監視しておくようになされている場合、登録ユーザに対応するアイコンを、アプリケーションごとに区別するのみならず、オンラインであるか否かを基に区別して、アイコンの配列を決定するようにすると好適である。
【０３３９】
ここで、情報通信端末１のユーザは、一般的には、ある友人に対してコンタクトを取りたいために、どのような方法で連絡を取るかを考えるので、情報通信端末１のユーザにとっては、アプリケーションの種類よりも、オンラインであるか否かが重要であると考えられる。
【０３４０】
したがって、図４９に示される、インフラストラクチャモードにおけるアイコンの配置の第１の例においては、コンタクトアイコン表示エリア８６４を、第一領域乃至第四の領域の４つの領域に分割し、右上隅から順番に右上隅から近い位置の方が優先順位が高くなるように、優先順位を設定して、第一領域には、コミュニケーションアプリケーションの登録ユーザであって、現在、オンライン状態であるユーザに対応するアイコンが配置され、第二領域には、インスタントメッセンジャーの登録ユーザであって、現在、オンライン状態であるユーザに対応するアイコンが配置され、第三領域には、コミュニケーションアプリケーションの登録ユーザであって、現在、オフライン状態であるユーザに対応するアイコンが配置され、第四領域には、インスタントメッセンジャーの登録ユーザであって、現在、オフライン状態であるユーザに対応するアイコンが配置されるようになされている。
【０３４１】
このようにすることにより、１つの通信モードで複数のアプリケーションが利用可能であり、更に、通信相手となる登録ユーザの通信状態が複数である場合にも、情報通信端末１のユーザは、アイコンの配置を参照するだけで、それぞれの登録ユーザとの通信状態を判断することが可能となる。
【０３４２】
ここでは、情報通信端末１が、インフラストラクチャモードを用いて通信を行う２つのアプリケーションを実行可能なようになされているものとして説明したが、情報通信端末１が、インフラストラクチャモードにおいて３つ以上のアプリケーションを実行して通信を行うようになされている場合にも、同様にして、それぞれのアプリケーションにおいてオンラインであるか否かを基に、優先順位を付け、アイコンの配列を決定するようにしてもよいことは言うまでも無い。
【０３４３】
また、ここでは、アイコンが配置される領域において、優先順位が高い領域は、右上隅からの距離の短いものから順番となるものとして説明したが、例えば、図４５または図４６を用いて説明したように、異なる配置で優先順位が高い領域を定めたり、優先順位が高い領域のアイコンの表示を大きくするようにしてもよい。
【０３４４】
次に、図５０を参照して、インフラストラクチャモードにおけるアイコンの配置の第２の例について説明する。
【０３４５】
上述したように、情報通信端末１は、インフラストラクチャモードを用いて通信を行う複数のアプリケーションを実行可能なようになされており、情報通信端末１のユーザは、一般的には、ある友人に対してコンタクトを取りたいために、どのような方法で連絡を取るかを考えるので、情報通信端末１のユーザにとっては、アプリケーションの種類よりも、オンラインであるか否かが重要であると考えられる。
【０３４６】
そこで、できるだけ多くのアプリケーションによって通信可能な（オンライン状態である）登録ユーザに対応するアイコンを、優先順位の高い位置に表示させるように配列を決定すると好適である。
【０３４７】
例えば、インフラストラクチャモードを用いて通信を行うコミュニケーションアプリケーションおよびインスタントメッセンジャーの２つのアプリケーションを実行可能なようになされている場合、図５０の第２の例に示されるように、コンタクトアイコン表示エリア８６４を、第一領域乃至第四の領域の４つの領域に分割し、右上隅から順番に右上隅から近い位置の方が優先順位が高くなるように、優先順位を設定して、第一領域には、コミュニケーションアプリケーションおよびインスタントメッセンジャーのいずれにおいても現在オンライン状態であるユーザに対応するアイコンが配置され、第二領域には、コミュニケーションアプリケーションのみが、現在、オンライン状態であるユーザに対応するアイコンが配置され、第三領域には、インスタントメッセンジャーのみが、現在、オンライン状態であるユーザに対応するアイコンが配置され、第四領域には、コミュニケーションアプリケーションおよびインスタントメッセンジャーのうちの少なくともいずれか一方の登録ユーザであるが、現在、コミュニケーションアプリケーションおよびインスタントメッセンジャーのいずれにおいても通信することができない状態（オフライン状態であるかまたは登録されていない）ユーザに対応するアイコンが配置されるようになされている。
【０３４８】
このようにすることにより、１つの通信モードで複数のアプリケーションが利用可能であり、更に、通信相手となる登録ユーザの通信状態が複数である場合にも、情報通信端末１のユーザは、アイコンの配置を参照するだけで、それぞれの登録ユーザとの通信のしやすさ、換言すれば、利用可能なアプリケーションが多い登録ユーザを容易に判断することが可能となる。
【０３４９】
ここでは、情報通信端末１が、インフラストラクチャモードを用いて通信を行う２つのアプリケーションを実行可能なようになされているものとして説明したが、情報通信端末１が、インフラストラクチャモードにおいて３つ以上のアプリケーションを実行して通信を行うようになされている場合にも、同様にして、できるだけ多くのアプリケーションによって通信可能な（オンライン状態である）登録ユーザに対応するアイコンの優先順位が高くなるように、アイコンの配列を決定するようにしてもよいことは言うまでも無い。
【０３５０】
また、ここでは、アイコンが配置される領域において、優先順位が高い領域は、右上隅からの距離の短いものから順番となるものとして説明したが、例えば、図４５または図４６を用いて説明したように、異なる配置で優先順位が高い領域を定めたり、優先順位が高い領域のアイコンの表示を大きくするようにしてもよい。
【０３５１】
以上の説明においては、基本的に、待ち受け画面８５１が表示される状態においては、アドホックモードかインフラストラクチャモードかのいずれか一方の通信モードであって、コンタクトアイコン表示エリア８６４に表示されるアイコンの配列は、現在、アドホックモードであるかインフラストラクチャモードであるかのいずれかによって、そのモードにおける登録ユーザが保有する装置との通信状態によって定められるものとして説明した。
【０３５２】
これに対して、例えば、待ち受け画面８５１が表示される状態において、WLANの通信モードを、アドホックモードとインフラストラクチャモードとを所定時間で切り替え、両方の通信モードにおける登録ユーザが保有する装置との通信状態を検出し、これを基に、アイコンの配列を決定するものとしてもよい。
【０３５３】
図５１を参照して、待ち受け画面８５１が表示される状態において、アドホックモードとインフラストラクチャモードとを所定時間で切り替え、両方の通信モードにおける登録ユーザとの通信状態を検出し、これを基に、アイコンの配列を決定するようになされている場合の、コンタクトアイコン表示エリア８６４におけるアイコンの配置の例について説明する。
【０３５４】
図５１においては、コンタクトアイコン表示エリア８６４を、第一領域、第二領域、・・・第α領域（αは１以上の整数）のαの領域に分割し、右上隅から順番に右上隅から近い位置の方が優先順位が高くなるように、優先順位を設定するものとする。領域の分割数αは、アドホックモードとインフラストラクチャモードとにおける通信状態の取り得る数によって適宜決定されるものである。
【０３５５】
ここでは、例えば、コミュニケーションアプリケーションがオンラインである場合を優先順位が高い領域に配置するものとし、コミュニケーションアプリケーションおよびインスタントメッセンジャーのいずれもオンラインであり、更に、アドホックモードにおいて登録されているユーザが通信範囲内に存在している状態（on-line）に対応するアイコンを、最も優先順位が高い第一領域に配置し、コミュニケーションアプリケーションおよびインスタントメッセンジャーのいずれもオンラインであるが、登録されているユーザが通信範囲内に存在していない状態（off-line）に対応するアイコンを、次に優先順位が高い第二領域に配置し、コミュニケーションアプリケーションにおいてはオンラインであるが、インスタントメッセンジャーにおいてはオフラインであり、アドホックモードにおいて登録されているユーザが通信範囲内に存在している状態（on-line）に対応するアイコンを、第三領域に配置するものとする。そして、コミュニケーションアプリケーションにおいてはオンラインであるが、インスタントメッセンジャーにおいてはオフラインであり、登録されているユーザが通信範囲内に存在していない状態（off-line）に対応するアイコンが、第四領域に配置され、コミュニケーションアプリケーションにおいてはオフラインであるが、インスタントメッセンジャーにおいてはオンラインであり、アドホックモードにおいて登録されているユーザが通信範囲内に存在している状態（on-line）に対応するアイコンが、第五領域に配置される。そして、以下、同様に、例えば、コミュニケーションアプリケーションおよびインスタントメッセンジャーとのいずれにおいてもオフライン状態であり、対応するユーザは、アドホックモードにおいては登録されていない状態に対応するアイコンが、最も優先順位の低い第α領域（図示せず）に配置されるまで、それぞれの通信状態の組み合わせによって、アイコンの配置が決められる。
【０３５６】
なお、通信相手が保有する装置が、コミュニケーションアプリケーションおよびインスタントメッセンジャーのうちの少なくともいずれか一方がオンラインであり、更に、アドホックモードにおいて登録されているユーザが通信範囲内に存在している状態（on-line）である場合、対応する通信相手が保有する装置も、アドホックモードとインフラストラクチャモードとを所定時間で切り替え、両方の通信モードにおける登録ユーザとの通信状態を検出することができる状態となっている。
【０３５７】
図５１を用いて説明したそれぞれの通信状態の組み合わせと優先順位の決定方法は、例示した限りではなく、例えば、インスタントメッセンジャーを頻繁に利用するユーザにおける場合は、インスタントメッセンジャーがオンラインである状態のユーザに対応するアイコンの優先順位が高くなるように、それぞれの通信状態の組み合わせと優先順位を決定するようにしてもよいし、インフラストラクチャモードよりアドホックモードを頻繁に利用するユーザにおける場合は、アドホックモードにおいて登録され、オンラインであるユーザに対応するアイコンの優先順位が高くなるように、それぞれの通信状態の組み合わせと優先順位を決定するようにしてもよい。
【０３５８】
なお、以上説明した、コンタクトアイコン表示エリア８６４に表示される登録されるアイコンの配置方法や表示方法は、適宜、設定変更可能なようになされており、その設定内容は、図４１を用いて説明した表示設定記憶制御部８７３の制御に基づいて、いずれかのメモリに記憶され、必要に応じて、読み出される。
【０３５９】
次に、図５２乃至図５５のフローチャートを参照して、待ち受け画面表示処理について説明する。
【０３６０】
ステップＳ１において、表示画像生成部８８０および通信状態取得部８７２は、操作入力取得部８７１により取得されて供給される、ユーザの操作入力を示す信号を基に、待ち受け画面の表示の指令を受けたか否かを判断する。ステップＳ１において、待ち受け画面の表示の指令を受けていないと判断された場合、待ち受け画面の表示の指令を受けたと判断されるまで、ステップＳ１の処理が繰り返される。
【０３６１】
ステップＳ１において、待ち受け画面の表示の指令を受けたと判断された場合、ステップＳ２において、通信状態取得部８７２は、現在の通信状態を検出し、WLANがONされているか否かを判断し、判断結果を、アイコン配列決定部８７７に供給する。
【０３６２】
ステップＳ２において、WLANがONされていないと判断された場合、判断結果の供給を受けた、アイコン配列決定部８７７は、WLANがOFFであることを表示画像生成部８８０に通知する。表示画像生成部８８０は、表示モジュール１４２を制御して、WLANがOFFである場合の待ち受け画面の表示を制御する。これにより、表示部２１に、WLANがOFFである場合の待ち受け画面が表示される。
【０３６３】
ステップＳ４において、通信状態取得部８７２は、現在の通信状態を検出し、WLANがONされたか否かを判断する。ステップＳ４において、WLANがONされたと判断された場合、処理は、後述するステップＳ６に進む。
【０３６４】
ステップＳ４において、WLANがONされていないと判断された場合、ステップＳ５において、表示画像生成部８８０は、操作入力取得部８７１により取得されて供給される、ユーザの操作入力を示す信号を基に、例えば、HOMEボタン２３が押下されて、Home画面４５１の表示が指令されたり、BACKボタン２４が押下されて、一つ前の表示画面の表示が指令されるなど、待ち受け画面以外の表示が指令されたか否かを判断する。
【０３６５】
ステップＳ５において、待ち受け画面以外の表示が指令されたと判断された場合、処理は、後述するステップＳ４３に進む。ステップＳ５において、待ち受け画面以外の表示が指令されていないと判断された場合、処理は、ステップＳ４に戻り、それ以降の処理が繰り返される。
【０３６６】
ステップＳ２において、WLANがONされていると判断された場合、または、ステップＳ４において、WLANがONされたと判断された場合、ステップＳ６において、アイコン配列決定部８７７は、表示設定記憶制御部８７３により記憶が制御された表示設定を読み出させ、アドホックモードとインフラストラクチャモードとに対応して、表示されるアイコンを切り替えるように設定されているか否かを判断する。
【０３６７】
ステップＳ６において、アドホックモードとインフラストラクチャモードとに対応して、表示されるアイコンを切り替えるように設定されていないと判断された場合、ステップＳ７において、図５６および図５７を用いて後述する、ＷＬＡＮ通信可能ユーザ表示処理が実行され、処理が終了される。
【０３６８】
ステップＳ６において、アドホックモードとインフラストラクチャモードとに対応して、表示されるアイコンを切り替えるように設定されていると判断された場合、ステップＳ８において、通信状態取得部８７２は、現在の通信状態を検出し、通信モードはアドホックモードであるか否かを判断して、判断結果を登録ユーザ情報取得部８７４およびアイコン配列決定部８７７に供給する。
【０３６９】
ステップＳ８において、通信モードはアドホックモードではない、すなわち、インフラストラクチャモードであると判断された場合、処理は、後述するステップＳ２７に進む。
【０３７０】
ステップＳ８において、通信モードはアドホックモードであると判断された場合、ステップＳ９において、登録ユーザ情報取得部８７４は、アドホックモードにおける相互通信の登録ユーザに関する情報を、オーディオプロセッサ１３２を介して、大容量メモリ１５４から読み出して抽出する。
【０３７１】
ステップＳ１０において、アイコン配列決定部８７７は、表示設定記憶制御部８７３により記憶が制御された表示設定を読み出させ、インフラストラクチャモードの登録ユーザに対応するアイコンも表示するように設定されているか否かを判断する。
【０３７２】
ステップＳ１０において、インフラストラクチャモードの登録ユーザに対応するアイコンも表示するように設定されていると判断された場合、ステップＳ１１において、アイコン配列決定部８７７は、登録ユーザ情報取得部８７４に、インフラストラクチャモードの登録ユーザに関する情報を、オーディオプロセッサ１３２を介して、大容量メモリ１５４から読み出して抽出させる。そして、アイコン配列決定部８７７は、例えば、図４８を用いて説明したようにして、アドホックモードにおける相互通信の登録ユーザとして、抽出された登録ユーザを、すべて、オフラインであるものと判断してアイコンを配列するとともに、インフラストラクチャモードの登録ユーザに対応するアイコンを、アドホックモードにおける相互通信の登録ユーザに対応するアイコンよりもレベルの低い領域に配列するものとして、決定された配列を示す情報を表示画像生成部８８０に通知する。表示画像生成部８８０は、表示モジュール１４２を制御して、図４８を用いて説明した待ち受け画面８５１に対応する表示画像データを生成し、表示モジュール１４２を制御して、待ち受け画面８５１の表示を制御する。
【０３７３】
ステップＳ１０において、インフラストラクチャモードの登録ユーザに対応するアイコンは表示しないように設定されていると判断された場合、ステップＳ１２において、アイコン配列決定部８７７は、例えば、図４７を用いて説明したようにして、アドホックモードの登録ユーザとして抽出された登録ユーザを、すべて、オフラインであるものと判断して（すなわち、図４７における場合であれば、コンタクトアイコン表示エリア８６４の第２領域に表示するものとして）、決定された配列を示す情報を表示画像生成部８８０に通知する。表示画像生成部８８０は、表示モジュール１４２を制御して、図４７を用いて説明した待ち受け画面８５１に対応する表示画像データを生成し、表示モジュール１４２を制御して、待ち受け画面８５１の表示を制御する。
【０３７４】
ステップＳ１１、または、ステップＳ１２の処理の終了後、ステップＳ１３において、ブロードキャスト情報取得部８７５は、他の情報通信端末１から、ブロードキャストされた情報を受信したか否かを判断する。ステップＳ１３において、他の情報通信端末１から、ブロードキャストされた情報を受信していないと判断された場合、処理は、後述するステップＳ１７に進む。
【０３７５】
ステップＳ１３において、他の情報通信端末１から、ブロードキャストされた情報を受信したと判断された場合、ステップＳ１４において、ブロードキャスト情報取得部８７５は、ブロードキャストされた情報の送信元は、登録されたユーザであるか否かを判断する。
【０３７６】
ステップＳ１４において、ブロードキャストされた情報の送信元は、登録されたユーザであると判断された場合、ステップＳ１５において、ブロードキャスト情報取得部８７５は、判断結果をアイコン配列決定部８７７に供給する。アイコン配列決定部８７７は、対応するユーザのアイコンをオンラインであるものとして、全体の配列を更新するものとし、決定された配列を示す情報を表示画像生成部８８０に通知する。表示画像生成部８８０は、表示モジュール１４２を制御して、配列が更新された待ち受け画面８５１に対応する表示画像データを生成し、表示モジュール１４２を制御して、待ち受け画面８５１の表示を制御する。具体的には、例えば、コンタクトアイコン表示エリア８６４のそれぞれのアイコン配置可能な位置に、順番に優先順位が付けられていた場合、アイコン配列決定部８７７は、ブロードキャストされた情報の送信元に対応する登録ユーザのアイコンを、オフラインのユーザに対応するアイコンよりも優先順位が高い位置に表示されるように、アイコンの配列を決定し、全体の配列を更新する。また、例えば、図４７における場合であれば、アイコン配列決定部８７７は、コンタクトアイコン表示エリア８６４の第２領域に表示されていた、対応する登録ユーザのアイコンを、第１領域に移動し、必要に応じて、全体の配列を更新する。
【０３７７】
ステップＳ１４において、ブロードキャストされた情報の送信元は、登録されたユーザではなく、未登録のユーザであると判断された場合、ステップＳ１６において、ブロードキャスト情報取得部８７５は、判断結果およびブロードキャストされた情報をアイコン配列決定部８７７に供給する。アイコン配列決定部８７７は、ブロードキャストされた情報を基に、情報の送信元に対応するアイコンを追加し、全体の配列を更新するものとして、決定された配列を示す情報を表示画像生成部８８０に通知する。表示画像生成部８８０は、表示モジュール１４２を制御して、配列が更新された待ち受け画面８５１に対応する表示画像データを生成し、表示モジュール１４２を制御して、待ち受け画面８５１の表示を制御する。具体的には、例えば、コンタクトアイコン表示エリア８６４のそれぞれのアイコン配置可能な位置に、順番に優先順位が付けられていた場合、アイコン配列決定部８７７は、ブロードキャストされた情報の送信元に対応する未登録ユーザのアイコンを、オフラインのユーザに対応するアイコンよりも優先順位が低い位置に表示されるように、アイコンの配列を決定し、必要に応じて、全体の配列を更新する。また、例えば、図４７における場合であれば、アイコン配列決定部８７７は、対応する未登録ユーザのアイコンを、第３領域に表示させ、必要に応じて、全体の配列を更新する。
【０３７８】
ステップＳ１３において、他の情報通信端末１から、ブロードキャストされた情報を受信していないと判断された場合、ステップＳ１５の処理の終了後、または、ステップＳ１６の処理の終了後、ステップＳ１７において、操作入力取得部８７１は、コンタクトアイコン表示エリア８６４に表示されているアイコンのうちのいずれかが選択決定されたか否かを判断する。ステップＳ１７において、コンタクトアイコン表示エリア８６４に表示されているアイコンはいずれも選択決定されていないと判断された場合、処理は、後述するステップＳ２４に進む。
【０３７９】
ステップＳ１７において、コンタクトアイコン表示エリア８６４に表示されているアイコンのうちのいずれかが選択されたと判断された場合、ステップＳ１８において、操作入力取得部８７１は、表示画像生成部８８０に、選択決定されたアイコンはいずれのアイコンであるかを示す情報を供給する。表示画像生成部８８０は、例えば、図４３を用いて説明した利用可能アプリケーション一覧画面８９２に表示画面を変更させるため、利用可能アプリケーション抽出部８７８に、選択決定されたアイコンはいずれのアイコンであるかを示す情報を供給する。利用可能アプリケーション抽出部８７８は、通信状態取得部８２８により取得されている通信状態（現在アドホックモードであること）、登録ユーザ情報取得部８７４により取得される登録ユーザに関する情報、および、ブロードキャスト情報取得部８７５により取得される、ブロードキャストされている未登録ユーザに関する情報を基に、選択決定されたアイコンに対応する登録ユーザと通信を行うために利用可能なアプリケーションを抽出し、表示画像生成部８８０に供給する。
【０３８０】
ステップＳ１９において、表示画像生成部８８０は、利用可能アプリケーション抽出部８７８から供給された選択決定されたアイコンに対応する登録ユーザと通信を行うために利用可能なアプリケーションの抽出結果を基に、例えば、図４３を用いて説明した利用可能アプリケーション一覧画面８９２の画面データを生成する。
【０３８１】
ステップＳ２０において、表示画像生成部８８０は、表示モジュール１４２を制御して、ステップＳ１９において生成された、利用可能アプリケーション一覧画面８９２の表示を制御する。これにより、表示部２１に、図４３を用いて説明した利用可能アプリケーション一覧画面８９２が表示される。
【０３８２】
ステップＳ２１において、操作入力取得部８７１は、ステップＳ２０において表示された利用可能アプリケーション一覧画面８９２に示されているいずれかのアプリケーションが選択決定されたか否かを判断する。
【０３８３】
ステップＳ２１において、いずれかのアプリケーションが選択決定されたと判断された場合、ステップＳ２２において、アプリケーションプロセッサ１３１のアプリケーションマネージャは、選択決定されたアプリケーションプログラムを起動して実行し、処理が終了される。
【０３８４】
ステップＳ２１において、いずれのアプリケーションも選択決定されていないと判断された場合、ステップＳ２３において、操作入力取得部８７１は、待ち受け画面の表示が指令されたか否かを判断する。ステップＳ２３において、待ち受け画面の表示が指令されていないと判断された場合、処理は、ステップＳ２１に戻り、それ以降の処理が繰り返される。
【０３８５】
ステップＳ１７において、コンタクトアイコン表示エリア８６４に表示されているアイコンはいずれも選択決定されていないと判断された場合、または、ステップＳ２３において、待ち受け画面の表示が指令されたと判断された場合、ステップＳ２４において、操作入力取得部８７１は、インフラストラクチャモードへの切り替えが指令されたか否かを判断する。ステップＳ２４において、インフラストラクチャモードへの切り替えが指令されたと判断された場合、処理は、後述するステップＳ２７に進む。
【０３８６】
ステップＳ２４において、インフラストラクチャモードへの切り替えが指令されていないと判断された場合、ステップＳ２５において、操作入力取得部８７１は、WLANのOFFが指令されたか否かを判断する。ステップＳ２５において、WLANのOFFが指令されたと判断された場合、処理は、ステップＳ３に戻り、それ以降の処理が繰り返される。
【０３８７】
ステップＳ２５において、WLANのOFFが指令されていないと判断された場合、ステップＳ２６において、表示画像生成部８８０は、操作入力取得部８７１により取得されて供給される、ユーザの操作入力を示す信号を基に、例えば、HOMEボタン２３が押下されて、Home画面４５１の表示が指令されたり、BACKボタン２４が押下されて、一つ前の表示画面の表示が指令されるなど、待ち受け画面以外の表示が指令されたか否かを判断する。
【０３８８】
ステップＳ２６において、待ち受け画面以外の表示が指令されたと判断された場合、処理は、後述するステップＳ４３に進む。ステップＳ２６において、待ち受け画面以外の表示が指令されていないと判断された場合、処理は、ステップＳ１７に戻り、それ以降の処理が繰り返される。
【０３８９】
ステップＳ８において、通信モードはアドホックモードではない、すなわち、インフラストラクチャモードであると判断された場合、または、ステップＳ２４において、インフラストラクチャモードへの切り替えが指令されたと判断された場合、ステップＳ２７において、登録ユーザ情報取得部８７４は、インフラストラクチャモードを利用するアプリケーションにおいて、通信相手として登録されている登録ユーザに関する情報を、オーディオプロセッサ１３２を介して、大容量メモリ１５４から読み出して抽出し、アイコン配列決定部８７７に供給する。
【０３９０】
ステップＳ２８において、アイコン配列決定部８７７は、表示設定記憶制御部８７３により記憶が制御された表示設定を読み出させ、インフラストラクチャモードを利用するアプリケーションにおいて登録されている通信相手（登録ユーザ）がオンラインであるかオフラインであるかをあらかじめ確認するように設定されているか否かを判断する。ステップＳ２８において、通信相手がオンラインであるかオフラインであるかをあらかじめ確認するように設定されていないと判断された場合、処理は、後述するステップＳ３２に進む。
【０３９１】
ステップＳ２８において、通信相手がオンラインであるかオフラインであるかをあらかじめ確認するように設定されていると判断された場合、ステップＳ２９において、Online/Offline判別部８７６は、インフラストラクチャモードを利用するアプリケーションの機能うちの少なくとも一部の機能を動作させる。
【０３９２】
ステップＳ３０において、インフラストラクチャモードを利用するアプリケーションの機能うちの少なくとも一部の機能を動作させているアプリケーションプロセッサ１３１は、それぞれのサービスを提供しているサーバ１２にアクセスし、通信可能なユーザとして登録されているユーザがオンラインであるかオフラインであるかの常時監視を開始し、その結果を、アイコン配列決定部８７７に供給する。
【０３９３】
ステップＳ３１において、図５８または図５９を用いて後述するアイコン配列処理が実行されて、処理は、ステップＳ３３に進む。
【０３９４】
ステップＳ２８において、通信相手がオンラインであるかオフラインであるかをあらかじめ確認するように設定されていないと判断された場合、ステップＳ３２において、アイコン配列決定部８７７は、抽出された登録ユーザのアイコンの配列を、利用可能なアプリケーションを基に決定し、決定されたアイコンの配列を示す情報を、表示画像生成部８８０に供給する。表示画像生成部８８０は、表示モジュール１４２を制御して、配列が決定された待ち受け画面８５１に対応する表示画像データを生成し、表示モジュール１４２を制御して、待ち受け画面８５１の表示を制御する。
【０３９５】
ステップＳ３１、または、ステップＳ３２の処理の終了後、ステップＳ３３において、操作入力取得部８７１は、コンタクトアイコン表示エリア８６４に表示されているアイコンのうちのいずれかが選択決定されたか否かを判断する。ステップＳ３３において、コンタクトアイコン表示エリア８６４に表示されているアイコンはいずれも選択決定されていないと判断された場合、処理は、後述するステップＳ４０に進む。
【０３９６】
ステップＳ３３において、コンタクトアイコン表示エリア８６４に表示されているアイコンのうちのいずれかが選択されたと判断された場合、ステップＳ３４において、操作入力取得部８７１は、表示画像生成部８８０に、選択決定されたアイコンはいずれのアイコンであるかを示す情報を供給する。表示画像生成部８８０は、例えば、図４２を用いて説明した利用可能アプリケーション一覧画面８９１に表示画面を変更させるため、利用可能アプリケーション抽出部８７８に、選択決定されたアイコンはいずれのアイコンであるかを示す情報を供給する。利用可能アプリケーション抽出部８７８は、通信状態取得部８２８により取得されている通信状態（現在インフラストラクチャモードであること）、および、登録ユーザ情報取得部８７４により取得される登録ユーザに関する情報を基に、選択決定されたアイコンに対応する登録ユーザと通信を行うために利用可能なアプリケーションを抽出し、表示画像生成部８８０に供給する。
【０３９７】
ステップＳ３５において、表示画像生成部８８０は、利用可能アプリケーション抽出部８７８から供給された選択決定されたアイコンに対応する登録ユーザと通信を行うために利用可能なアプリケーションの抽出結果を基に、例えば、図４２を用いて説明した利用可能アプリケーション一覧画面８９１の画面データを生成する。
【０３９８】
ステップＳ３６において、表示画像生成部８８０は、表示モジュール１４２を制御して、ステップＳ３５において生成された、利用可能アプリケーション一覧画面８９１の表示を制御する。これにより、表示部２１に、図４２を用いて説明した利用可能アプリケーション一覧画面８９１が表示される。
【０３９９】
ステップＳ３７において、操作入力取得部８７１は、ステップＳ３６において表示された利用可能アプリケーション一覧画面８９１に示されているいずれかのアプリケーションが選択されたか否かを判断する。
【０４００】
ステップＳ３７において、いずれかのアプリケーションが選択決定されたと判断された場合、ステップＳ３８において、アプリケーションプロセッサ１３１のアプリケーションマネージャは、選択決定されたアプリケーションプログラムを起動して実行し、処理が終了される。
【０４０１】
ステップＳ３７において、いずれのアプリケーションも選択決定されていないと判断された場合、ステップＳ３９において、操作入力取得部８７１は、待ち受け画面の表示が指令されたか否かを判断する。ステップＳ３９において、待ち受け画面の表示が指令されていないと判断された場合、処理は、ステップＳ３７に戻り、それ以降の処理が繰り返される。
【０４０２】
ステップＳ３３において、コンタクトアイコン表示エリア８６４に表示されているアイコンはいずれも選択決定されていないと判断された場合、または、ステップＳ３９において、待ち受け画面の表示が指令されたと判断された場合、ステップＳ４０において、操作入力取得部８７１は、アドホックモードへの切り替えが指令されたか否かを判断する。ステップＳ４０において、アドホックモードへの切り替えが指令されたと判断された場合、処理は、上述したステップＳ９に戻り、それ以降の処理が繰り返される。
【０４０３】
ステップＳ４０において、アドホックモードへの切り替えが指令されていないと判断された場合、ステップＳ４１において、操作入力取得部８７１は、WLANのOFFが指令されたか否かを判断する。ステップＳ４１において、WLANのOFFが指令されたと判断された場合、処理は、ステップＳ３に戻り、それ以降の処理が繰り返される。
【０４０４】
ステップＳ４１において、WLANのOFFが指令されていないと判断された場合、ステップＳ４２において、表示画像生成部８８０は、操作入力取得部８７１により取得されて供給される、ユーザの操作入力を示す信号を基に、例えば、HOMEボタン２３が押下されて、Home画面４５１の表示が指令されたり、BACKボタン２４が押下されて、一つ前の表示画面の表示が指令されるなど、待ち受け画面以外の表示が指令されたか否かを判断する。ステップＳ４２において、待ち受け画面以外の表示が指令されなかったと判断された場合、処理は、ステップＳ２８に戻り、それ以降の処理が繰り返される。
【０４０５】
ステップＳ５、ステップＳ２６、または、ステップＳ４２において、待ち受け画面以外の表示が指令されたと判断された場合、ステップＳ４３において、表示画像生成部８８０は、表示モジュール１４２を制御して、操作入力取得部８７１により取得されて供給されるユーザの操作入力にしたがって、表示画面を変更するように制御し、処理が終了される。
【０４０６】
このように、ユーザによる設定に応じて、例えば、WLANがONであるかOFFであるかに基づいて待ち受け画面を変更することができ、さらに、WLANがONである場合には、アドホックモードであるか、インフラストラクチャモードであるかに基づいて、さらに、アドホックモードであっても、インフラストラクチャモードであっても、それぞれの登録ユーザの通信状態に応じて、コンタクトアイコン表示エリア８６４に表示されているアイコンの配列を決定することができる。また、コンタクトアイコン表示エリア８６４に表示されているアイコンのうちのいずれかが選択決定された場合、選択決定されたアイコンに対応する登録ユーザと通信を行うために利用可能なアプリケーションが抽出されて、利用可能アプリケーション一覧画面８９１または８９２を生成して表示することができる。
【０４０７】
このようにすることにより、情報通信端末１のユーザは、コンタクトの取りやすい相手を探して連絡を取ったり、ある友人に対してコンタクトを取りたいために、どのような方法で連絡を取るかを考えるという、一般的な思考順序で、情報通信の相手を決定することができ、該当する情報通信の相手が有する装置との情報の授受方法を容易に選択することが可能となる。
【０４０８】
次に、図５６および図５７のフローチャートを参照して、図５２のステップＳ７において実行される、ＷＬＡＮ通信可能ユーザ表示処理について説明する。
【０４０９】
ステップＳ７１において、登録ユーザ情報取得部８７４は、アドホックモードにおける相互通信の登録ユーザ、および、インフラストラクチャモードを利用するアプリケーションにおいて、通信相手として登録されている登録ユーザに関する情報を、オーディオプロセッサ１３２を介して、大容量メモリ１５４から読み出して抽出し、アイコン配列決定部８７７に供給する。
【０４１０】
ステップＳ７２において、Online/Offline判別部８７６は、通信モードを、自動的に（ユーザの操作入力にかかわらず）アドホックモードとする。
【０４１１】
ステップＳ７３において、ブロードキャスト情報取得部８７５は、他の情報通信端末１から、ブロードキャストされた情報を受信したか否かを判断する。ステップＳ７３において、他の情報通信端末１から、ブロードキャストされた情報を受信していないと判断された場合、処理は、後述するステップＳ７６に進む。
【０４１２】
ステップＳ７３において、他の情報通信端末１から、ブロードキャストされた情報を受信したと判断された場合、ステップＳ７４において、ブロードキャスト情報取得部８７５は、取得された情報を、アイコン配列決定部８７７に供給する。アイコン配列決定部８７７は、登録ユーザに関する情報と、ブロードキャストされた情報とを基に、アドホックモードにおける相互通信の登録ユーザが、それぞれオンラインであるかオフラインであるかを判定する。
【０４１３】
ステップＳ７５において、ブロードキャスト情報取得部８７５は、登録ユーザに関する情報と、ブロードキャストされた情報とを基に、ブロードキャストされて取得された情報の中から登録されていないユーザに対応する情報を抽出して保持する。
【０４１４】
ステップＳ７３において、他の情報通信端末１から、ブロードキャストされた情報を受信していないと判断された場合、または、ステップＳ７５の処理の終了後、ステップＳ７６において、Online/Offline判別部８７６は、通信モードを、自動的に（ユーザの操作入力にかかわらず）インフラストラクチャモードに変更する。
【０４１５】
ステップＳ７７において、Online/Offline判別部８７６は、インフラストラクチャモードを利用するアプリケーションの機能うちの少なくとも一部の機能を動作させる。
【０４１６】
ステップＳ７８において、インフラストラクチャモードを利用するアプリケーションの機能うちの少なくとも一部の機能を動作させているアプリケーションプロセッサ１３１は、それぞれのサービスを提供しているサーバ１２にアクセスし、通信可能なユーザとして登録されているユーザがオンラインであるかオフラインであるかを確認し、Online/Offline判別部８７６に供給する。Online/Offline判別部８７６は、通信可能なユーザとして登録されているユーザがオンラインであるかオフラインであるかの判定結果を、アイコン配列決定部８７７に供給する。
【０４１７】
ステップＳ７９において、アイコン配列決定部８７７は、表示設定記憶制御部８７３により記憶が制御された表示設定を読み出させ、ステップＳ７１乃至ステップＳ７８の処理において取得された情報を基に、例えば、図５１を用いて説明したようにして、両方の通信モードにおける登録ユーザとの通信状態を基に、それぞれのアイコンの配置を設定、または、変更するものとして、設定または変更された配列を示す情報を表示画像生成部８８０に通知する。表示画像生成部８８０は、表示モジュール１４２を制御して、図４８を用いて説明した待ち受け画面８５１に対応する表示画像データを生成し、表示モジュール１４２を制御して、待ち受け画面８５１の表示を制御する。
【０４１８】
ステップＳ８０において、操作入力取得部８７１は、コンタクトアイコン表示エリア８６４に表示されているアイコンのうちのいずれかが選択されたか否かを判断する。ステップＳ８０において、コンタクトアイコン表示エリア８６４に表示されているアイコンはいずれも選択決定されていないと判断された場合、処理は、後述するステップＳ８８に進む。
【０４１９】
ステップＳ８０において、コンタクトアイコン表示エリア８６４に表示されているアイコンのうちのいずれかが選択されたと判断された場合、ステップＳ８１において、操作入力取得部８７１は、表示画像生成部８８０に、選択決定されたアイコンはいずれのアイコンであるかを示す情報を供給する。表示画像生成部８８０は、例えば、選択決定されたアイコンに対応するユーザが有する装置との通信にアドホックモードまたはインフラストラクチャモードにおいて利用可能なアプリケーションの一覧が表示された利用可能アプリケーション一覧画面（基本的には、図４２を用いて説明した利用可能アプリケーション一覧画面８９１、図４３を用いて説明した利用可能アプリケーション一覧画面８９２と同等のものである）に表示画面を変更させるため、利用可能アプリケーション抽出部８７８に、選択決定されたアイコンはいずれのアイコンであるかを示す情報を供給する。利用可能アプリケーション抽出部８７８は、登録ユーザ情報取得部８７４により取得される登録ユーザに関する情報、および、ブロードキャスト情報取得部８７５により取得される、ブロードキャストされている未登録ユーザに関する情報を基に、選択決定されたアイコンに対応する登録ユーザと通信を行うために利用可能なアプリケーションを抽出し、表示画像生成部８８０に供給する。
【０４２０】
ステップＳ８２において、表示画像生成部８８０は、利用可能アプリケーション抽出部８７８から供給された、選択決定されたアイコンに対応する登録ユーザと通信を行うために利用可能なアプリケーションの抽出結果を基に、利用可能アプリケーション一覧画面の画面データを生成する。
【０４２１】
ステップＳ８３において、表示画像生成部８８０は、表示モジュール１４２を制御して、ステップＳ８２において生成された、利用可能アプリケーション一覧画面の表示を制御する。これにより、表示部２１に、利用可能アプリケーション一覧画面が表示される。
【０４２２】
ステップＳ８４において、操作入力取得部８７１は、ステップＳ８３において表示された利用可能アプリケーション一覧画面に示されているいずれかのアプリケーションが選択されたか否かを判断する。
【０４２３】
ステップＳ８４において、いずれかのアプリケーションが選択決定されたと判断された場合、ステップＳ８５において、アプリケーションプロセッサ１３１は、通信モードを、選択決定されたアプリケーションに対応する通信モードとする。
【０４２４】
ステップＳ８６において、アプリケーションプロセッサ１３１のアプリケーションマネージャは、選択決定されたアプリケーションプログラムを起動して実行し、処理は、図５２のステップＳ７に戻り、処理が終了される。
【０４２５】
ステップＳ８４において、いずれのアプリケーションも選択決定されていないと判断された場合、ステップＳ８７において、操作入力取得部８７１は、待ち受け画面の表示が指令されたか否かを判断する。ステップＳ８７において、待ち受け画面の表示が指令されていないと判断された場合、処理は、ステップＳ８４に戻り、それ以降の処理が繰り返される。
【０４２６】
ステップＳ８７において、待ち受け画面の表示が指令されたと判断された場合、ステップＳ８８において、操作入力取得部８７１は、WLANのOFFが指令されたか否かを判断し、判断結果を、アイコン配列決定部８７７に供給する。
【０４２７】
ステップＳ８８において、WLANのOFFが指令されたと判断された場合、ステップＳ８９において、判断結果の供給を受けた、アイコン配列決定部８７７は、WLANのOFFが指令されたことを表示画像生成部８８０に通知する。表示画像生成部８８０は、表示モジュール１４２を制御して、WLANがOFFである場合の待ち受け画面の表示を制御する。これにより、表示部２１に、WLANがOFFである場合の待ち受け画面が表示される。
【０４２８】
ステップＳ９０において、通信状態取得部８７２は、現在の通信状態を検出し、WLANがONされたか否かを判断する。ステップＳ９０において、WLANがONされたと判断された場合、処理は、ステップＳ７１に戻り、それ以降の処理が繰り返される。
【０４２９】
ステップＳ９０において、WLANがONされていないと判断された場合、ステップＳ９１において、表示画像生成部８８０は、操作入力取得部８７１により取得されて供給される、ユーザの操作入力を示す信号を基に、例えば、HOMEボタン２３が押下されて、Home画面４５１の表示が指令されたり、BACKボタン２４が押下されて、一つ前の表示画面の表示が指令されるなど、待ち受け画面以外の表示が指令されたか否かを判断する。
【０４３０】
ステップＳ９１において、待ち受け画面以外の表示が指令されたと判断された場合、処理は、後述するステップＳ９３に進む。ステップＳ９１において、待ち受け画面以外の表示が指令されていないと判断された場合、処理は、ステップＳ９０に戻り、それ以降の処理が繰り返される。
【０４３１】
ステップＳ８８において、WLANのOFFが指令されていないと判断された場合、ステップＳ９２において、アイコン配列決定部８７７は、WLANのOFFが指令されていないことを表示画像生成部８８０に通知する。表示画像生成部８８０は、操作入力取得部８７１により取得されて供給される、ユーザの操作入力を示す信号を基に、例えば、HOMEボタン２３が押下されて、Home画面４５１の表示が指令されたり、BACKボタン２４が押下されて、一つ前の表示画面の表示が指令されるなど、待ち受け画面以外の表示が指令されたか否かを判断する。
【０４３２】
ステップＳ９２において、待ち受け画面以外の表示が指令されていないと判断された場合、処理は、ステップＳ８０に戻り、それ以降の処理が繰り返される。
【０４３３】
ステップＳ９１、または、ステップＳ９２において、待ち受け画面以外の表示が指令されたと判断された場合、ステップＳ９３において、表示画像生成部８８０は、表示モジュール１４２を制御して、操作入力取得部８７１により取得されて供給される、ユーザの操作入力を基に、ユーザの操作入力を示す信号を基に、ユーザの操作入力にしたがって、表示画面を変更するように制御し、処理は、図５２のステップＳ７に戻り、処理が終了される。
【０４３４】
このような処理により、アドホックモードとインフラストラクチャモードとに対応して、表示されるアイコンを切り替えるように設定されていない場合において、両方の通信モードにおける登録ユーザとの通信状態を基に、それぞれのアイコンの配置を設定、または、変更し、表示させるようにすることができる。また、コンタクトアイコン表示エリア８６４に表示されているアイコンのうちのいずれかが選択決定された場合、選択決定されたアイコンに対応する登録ユーザと通信を行うために利用可能なアプリケーションが抽出されて、利用可能アプリケーション一覧画面が生成されて表示される。更に、ユーザにより、利用されるアプリケーションが選択決定された場合、選択決定されたアプリケーションに応じて、通信モードがアドホックモードとインフラストラクチャモードとのいずれかに設定される。
【０４３５】
このようにすることにより、情報通信端末１のユーザは、ある友人に対してコンタクトを取りたいために、どのような方法で連絡を取るかを考えるという、一般的な思考順序で、情報通信の相手を更に容易に決定することができ、該当する情報通信の相手が有する装置との情報の授受方法を容易に選択することが可能となる。
【０４３６】
次に、図５８のフローチャートを参照して、図５４のステップＳ３１において実行される処理の第１の例であるアイコン配列処理１について説明する。
【０４３７】
アイコン配列処理１は、例えば、図４９を用いて説明したように、登録ユーザに対応するアイコンを、アプリケーションごとに区別するのみならず、オンラインであるか否かを基に区別して配列を決定するようになされている場合の処理である。ここでは、インフラストラクチャモードを用いて通信を行うアプリケーションがｎ（ｎは１以上の整数）種類インストールされているものとして説明する。
【０４３８】
ステップＳ１２１において、アイコン配列決定部８７７は、インフラストラクチャモードを用いて通信を行うアプリケーションのうちのいくつ目のアプリケーションに対応して登録されている登録ユーザに関する処理を行っているかを判断するために、例えば、内部のレジスタ等に設定される値ＮをＮ＝１とする。
【０４３９】
ステップＳ１２２において、アイコン配列決定部８７７は、登録ユーザ情報取得部８７４から供給された、インフラストラクチャモードを利用するアプリケーションにおいて、通信相手として登録されている登録ユーザの情報を基に、登録ユーザのうち、第Ｎのアプリケーションに登録している登録ユーザを抽出する。
【０４４０】
ステップＳ１２３において、アイコン配列決定部８７７は、Online/Offline判別部８７６から供給される常時監視結果を基に、ステップＳ１２２において抽出された登録ユーザが、それぞれオンラインであるかオフラインであるかを判定する。
【０４４１】
ステップＳ１２４において、アイコン配列決定部８７７は、ステップＳ１２３の判定結果を基に、第Ｎのアプリケーションでオンラインとなっているユーザに対応するアイコンを第Ｎレベルの領域に配置するものとする。
【０４４２】
ステップＳ１２５において、アイコン配列決定部８７７は、ステップＳ１２３の判定結果を基に、第Ｎのアプリケーションでオフラインとなっているユーザに対応するアイコンを第（ｎ＋Ｎ）レベルの領域に配置するものとする。
【０４４３】
ステップＳ１２６において、アイコン配列決定部８７７は、値Ｎを、Ｎ＝Ｎ＋１とする。
【０４４４】
ステップＳ１２７において、アイコン配列決定部８７７は、利用可能なアプリケーションの合計数ｎと、値Ｎとを比較し、ｎ＜Ｎであるか否かを判断する。
【０４４５】
ステップＳ１２７において、ｎ＜Ｎではないと判断された場合、処理は、ステップＳ１２２に戻り、それ以降の処理が繰り返される。
【０４４６】
ステップＳ１２７において、ｎ＜Ｎであると判断された場合、すべてのアプリケーションに対して処理が終了されたので、ステップＳ１２８において、アイコン配列決定部８７７は、表示設定記憶制御部８７３により記憶が制御された表示設定を読み出させ、それぞれのアイコンの配置を設定し、または、配置を変更するものとして、設定または変更された配列を示す情報を表示画像生成部８８０に通知する。表示画像生成部８８０は、表示モジュール１４２を制御して、例えば、図４９を用いて説明した待ち受け画面８５１に対応する表示画像データを生成し、表示モジュール１４２を制御して、待ち受け画面８５１の表示を制御する。
【０４４７】
このような処理により、登録ユーザに対応するアイコンを、アプリケーションごとに区別するのみならず、オンラインであるか否かを基に区別して配列を決定するようになされているので、同一の通信モードにおいて、複数のアプリケーションが利用可能である場合においても、いずれのアプリケーションにおいてどの登録ユーザがオンラインであるかを分かりやすく提示することが可能となる。
【０４４８】
次に、図５９のフローチャートを参照して、図５４のステップＳ３１において実行される処理の第２の例であるアイコン配列処理２について説明する。
【０４４９】
アイコン配列処理２は、例えば、図５０を用いて説明したように、できるだけ多くのアプリケーションによって通信可能な（オンライン状態である）登録ユーザに対応するアイコンを、優先順位の高い位置に表示させるように配列を決定するようになされている場合の処理である。ここでは、インフラストラクチャモードを用いて通信を行うアプリケーションが２種類あるものとして説明するが、インフラストラクチャモードを用いて通信を行うアプリケーションが３種類以上ある場合にも、基本的に同様にして配列を決定することが可能である。
【０４５０】
ステップＳ１５１において、アイコン配列決定部８７７は、登録ユーザ情報取得部８７４から供給された、インフラストラクチャモードを利用するアプリケーションにおいて、通信相手として登録されている登録ユーザの情報を基に、登録ユーザのうち、第１のアプリケーションに登録している登録ユーザを抽出する。
【０４５１】
ステップＳ１５２において、アイコン配列決定部８７７は、Online/Offline判別部８７６から供給される常時監視結果を基に、ステップＳ１５１において抽出されたユーザが、それぞれオンラインであるかオフラインであるかを判定する。
【０４５２】
ステップＳ１５３において、アイコン配列決定部８７７は、登録ユーザ情報取得部８７４から供給された、インフラストラクチャモードを利用するアプリケーションにおいて、通信相手として登録されている登録ユーザの情報を基に、登録ユーザのうち、第２のアプリケーションに登録している登録ユーザを抽出する。
【０４５３】
ステップＳ１５４において、アイコン配列決定部８７７は、Online/Offline判別部８７６から供給される常時監視結果を基に、ステップＳ１５３において抽出されたユーザが、それぞれオンラインであるかオフラインであるかを判定する。
【０４５４】
ステップＳ１５５において、アイコン配列決定部８７７は、ステップＳ１５２およびステップＳ１５４の判定結果を基に、第１のアプリケーションおよび第２のアプリケーションにおいて、ともにオンラインになっているユーザに対応するアイコンを、第１レベルの領域に配置するものとする。
【０４５５】
ステップＳ１５６において、アイコン配列決定部８７７は、ステップＳ１５２およびステップＳ１５４の判定結果を基に、第１のアプリケーションにおいてのみオンラインになっているユーザに対応するアイコンを、第２レベルの領域に配置するものとする。
【０４５６】
ステップＳ１５７において、アイコン配列決定部８７７は、ステップＳ１５２およびステップＳ１５４の判定結果を基に、第２のアプリケーションにおいてのみオンラインになっているユーザに対応するアイコンを、第３レベルの領域に配置するものとする。
【０４５７】
ステップＳ１５８において、アイコン配列決定部８７７は、ステップＳ１５２およびステップＳ１５４の判定結果を基に、第１のアプリケーションおよび第２のアプリケーションにおいていずれもオフラインであるか、または、いずれか一方はオフラインで他方は未登録であるユーザに対応するアイコンを、第４レベルの領域に配置するものとする。
【０４５８】
ステップＳ１５９において、アイコン配列決定部８７７は、表示設定記憶制御部８７３により記憶が制御された表示設定を読み出させ、それぞれのアイコンの配置を設定し、または、配置を変更するものとして、設定または変更された配列を示す情報を表示画像生成部８８０に通知する。表示画像生成部８８０は、表示モジュール１４２を制御して、例えば、図４９を用いて説明した待ち受け画面８５１に対応する表示画像データを生成し、表示モジュール１４２を制御して、待ち受け画面８５１の表示を制御する。
【０４５９】
このような処理により、同一の通信モードにおいて、複数のアプリケーションが利用可能である場合においても、できるだけ多くのアプリケーションによって通信可能な（オンライン状態である）登録ユーザに対応するアイコンを、優先順位の高い位置に表示させるように配列を決定することができる。
【０４６０】
このように、本発明を適用することにより、他のユーザと通信を用いてコンタクトを取るにあたって、情報通信端末１のユーザは、より自然な方法で、通信相手を指定することができ、通信相手として指定された他のユーザが保有する装置と通信する、すなわち、所望の通信相手とコンタクトを取るために用いるアプリケーションを決定することができる。
【０４６１】
すなわち、通信装置を用いない場合を含むコミュニケーションにおいては、一般的には、ある相手に連絡を取りたいために、どのような方法で連絡を取るかを考える。すなわち、待ち受け画面において選択決定された相手と情報を授受するために利用可能なアプリケーションの一覧が示されることにより、情報通信端末１のユーザは、より自然な方法で、どの方法で所望のユーザとコンタクトを取るかを決定することができる。
【０４６２】
上述した一連の処理は、ソフトウェアにより実行することも、上述した一連の処理を実行するように組み込まれたハードウェアを用いて実行することもできる。そのソフトウェアは、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０４６３】
この記録媒体は、図１１に示すように、コンピュータとは別に、ユーザにプログラムを提供するために配布される、プログラムが記録されている磁気ディスク（フレキシブルディスクを含む）、光ディスク（CD-ROM（Compact Disk-Read Only Memory），DVD（Digital Versatile Disk）を含む）、光磁気ディスク（ＭＤ(Mini-Disk)（商標）を含む）、もしくは半導体メモリなどよりなるリムーバブルメディア１７２などにより構成される。
【０４６４】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０４６５】
なお、本明細書において、システムとは、複数の装置により構成される装置全体を表すものである。
【０４６６】
なお、本発明の実施の形態は、上述した実施の形態に限定されるものではなく、本発明の要旨を逸脱しない範囲において種々の変更が可能である。
【図面の簡単な説明】
【０４６７】
【図１】本発明を適用した情報通信端末を含む情報通信システムについて説明するための図である。
【図２】情報通信端末の正面外形図である。
【図３】情報通信端末の、裏側（表示部の設けられていない側）の外形図である。
【図４】情報通信端末の、上側側面（WLAN ON/OFFスイッチが設けられている側）の外形図である。
【図５】情報通信端末の表示部が設けられている側から向かって右側面（通信状態通知発光部が設けられている側）の外形図である。
【図６】情報通信端末の表示部が設けられている側から向かって左側面（WLAN ON/OFFスイッチおよび電源スイッチが設けられている側）の外形図である。
【図７】情報通信端末の、下側側面（電源スイッチやミュージックキーが設けられている側）の外形図である。
【図８】筐体がスライドされた場合の外観図である。
【図９】常時表示パネルについて説明するための図である。
【図１０】常時表示パネルに表示される情報について説明するための図である。
【図１１】情報通信端末の内部構成例を示すブロック図である。
【図１２】アプリケーションプロセッサにおいて実行されるソフトウエアの構成を示すソフトウェアスタック図である。
【図１３】オーディオプロセッサにおいて実行されるソフトウエアの構成を示すソフトウェアスタック図である。
【図１４】Home画面の表示例を示す図である。
【図１５】録音待機状態における画面の表示例を示す図である。
【図１６】録音中の画面の表示例を示す図である。
【図１７】録音が停止された状態、すなわち、録音された音声データの再生待機（一時停止）中の画面の表示例を示す図である。
【図１８】録音された音声データの再生中の画面の表示例を示す図である。
【図１９】フォトビューアが実行されているときの表示画面の一例を示す図である。
【図２０】テキストの新規作成画面の一例を示す図である。
【図２１】コンテクストメニュー（Context Menu）について説明するための図である。
【図２２】文字予測変換機能について説明するための図である。
【図２３】アドホックモードにおける通信について説明するための図である。
【図２４】アドホックモードの情報通信端末がブロードキャストで送信する情報の一例について説明するための図である。
【図２５】アドホックユーザ一覧表示画面について説明するための図である。
【図２６】通信相手として相互に登録が行われる場合に授受されるユーザ情報の一例ついて説明するための図である。
【図２７】メニュー画面について説明するための図である。
【図２８】検索画面について説明するための図である。
【図２９】楽曲データ再生表示画面について説明するための図である。
【図３０】アドホックユーザ一覧画面について説明するための図である。
【図３１】公開Playlist一覧表示画面について説明するための図である。
【図３２】トラック表示画面について説明するための図である。
【図３３】コミュニケーションアプリケーショントップ画面について説明するための図である。
【図３４】ログイン画面について説明するための図である。
【図３５】コンタクトリスト表示画面について説明するための図である。
【図３６】ウェブブラウザメニュー画面について説明するための図である。
【図３７】接続画面について説明するための図である。
【図３８】メッセージ表示画面について説明するための図である。
【図３９】ウェブページ表示画面について説明するための図である。
【図４０】待ち受け画面について説明するための図である。
【図４１】メニュー表示ツールが用いる機能を示す機能ブロック図である。
【図４２】利用可能アプリケーション一覧画面について説明するための図である。
【図４３】利用可能アプリケーション一覧画面について説明するための図である。
【図４４】待ち受け画面について説明するための図である。
【図４５】待ち受け画面について説明するための図である。
【図４６】待ち受け画面について説明するための図である。
【図４７】待ち受け画面について説明するための図である。
【図４８】待ち受け画面について説明するための図である。
【図４９】待ち受け画面について説明するための図である。
【図５０】待ち受け画面について説明するための図である。
【図５１】待ち受け画面について説明するための図である。
【図５２】待ち受け画面表示処理について説明するためのフローチャートである。
【図５３】待ち受け画面表示処理について説明するためのフローチャートである。
【図５４】待ち受け画面表示処理について説明するためのフローチャートである。
【図５５】待ち受け画面表示処理について説明するためのフローチャートである。
【図５６】ＷＬＡＮ通信可能ユーザ表示処理について説明するためのフローチャートである。
【図５７】ＷＬＡＮ通信可能ユーザ表示処理について説明するためのフローチャートである。
【図５８】アイコン配列処理１について説明するためのフローチャートである。
【図５９】アイコン配列処理２について説明するためのフローチャートである。
【符号の説明】
【０４６８】
１  情報通信端末，  １１  ネットワーク，  １２  サーバ，  １３  パーソナルコンピュータ，  ２１  表示部，  ２２  ＷＬＡＮモード切替ボタン，  ２３  ＨＯＭＥボタン，  ２４  ＢＡＣＫボタン，  ２５  オプションボタン，  ２６  ４方向キー，  ２７  決定ボタン，  ２８  スピーカ，  ２９  マイク，  ３０  ＷＬＡＮ ＯＮ/ＯＦＦスイッチ，  ３１  ＷＬＡＮ状態通知発光部，  ３２  電源状態通知発光部，  ３３  電源スイッチ，  ３４  通信状態通知発光部，  ３５  ミュージックキー，  ４１  バッテリーカバー，  ４２  リンガースピーカ，  ４３  HOLDスイッチ，  ４４  ボリュームボタン，  ５１  USBコネクタ，  ５２  コネクタジャック，  １０１  常時表示パネル，  １３１  アプリケーションプロセッサ，  １３２  オーディオプロセッサ，  ３４２  表示モジュール，  １４３  バックライトドライバ，  １４４  発光モジュール，  １４５  オーディオ変換モジュール，  １４６  フラッシュメモリ，  １４７  メモリ，  １４８  無線通信モジュール，  １４９  キーボードモジュール，  １５０  入力モジュール，  １５２  オーディオ信号処理モジュール，  １５３  リアルタイムクロック（RTC），  １５４  大容量フラッシュメモリ，  １５５  メモリバス，  １５６  フラッシュメモ，  １５７  メモリ，  ８５１  待ち受け画面，  ８６４  コンタクトアイコン表示エリア
【図１】
2007179330.tif 000003
【図２】
2007179330.tif 000004
【図３】
2007179330.tif 000005
【図４】
2007179330.tif 000006
【図５】
2007179330.tif 000007
【図６】
2007179330.tif 000008
【図７】
2007179330.tif 000009
【図８】
2007179330.tif 000010
【図９】
2007179330.tif 000011
【図１０】
2007179330.tif 000012
【図１１】
2007179330.tif 000013
【図１２】
2007179330.tif 000014
【図１３】
2007179330.tif 000015
【図１４】
2007179330.tif 000016
【図１５】
2007179330.tif 000017
【図１６】
2007179330.tif 000018
【図１７】
2007179330.tif 000019
【図１８】
2007179330.tif 000020
【図１９】
2007179330.tif 000021
【図２０】
2007179330.tif 000022
【図２１】
2007179330.tif 000023
【図２２】
2007179330.tif 000024
【図２３】
2007179330.tif 000025
【図２４】
2007179330.tif 000026
【図２５】
2007179330.tif 000027
【図２６】
2007179330.tif 000028
【図２７】
2007179330.tif 000029
【図２８】
2007179330.tif 000030
【図２９】
2007179330.tif 000031
【図３０】
2007179330.tif 000032
【図３１】
2007179330.tif 000033
【図３２】
2007179330.tif 000034
【図３３】
2007179330.tif 000035
【図３４】
2007179330.tif 000036
【図３５】
2007179330.tif 000037
【図３６】
2007179330.tif 000038
【図３７】
2007179330.tif 000039
【図３８】
2007179330.tif 000040
【図３９】
2007179330.tif 000041
【図４０】
2007179330.tif 000042
【図４１】
2007179330.tif 000043
【図４２】
2007179330.tif 000044
【図４３】
2007179330.tif 000045
【図４４】
2007179330.tif 000046
【図４５】
2007179330.tif 000047
【図４６】
2007179330.tif 000048
【図４７】
2007179330.tif 000049
【図４８】
2007179330.tif 000050
【図４９】
2007179330.tif 000051
【図５０】
2007179330.tif 000052
【図５１】
2007179330.tif 000053
【図５２】
2007179330.tif 000054
【図５３】
2007179330.tif 000055
【図５４】
2007179330.tif 000056
【図５５】
2007179330.tif 000057
【図５６】
2007179330.tif 000058
【図５７】
2007179330.tif 000059
【図５８】
2007179330.tif 000060
【図５９】
2007179330.tif 000061